(57)【要約】本発明の画像処理装置は、複数の表示映像データに対する表示順に時間差を設け、かつ動画像が表示される複数の映像表示部を表示することになるため、個々の映像表示部自体に再生映像を提示するのみならず、これら映像表示部全体の時系列の流れによっても再生映像を提示することができる一方、全ての各映像表示部に表示する再生映像の画像について、当該画像の変化量に応じて、ピクチャ単位又はＧＯＰ単位ごとに、表示態様又は再生態様を変化させて表示することになるため、画像の変化の違いを視覚的に提示することができる。従って、再生映像のなかで変化のある位置を直感的に認識させながら、表示映像データに基づく一連の映像の中からオペレータ所望の映像部分を容易に探索させて画探し作業や編集作業を容易化させることができる。
2007111206.tif 000002
【特許請求の範囲】
【請求項１】
映像データから、表示画面上の複数の映像表示部に対してそれぞれ表示させるための複数の表示映像データを生成する画像生成手段と、  上記映像データの変化の程度を表す映像変化量又は上記映像データに対応する音声データの変化の程度を表す音声変化量に基づき、上記映像データのピクチャを表示するときの表示方法を表す表示タイプを、ピクチャ単位又はＧＯＰ単位で決定する表示タイプ決定手段と、  上記表示タイプ決定手段により決定されたピクチャ単位又はＧＯＰ単位の表示タイプに応じて、上記表示映像データに対応する表示パラメータ又は再生パラメータを変更するパラメータ変更手段と、  上記パラメータ変更手段により変更された表示パラメータ又は再生パラメータを用いて、上記表示映像データを、表示順に時間差を設けながら動画像の状態で上記表示画面上に表示させる画像処理手段と  を具えることを特徴とする画像処理装置。
【請求項２】
上記表示タイプは、上記映像データのピクチャを表示するときの解像度、または上記映像データのピクチャを表示するときの表示レートが異なる表示方法を表し、  上記画像処理手段は、上記映像データのピクチャを、上記表示タイプが表す解像度または表示レートで表示させる  ことを特徴とする請求項１に記載の画像処理装置。
【請求項３】
上記映像変化量は、上記映像データのピクチャの空間的な変化の程度を表す細かさ情報であり、  上記表示タイプ決定手段は、上記細かさ情報により表される上記空間的な変化の程度が大きい場合、上記映像データのピクチャの上記表示タイプを、高い解像度の高解像度タイプ、または低い表示レートの低表示レートタイプに決定する  ことを特徴とする請求項２に記載の画像処理装置。
【請求項４】
上記映像変化量は、上記映像データのピクチャの時間的な変化の程度を表す動き情報であり、  上記表示タイプ決定手段は、上記動き情報により表される上記時間的な変化の程度が大きい場合、上記映像データのピクチャの表示タイプを、低い解像度の低解像度タイプ、または高い表示レートの高表示レートタイプに決定する  ことを特徴とする請求項２に記載の画像処理装置。
【請求項５】
表示させる上記映像データのピクチャを指定するときに操作されるピクチャ指定操作手段によって指定されているピクチャの上記表示タイプを取得する表示タイプ取得手段を更に有し、  上記パラメータ変更手段は、上記表示タイプ取得手段により取得された上記表示タイプに応じて、上記表示映像データに対応する表示パラメータ又は再生パラメータを変更する  ことを特徴とする請求項１に記載の画像処理装置。
【請求項６】
上記表示タイプには、静止画での表示を表す静止画タイプもあり、  上記表示タイプ決定手段は、上記静止画での表示を表す静止画タイプに決定し、  上記画像処理手段は、  上記映像データの時系列のピクチャのうちの、静止画タイプのピクチャが連続する区間のピクチャが、上記ピクチャ指定操作手段によって指定されている場合、直前に表示されたピクチャを、再度表示させる  ことを特徴とする請求項５に記載の画像処理装置。
【請求項７】
上記ピクチャ指定操作手段は、つまみの移動が可能なバーであり、  上記つまみの移動が可能な移動可能範囲を区分する各小区間には、上記映像データのピクチャが時系列に割り当てられ、  上記画像処理手段は、上記つまみが位置する小区間に割り当てられている上記映像データのピクチャを表示させる  ことを特徴とする請求項６に記載の画像処理装置。
【請求項８】
上記つまみが位置する小区間に割り当てられている上記映像データのピクチャの表示タイプに応じた周期で、上記つまみが移動したかを判定する移動判定手段を更に有し、  上記画像処理手段は、上記移動判定手段によって上記つまみが移動したと判定された場合、移動後の上記つまみが位置する小区間に割り当てられている上記映像データのピクチャを表示させる  ことを特徴とする請求項６に記載の画像処理装置。
【請求項９】
上記つまみが位置する小区間に割り当てられている上記映像データのピクチャの表示タイプに応じた周期で、上記つまみが移動したかを判定する移動判定手段を更に有し、  上記画像処理手段は、上記移動判定手段によって上記つまみが移動していないと判定された場合、直前に表示された上記映像データのピクチャを、再度表示させる  ことを特徴とする請求項６に記載の画像処理装置。
【請求項１０】
上記映像変化量には、上記映像データのピクチャの空間的な変化の程度を表すピクチャ単位若しくはＧＯＰ単位の細かさ情報、又は、ピクチャの時間的な変化の程度を表すピクチャ単位若しくはＧＯＰ単位動き情報が含まれ、  上記細かさ情報又は上記動き情報は、メタデータとしてファイルに格納されている  ことを特徴とする請求項１に記載の画像処理装置。
【請求項１１】
上記表示パラメータには、上記表示画面上における各上記映像表示部及び上記表示映像データの大きさ、又は、上記表示画面上における各上記映像表示部及び上記表示映像データの表示位置間隔が含まれる  ことを特徴とする請求項１に記載の画像処理装置。
【請求項１２】
上記表示タイプのピクチャを表示するときのサイズがあらかじめ設定されており、  上記画像処理手段は、上記映像データのピクチャを、上記表示タイプについてあらかじめ設定されているサイズで表示させる  ことを特徴とする請求項１１に記載の画像処理装置。
【請求項１３】
上記再生パラメータは、上記表示映像データの解像度、フレームレート、再生速度のうち少なくとも１つを含む  ことを特徴とする請求項１に記載の画像処理装置。
【請求項１４】
上記音声変化量は、上記音声データの信号レベルに対する時間的な変化量を含む  ことを特徴とする請求項１に記載の画像処理装置。
【請求項１５】
上記画像生成手段は、符号化ストリームを復号処理することにより、上記複数の表示映像データを生成する  ことを特徴とする請求項１に記載の画像処理装置。
【請求項１６】
上記符号化ストリームを記憶する記憶手段と、  上記記憶手段から上記符号化ストリームを読み出す読出手段と  を更に有し、  上記画像生成手段は、上記読出手段により読み出された上記符号化ストリームを復号処理することにより、上記複数の表示映像データを生成する  ことを特徴とする請求項１５に記載の画像処理装置。
【請求項１７】
上記画像処理手段は、上記表示画面上で３次元螺旋状に配置された上記複数の映像表示部が表示順に連携した螺旋映像表示部群として、上記複数の表示映像データを上記表示画面上に表示させる  ことを特徴とする請求項１に記載の画像処理装置。
【請求項１８】
上記画像処理手段は、上記複数の映像表示部における表示サイズ及び表示位置を含む表示情報を取得し、当該取得した表示情報を用いて上記表示映像データを上記表示画面上に表示させる  ことを特徴とする請求項１に記載の画像処理装置。
【請求項１９】
上記画像処理手段は、上記複数の表示映像データを可変速表示させた状態で、上記複数の表示映像データを上記表示画面上に表示させる  ことを特徴とする請求項１に記載の画像処理装置。
【請求項２０】
上記画像処理手段は、上記複数の表示映像データの表示速度をそれぞれ等しくさせた状態で、上記複数の表示映像データを上記表示画面上に表示させる  ことを特徴とする請求項１９に記載の画像処理装置。
【請求項２１】
上記画像処理手段は、上記複数の映像表示部の間で等間隔の上記時間差を設けながら、上記複数の表示映像データを上記表示画面上に表示させる  ことを特徴とする請求項１に記載の画像処理装置。
【請求項２２】
上記画像処理手段は、上記螺旋映像表示部群に含まれる上記複数の映像表示部のうち表示基準となる基準映像表示部に表示される基準表示映像データを、上記複数の表示映像データのなかで最も大きくなるように表示させる  ことを特徴とする請求項１７に記載の画像処理装置。
【請求項２３】
上記画像処理手段は、上記基準表示映像データを除いた上記複数の表示映像データを、上記基準映像表示部から上記３次元螺旋状上の距離が離れるに連れて表示サイズを徐々に小さくするように表示させる  ことを特徴とする請求項２２に記載の画像処理装置。
【請求項２４】
上記画像処理手段は、上記基準表示映像データを上記螺旋映像表示部群の最も手前側に位置するように表示させる  ことを特徴とする請求項２２に記載の画像処理装置。
【請求項２５】
上記画像処理手段は、上記基準表示映像データを除いた上記複数の表示映像データを、上記基準映像表示部から上記３次元螺旋状上の距離が離れるに連れて解像度を下げるように表示させる  ことを特徴とする請求項２２に記載の画像処理装置。
【請求項２６】
上記画像処理手段は、上記複数の表示映像データを、互いに隣接するそれぞれの上記映像表示部において重なり合う状態で表示させると共に、上記映像表示部における重なり合う部分をそれぞれ透かせた状態で表示させる  ことを特徴とする請求項１に記載の画像処理装置。
【請求項２７】
上記画像処理手段は、上記基準表示映像データを除いた上記複数の表示映像データを、上記基準映像表示部から上記３次元螺旋状上の距離が離れるにつれて、上記複数の映像表示部における配置間隔を狭めて表示させる  ことを特徴とする請求項２２に記載の画像処理装置。
【請求項２８】
上記画像処理手段は、上記螺旋映像表示部群における上記複数の表示映像データを時系列に流す速度に応じて、上記複数の映像表示部の表示角度を変更して表示させる  ことを特徴とする請求項１に記載の画像処理装置。
【請求項２９】
上記画像生成手段は、上記螺旋映像表示部群における上記複数の表示映像データを時系列に流す速度を示す速度表示データを更に生成し、  上記画像処理手段は、上記速度表示データを、上記表示画面上のアイコンとして表示させる  ことを特徴とする請求項１７に記載の画像処理装置。
【請求項３０】
映像データから、表示画面上の複数の映像表示部に対してそれぞれ表示させるための複数の表示映像データを生成する画像生成ステップと、  上記映像データにおける各画像データの変化の程度を表す変化量に基づき、そのピクチャを表示するときの表示方法を表す表示タイプを、ピクチャ単位又はＧＯＰ単位で決定する表示タイプ決定ステップと、  上記表示タイプ決定ステップで決定されたピクチャ単位又はＧＯＰ単位の表示タイプを表すタイプ情報に応じて、上記表示映像データに対応する表示パラメータ又は再生パラメータを変更するパラメータ変更ステップと、  上記パラメータ変更ステップで変更された表示パラメータ又は再生パラメータを用いて、上記表示映像データを、表示順に時間差を設けながら動画像の状態で上記表示画面上に表示させる画像処理ステップと  を具えることを特徴とする画像処理方法。
【発明の詳細な説明】
【技術分野】
【０００１】  本発明は、画像処理装置及び画像処理方法に関し、例えば、映像素材を編集する編集装置又は映像素材の内容から特定のシーンを確認する映像ブラウザに適用して好適なものである。
【背景技術】
【０００２】  従来、テレビジョン放送局等のコンテンツ制作現場においては、ビデオカメラで撮影することにより得られた映像音声素材（以下、これをクリップと呼ぶ）からその一部を切り取るようにして新たな１つのクリップを作成し、同様に作成した複数のクリップを繋ぎ合わせるようにして１本のコンテンツを作成している（例えば、特許文献１参照）。  図１０４は、このような編集作業に用いられる編集装置のディスプレイに表示されるＧＵＩ（Ｇｒａｐｈｉｃａｌ  Ｕｓｅｒ  Ｉｎｔｅｒ−ｆａｃｅ）画面（以下、これを編集画面と呼ぶ）の一例を示すものである。この図１０４からも明らかなように、この編集画面２００１は、クリップ一覧表示部２００２、モニタ部２００３、ストーリーボード部２００４、タイムライン部２００５及びエフェクト情報表示部２００６Ａ〜２００６Ｃから構成されている。  この場合クリップ一覧表示部２００２には、その編集装置に登録されている各種ビン及びファイルの中から所望の１つのビン又はファイルを選択して、そのビン又はファイルに収納されているクリップの一覧を表示させることができるようになされている。  そしてオペレータは、これらクリップ一覧表示部２００２に一覧表示されたクリップの中から所望のクリップを選択し、これをモニタ部２００３にドラッグアンドドロップすることによって、そのクリップの先頭画像をモニタ部２００３内に表示させることができる。  またオペレータは、その状態でモニタ部２００３の下部に表示されたボタン群２００７の中から対応するボタンをクリックすることによって、かかるドラッグアンドドロップされたクリップの再生を開始させてその再生映像をモニタ部２００３に表示させることや、その表示された再生映像を早送り又は巻き戻し等させることができ、さらにボタン群２００７の上側に表示されたそのクリップ全体における現在の表示画像の位置を表すスクラブカーソル２００８をマウス操作により左右に移動させることによって、そのときのスクラブカーソル２００８の位置に応じた画像をモニタ部２００３に表示させることができる。  かくしてオペレータは、モニタ部２００３に表示される再生映像を目視確認しながら、かかるボタン群２００７内の再生ボタン等やスクラブカーソル２００８を操作することによって所望のフレームを探索し、そのフレームの画像をモニタ部２００３に表示させた状態で当該モニタ部２００３の下部に設けられたイン点ボタン２００９ＩＮ又はアウト点ボタン２００９ＯＵＴをクリックすることにより、そのクリップから切り取るべき映像音声部分の開始点（以下、イン点）及び終了点（以下、アウト点）をそれぞれ指定することができる。  そして、このようにしてイン点及びアウト点を指定したクリップについては、当該イン点及びアウト点で挟まれる映像音声部分を新たなクリップとして、ドラッグアンドドロップによりストーリーボード部２００４に貼り付けることができる。これにより編集画面２００１においては、編集に使用するクリップを予めストーリーボード部２００４に並べることによって、オペレータが編集結果を容易にイメージし得るようになされている。なお、このときストーリーボード部２００４には、貼り付けられた各クリップの先頭画像等の代表画像のサムネイル及び詳細情報が表示される。  そしてオペレータは、この後かかるストーリーボード部２００４に貼り付けた各クリップを、それぞれドラッグアンドドロップによりタイムライン部２００５のビデオトラック２０１０Ｖ上に並べるように順次貼り付けるようにする。このときビデオトラック２０１０Ｖには、タイムスケール２０１１を指標として、貼り付けられたクリップの素材長に応じた長さの帯２０１２Ｖが表示される。またこのときそのクリップに音声がある場合には、オーディオトラック２０１０Ａにおけるタイムスケール２０１１上の同じ位置に同じ長さの帯２０１２Ａが表示される。  ここで、このようにタイムライン部２００５のビデオトラック２０１０Ｖやオーディオトラック２０１０Ａに帯２０１２Ｖ、２０１２Ａが表示されることは、編集映像音声の出力時にタイムスケール２０１１で表された時間にその帯２０１２Ｖ、２０１２Ａに対応するクリップの映像が表示され又は音声が出力されることを意味する。従って、このような操作により編集映像として表示され、又は編集音声として出力されるクリップの映像又は音声を順次規定してなる編集リストを作成することができる。  なお、このようにして編集リストを作成する際に、例えば第１のクリップの映像から第２のクリップの映像への切り替わり時に映像特殊効果処理を施したいときには、エフェクト情報表示部２００６Ａ〜２００６Ｃのうちのエフェクト一覧表示部６Ｃに一覧表示された、この編集装置が実行できる各種映像特殊効果の中から、所望する映像特殊効果と対応付けられたアイコン（以下、これをエフェクトアイコンと呼ぶ）１３を、タイムライン部２００５のトラジショントラック２０１０Ｔにおける第１及び第２のクリップの切り替わり部分とタイムスケール２０１１上で同じ位置にドラッグアンドドロップにより貼り付けるようにする。  これにより編集映像における第１のクリップの映像と第２のクリップの映像との繋ぎ部分において、上述のようにトラジショントラック２０１０Ｔに貼り付けられたエフェクトアイコン１３と対応付けられた映像特殊効果処理を実行すべき旨の指示を入力することができる。【特許文献１】特開２０００−２５１４５１公報。
【０００３】  ところで、上述のような編集画面２００１を用いた編集作業において、イン点やアウト点とすべきフレームの探索作業は、クリップの映像を早送り又は巻き戻し再生を複数回繰り返し行う操作、又は、上述のようにスクラブカーソル２００８を左右に動かすスクラブ（Ｓｃｒｕｂ）と呼ばれるマウス操作により、そのクリップの映像を高速再生させて所望のフレームを見つけ出すことにより行われる。  しかしながら、このような早送り又は巻き戻し再生を複数回繰り返し行う操作又はスクラブによるマウス操作などによる所望フレームの探索作業（以下、適宜、これを画探し作業と呼ぶ）は、その操作に習熟していなければ多くの時間を要するものである。また対象とする映像音声素材が、例えば圧縮効率を高めるために１ＧＯＰ（Ｇｒｏｕｐ  ｏｆ  Ｐｉｃ−ｔｕｒｅｓ）内に複数フレームをもつ方式、いわゆるＭＰＥＧ（Ｍｏ−ｔｉｏｎ  Ｐｉｃｔｕｒｅ  Ｅｘｐｅｒｔ  Ｇｒｏｕｐ）方式のロングＧＯＰ（Ｌｏｎｇ  ＧＯＰ）フォーマットで圧縮符号化が行われている場合や、前後のＧＯＰのデータをも利用して圧縮するオープンＧＯＰフォーマットの場合には、フレームを復号化処理するために複数のフレーム及びＧＯＰをも復号化処理しなければならない場合があることから、高速なランダム再生が困難となる。この結果、かかる場合には、表示映像の応答性が悪くなって、画探し作業がさらにやり難いものとなる。  さらに、上述のようにクリップ同士を繋げるいわゆるカット編集の操作も、従来は、編集画面２００１内のタイムライン部２００５のビデオトラック２０１０Ｖやオーディオトラック２０１０Ａにクリップを貼り付けるようにして行い、イン点及びアウト点の前後の映像確認をその後の再生やスクラブにより行っていた。このためかかるカット編集を行うためには、上述のようにいくつかのステップが必要であり、簡易に行うことが困難な問題があった。  さらに、通常、編集作業では、映像と音声とを意識して編集するのが常であるが、音声については映像を目視確認しながらスピーカから出力される音を頼りにするか、又は編集画面２００１のタイムライン部２００５のオーディオトラック２０１０Ａに表示される音声のレベル波形（例えば図１０４中のタイムライン部２００５の「オーディオ３」のオーディオトラック２０１０Ａを参照）を確認しながら編集する必要があり、映像と音声とを連携させた編集作業を容易に行い得ない問題があった。
【発明の開示】
【０００４】  本発明は以上の点を考慮してなされたもので、編集シーン確認又は特定シーンの確認なので画探し作業、又は、編集作業自体を容易化させ得る画像処理装置及びを提案しようとするものである。  かかる課題を解決するため本発明は、画像処理装置であって、映像データから、表示画面上の複数の映像表示部に対してそれぞれ表示させるための複数の表示映像データを生成する画像生成手段と、映像データにおける各画像データの変化の程度を表す変化量に基づき、そのピクチャを表示するときの表示方法を表す表示タイプを、ピクチャ単位又はＧＯＰ単位で決定する表示タイプ決定手段と、表示タイプ決定手段により決定されたピクチャ単位又はＧＯＰ単位の表示タイプを表すタイプ情報に応じて、表示映像データに対応する表示パラメータ又は再生パラメータを変更するパラメータ変更手段と、パラメータ変更手段により変更された表示パラメータ又は再生パラメータを用いて、表示映像データを、表示順に時間差を設けながら動画像の状態で表示画面上に表示させる画像処理手段とを設けるようにした。  これにより、この画像処理装置は、複数の表示映像データに対する表示順に時間差を設け、かつ動画像が表示される複数の映像表示部を表示することになるため、個々の映像表示部自体に再生映像を提示するのみならず、これら映像表示部全体の時系列の流れによっても再生映像を提示することができる一方、全ての各映像表示部に表示する再生映像の画像について、当該画像の変化量に応じて、ピクチャ単位又はＧＯＰ単位ごとに、表示態様又は再生態様を変化させて表示することになるため、画像の変化の違いを視覚的に提示することができる。従って、この画像処理装置は、これら提示の組み合わせによって、オペレータに対して、再生映像のなかで変化のある位置を直感的に認識させながら、表示映像データに基づく一連の映像の中からオペレータ所望の映像部分を容易に探索させて画探し作業や編集作業を容易化させることができる。  また本発明は、画像処理方法であって、映像データから、表示画面上の複数の映像表示部に対してそれぞれ表示させるための複数の表示映像データを生成する画像生成ステップと、映像データにおける各画像データの変化の程度を表す変化量に基づき、そのピクチャを表示するときの表示方法を表す表示タイプを、ピクチャ単位又はＧＯＰ単位で決定する表示タイプ決定ステップと、表示タイプ決定ステップで決定されたピクチャ単位又はＧＯＰ単位の表示タイプを表すタイプ情報に応じて、表示映像データに対応する表示パラメータ又は再生パラメータを変更するパラメータ変更ステップと、パラメータ変更ステップで変更された表示パラメータ又は再生パラメータを用いて、表示映像データを、表示順に時間差を設けながら動画像の状態で表示画面上に表示させる画像処理ステップとを設けるようにした。  これにより、この画像処理方法は、複数の表示映像データに対する表示順に時間差を設け、かつ動画像が表示される複数の映像表示部を表示することになるため、個々の映像表示部自体に再生映像を提示するのみならず、これら映像表示部全体の時系列の流れによっても再生映像を提示することができる一方、全ての各映像表示部に表示する再生映像の��像について、当該画像の変化量に応じて、ピクチャ単位又はＧＯＰ単位ごとに、表示態様又は再生態様を変化させて表示することになるため、画像の変化の違いを視覚的に提示することができる。従って、この画像処理方法は、これら提示の組み合わせによって、オペレータに対して、再生映像のなかで変化のある位置を直感的に認識させながら、表示映像データに基づく一連の映像の中からオペレータ所望の映像部分を容易に探索させて画探し作業や編集作業を容易化させることができる。  本発明によれば、画像の変化の違いを視覚的に提示させることができ、これら提示の組み合わせによって、オペレータに対して、再生映像のなかで変化のある位置を直感的に認識させながら、表示映像データに基づく一連の映像の中からオペレータ所望の映像部分を容易に探索させて画探し作業や編集作業を容易化させ得る画像処理装置及び画像処理方法を実現することができる。
【図面の簡単な説明】
【０００５】  図１は、本発明による編集システムの構成を示す略線的ブロック図である。  図２は、本実施の形態による編集画面の構成を示す略線図である。  図３は、螺旋映像表示部群の説明に供する略線図である。  図４は、螺旋映像表示部群の各映像表示部に対する再生順序の説明に供する概念図である。  図５は、各映像表示部にそれぞれ表示される再生映像の再生時間差の説明に供するタイミングチャートである。  図６は、Ｆｏｗａｒｄ方向へ流れるような映像表示の説明に供する略線図である。  図７は、再生時間差・再生速度設定ダイアログを示す略線図である。  図８は、Ｒｅｖｅｒｓｅ方向へ流れるような映像表示の説明に供する略線図である。  図９は、並列デコード処理手順を示すフローチャートである。  図１０は、再生処理手順（表示変更処理手順）を示すフローチャートである。  図１１は、表示部における基本操作（１）の説明に供する略線図である。  図１２は、着色された映像表示部の流れの説明に供するタイミングチャートである。  図１３は、表示部における基本操作（２）の説明に供する略線図である。  図１４は、表示部における拡張操作（１）の説明に供する略線図である。  図１５は、拡張操作による映像表示部の移動（１−１）の説明に供する概念図である。  図１６は、拡張操作による映像表示部の移動（１−２）の説明に供するタイミングチャートである。  図１７は、拡張操作による映像表示部の移動（２−１）の説明に供する概念図である。  図１８は、拡張操作による映像表示部の移動（２−２）の説明に供するタイミングチャートである。  図１９は、螺旋映像表示部群のスパイラル構造の説明に供する略線図である。  図２０は、視点を示すサブ３Ｄ空間画像の説明に供する略線図である。  図２１は、複数のサブ螺旋映像表示部群の説明に供する略線図である。  図２２は、サブ螺旋映像表示部群の移動の説明に供する略線図である。  図２３は、サブ３Ｄ空間画像を固定した視点変更の説明に供する略線図である。  図２４は、サブ３Ｄ空間画像及びキャラクタの回転の説明に供する略線図である。  図２５は、サブ３Ｄ空間画像の拡大表示の説明に供する略線図である。  図２６は、視点変更に応じた螺旋映像表示部群に対する表示処理手順を示すフローチャートである。  図２７は、視点変更後の螺旋映像表示部群（１）を示す略線図である。  図２８は、視点変更後の螺旋映像表示部群（２）を示す略線図である。  図２９は、視点変更後の螺旋映像表示部群（３）を示す略線図である。  図３０は、視点座標ロックモードによる視点変更後の螺旋映像表示部群を示す略線図である。  図３１は、視点変更後の螺旋映像表示部群（４）を示す略線図である。  図３２は、イン点探索中における２次元画像表示例を示す略線図である。  図３３は、マイクロプロセッサ及びＧＰＵによる編集前処理の機能構成を示すブロック図である。  図３４は、ＡＶファイル作成部の構成例を示すブロック図である。  図３５は、Ｆｙファイル作成部の構成例を示すブロック図である。  図３６は、データ縮小部の処理を説明するための図である。  図３７は、Ｆｙファイル作成処理を説明するフローチャートである。  図３８は、変化量算出部の構成例を示すブロック図である。  図３９は、動き情報算出部において求められるフレーム単位の動き情報を説明する図である。  図４０は、動き情報算出部の構成例を示すブロック図である。  図４１は、動き情報算出部の処理を説明する図である。  図４２は、動き情報算出部の他の構成例を示すブロック図である。  図４３は、動き情報算出部の処理を説明する図である。  図４４は、細かさ情報算出部の構成例を示すブロック図である。  図４５は、細かさ情報算出部の処理を説明する図である。  図４６は、細かさ情報算出部の他の構成例を示すブロック図である。  図４７は、平均値算出部の処理を説明する図である。  図４８は、変化量算出部で求められるフレームごとの変化量を示す図である。  図４９は、表示タイプの例を説明する図である。  図５０は、表示タイプ決定部がフレーム単位で決定する表示タイプを説明する図である。  図５１は、表示タイプ決定部の構成例を示すブロック図である。  図５２は、表示タイプ決定処理（１）を説明するフローチャートである。  図５３は、表示タイプ決定処理（２）を説明するフローチャートである。  図５４は、フレーム単位の変化量を示す図である。  図５５は、Ｆｙファイルの例（１）を示す図である。  図５６は、表示タイプの例（１）を説明する図である。  図５７は、フレーム単位の動き情報と表示タイプとを示す図である。  図５８は、表示タイプ決定処理（３）を説明するフローチャートである。  図５９は、表示タイプ決定処理（４）を説明するフローチャートである。  図６０は、表示タイプの例（２）を説明する図である。  図６１は、フレーム単位の細かさ情報と表示タイプとを示す図である。  図６２は、表示タイプ決定処理（５）を説明するフローチャートである。  図６３は、表示タイプ決定処理（６）を説明するフローチャートである。  図６４は、Ｆｙファイルの例（２）を示す図である。  図６５は、Ｆｙファイルの例（３）を示す図である。  図６６は、Ｆｙファイルの例（４）を示す図である。  図６７は、表示タイプの例（３）を説明する図である。  図６８は、動き情報および細かさ情報と表示タイプとを示す図である。  図６９は、表示タイプ決定処理（７）を説明するフローチャートである。  図７０は、Ｆｙファイルの例（５）を示す図である。  図７１は、マイクロプロセッサ及びＧＰＵによるスクラブ処理の機能構成を示すブロック図である。  図７２は、Ｆｙファイル管理部と表示タイプ取得部との構成例を示すブロック図である。  図７３は、スクラブつまみの位置と、その位置によって指定されるフレームとの関係について説明する図である。  図７４は、通常タイプと高表示レート低解像度タイプのフレームそれぞれのスクラブでの表示方法を示す図である。  図７５は、表示タイプが静止画タイプのフレームの表示を説明する図である。  図７６は、スクラブの処理を説明するフローチャートである。  図７７は、指定区間の区間長に重み付けをする重みの例（１）を示す図である。  図７８は、指定区間の区間長に重み付けをする重みの例（２）を示す図である。  図７９は、区間長に重み付けをしない場合と、重み付けをする場合それぞれの指定区間を示す図である。  図８０は、区間長に関する処理を説明するフローチャートである。  図８１は、割り当て範囲の設定を説明する図である。  図８２は、割り当て範囲設定処理を説明するフローチャートである。  図８３は、表示処理を説明するフローチャートである。  図８４は、拡大映像表示部の推移（１）の表示例を示す図である。  図８５は、拡大映像表示部の推移（２）の表示例を示す図である。  図８６は、拡大映像表示部の推移（３）の表示例を示す図である。  図８７は、拡大映像表示部の推移（４）の表示例を示す図である。  図８８は、拡大映像表示部の推移（５）の表示例を示す図である。  図８９は、拡大映像表示部の推移（６）の表示例を示す図である。  図９０は、拡大映像表示部の推移（７）の表示例を示す図である。  図９１は、拡大映像表示部の推移（８）の表示例を示す図である。  図９２は、拡大映像表示部の推移（９）の表示例を示す図である。  図９３は、拡大映像表示部の推移（１０）の表示例を示す図である。  図９４は、拡大映像表示部の推移（１１）の表示例を示す図である。  図９５は、拡大映像表示部の推移（１２）の表示例を示す図である。  図９６は、１ＧＯＰを構成するフレームごとの変化量を示す図である。  図９７は、１ＧＯＰを構成するフレームごとの表示タイプを決定する方法を説明する図である。  図９８は、描画間隔の緻密化を説明する図である。  図９９は、再生時間差に対応する画像間の描写の緻密化（１）を示す図である。  図１００は、再生時間差に対応する画像間の描写の緻密化（２）を示す図である。  図１０１は、第２の実施の形態における再生映像の表示方法の説明に供する略線図である。  図１０２は、映像表示部拡大表示処理手順を示すフローチャートである。  図１０３は、他の実施の形態における低速再生時の映像表示部の移動の説明に供する略線図である。  図１０４は、従来の編集画面の構成例を示す略線図である。
【符号の説明】
【０００６】  １、９０……編集システム、２……編集装置、２２……記憶装置、３……マイクロプロセッサ、４……ＧＰＵ、５……ＸＤＲ−ＲＡＭ、３７……操作コントローラ、３８……マウス、３９……キーボード、４０……ディスプレイ、４１……スピーカ、５０……編集画面、５５……表示部、Ｗ５７１〜Ｗ５７ｎ……映像表示部、５８……螺旋映像表示部群、ＩＭ１……サブ３Ｄ空間画像、ＣＡ１……キャラクタ
【発明を実施するための最良の形態】
【０００７】  以下図面について、本発明の一実施の形態を詳述する。（１）本実施の形態による編集システムの構成  図１に示すように、１は全体として本実施の形態による編集システムを示し、大きく分けて編集装置２、記憶装置２２及び複数台のビデオテープレコーダ２３１〜２３ｎ等から構成されている。  この編集システム１においは、ビデオテープに記録された映像音声の一部又は全部をクリップとして、編集装置２を介してＲＡＩＤ（Ｒｅ−ｄｕｎｄａｎｔ  Ａｒｒａｙｓ  ｏｆ  Ｉｎｄｅｐｅｎｄｅｎｔ  Ｄｉｓｋｓ）でなる大容量の記憶装置２２に取り込み得るようになされている。  またこの編集システム１では、記憶装置２２に取り込まれたクリップを所望状態につなぎ合わせて所望の編集映像音声を得るための編集内容を規定した編集リストを作成でき、さらにこの作成した編集リストに従って実際に編集処理を実行し、その結果得られた編集映像及び編集音声を記憶装置２２に蓄積したり、ビデオテープレコーダ２３１〜２３ｎを介してビデオテープに記録し得るようになされている。  この場合、編集装置１においては、マイクロプロセッサ３に対してＧＰＵ４、ＸＤＲ（Ｅｘｔｒｅｍｅ  Ｄａｔａ  Ｒａｔｅ）−ＲＡＭ５及びサウスブリッジ６が接続されると共に、当該サウスブリッジ６にハードディスク装置７、ＵＳＢインタフェース８及びサウンド入出力コーデック９が接続されている。このサウンド入出力コーデック９にはスピーカ４１が接続されている。  またサウスブリッジ６には、ＰＣＩバス１５を介してマウス３８、キーボード３９、ビデオテープレコーダ２３１〜２３ｎ、記憶装置２２及び操作コントローラ３７が接続されている。なおＧＰＵ４にはディスプレイ４０が接続されている。  ところでマイクロプロセッサ３は、ＯＳ（Ｏｐｅｒａｔｉｎｇ  Ｓｙｓｔｅｍ）等の基本プログラムを実行する汎用のメインＣＰＵコア３Ｍと、当該メインＣＰＵコア３Ｍに内部バス１２を介して接続された複数（この場合８個）のＲＩＳＣ（Ｒｅｄｕｃｅｄ  Ｉｎｓｔｒｕｃｔｉｏｎ  Ｓｅｔ  Ｃｏｍｐｕｔｅｒ）タイプの信号処理プロセッサ（以下、これをサブＣＰＵコアと呼ぶ）３ＳＡ〜３ＳＨと、例えば２５６［ＭＢｙｔｅ］の容量を持つＸＤＲ−ＲＡＭ５に対するメモリコントロールを行うメモリコントローラ１３と、サウスブリッジ６との間でデータの入出力を管理するＩ／Ｏ（Ｉｎ／Ｏｕｔ）コントローラ１４とが１チップに集積されたマルチコア構成でなり、例えば動作周波数４［ＧＨｚ］を可能としている。  この編集装置１のマイクロプロセッサ３は、主にＭＰＥＧデコーダ、ＪＰＥＧ２０００、Ｈ．２６４／ＡＶＣ（Ａｄｖａｎｃｅｄ  Ｖｉｄｅｏ  Ｃｏｄｉｎｇ）等のコーデックの役割を担い、デコードした結果得られる再生映像をＧＰＵ４へデータ転送したり、再生速度ｖ（後述する）等の設定を変更したり、或いは物理演算等を行うようになされている。  特にマイクロプロセッサ３は、８個のサブＣＰＵコア３ＳＡ〜３ＳＨがデコーダの役割をそれぞれ担い、当該８個のサブＣＰＵコア３ＳＡ〜３ＳＨがＨＤ（Ｈｉｇｈ  Ｄｅｆｉｎｉｔｉｏｎ）の再生映像を同時並列的にデコードすることが可能である。  またメインＣＰＵコア３Ｍは、８個のサブＣＰＵコア３ＳＡ〜３ＳＨ��行う以外の処理や管理を行うようになされており、サウスブリッジ６を介してマウス３８、キーボード３９或いは操作コントローラ３７から供給された命令を受け付け、当該命令に応じた種々の処理を実行する。  このようにマイクロプロセッサ３は、８個のサブＣＰＵコア３ＳＡ〜３ＳＨによって同時並列的に再生映像をデコードすることができるようになされており、かつマイクロプロセッサ３とＧＰＵ４との間を帯域幅の大きなバス１０により例えば最大３０［Ｇｂｙｔｅ／ｓｅｃ］の転送速度でデータ転送し得るようになされているため、多くの枚数の高精細な再生画像をデコードして短時間にデータ転送し得るようになされている。  因みに、この場合８個のサブＣＰＵコア３ＳＡ〜３ＳＨでは、例えば同時に２枚のＨＤの再生映像をそれぞれデコードすることが可能であり、すなわちマイクロプロセッサ３からＧＰＵ４へは一度に１６枚（この場合）もの高精細な再生画像を高速転送することができる。但し、８個のサブＣＰＵコア３ＳＡ〜３ＳＨが同時にデコード可能なＨＤの枚数としてはこれに限るものではなく、更に多くの枚数の再生映像をデコードすることが可能である。  一方ＧＰＵ４は、ディスプレイ４０に表示する再生映像を動かすときのテクスチャの張り込みなどに関する最終的なレンダリング処理に加えて、座標変換計算処理や、再生映像の拡大・縮小処理等を行う機能を司り、マイクロプロセッサ３の処理負担を軽減させるようになされている。  実際上、マイクロプロセッサ３は、起動時、ハードディスク装置７に格納された制御プログラムに基づき、当該ハードディスク装置７に格納されている必要なソフトウェアを読み出してＸＤＲ−ＲＡＭ５に展開し、この後このソフトウェア及びオペレータ操作に基づいて必要な制御処理を実行する。  マイクロプロセッサ３は、マウス３８、キーボード３９或いは操作コントローラ３７が操作されて、ビデオテープに記録された映像音声を記憶装置２２に取り込むためのクリップ取込みウィンドウの表示命令が入力されると、これに応動してハードディスク装置７を制御することにより、対応する画像データを読み出させる一方、これと併せてＧＰＵ４を制御することにより、この画像データに基づく上述のクリップ取込みウィンドウをディスプレイ４０に表示させる。  またマイクロプロセッサ３は、この状態でマウス３８、キーボード３９或いは操作コントローラ３７が操作されて、ビデオテープレコーダ２３１〜２３ｎに対する再生動作命令が入力されると、これに応動してビデオテープレコーダ２３１〜２３ｎを制御することにより、ビデオテープに記録された映像音声信号の再生動作を実行させる。  この結果このビデオテープレコーダ２３１〜２３ｎからは、当該ビデオテープレコーダ２３１〜２３ｎに装填されたビデオテープから再生された映像音声信号が出力され、そのうち映像信号がＰＣＩバス１５、サウスブリッジ６及びマイクロプロセッサ３を順次介してＧＰＵ４に与えられる。  ＧＰＵ４は、マイクロプロセッサ３の制御のもとに、供給される映像信号に対して所定の信号処理を施し、その結果得られた映像信号をディスプレイ４０に送出することにより、当該映像信号に基づく映像をクリップ取込みウィンドウ内の所定位置に表���させる。一方、マイクロプロセッサ３は、このとき映像音声信号から抽出した音声信号をサウンド入出力コーデック９を介してスピーカ４１へ送出することにより、当該音声信号に基づく音声をスピーカ４１から出力させる。  かくしてオペレータは、ディスプレイ４０に表示された映像及びスピーカ４１から出力される音声に基づいて、マウス３８、キーボード３９或いは操作コントローラ３７を用いて映像及び音声の所望部分を指定することができ、さらにその映像音声部分をクリップとしてそのイン点及びアウト点のタイムコードや素材長、クリップＩＤ、クリップ名、その映像音声の撮影日時、そのクリップの作成日時等の管理情報をメタデータとして登録することができる。そしてこのメタデータとして登録されたそのクリップの管理情報が、マイクロプロセッサ３の制御のもとに、ハードディスク装置７内のクリップ管理情報データベースに登録される。  またマイクロプロセッサ３は、この後マウス３８、キーボード３９或いは操作コントローラ３７が操作されて、そのクリップの取込み命令が入力されると、これに応動してビデオテープレコーダ２３１〜２３ｎを制御することにより、指定されたクリップの映像音声の再生動作を実行させる。  この結果、ビデオテープレコーダ２３１〜２３ｎからは、ビデオテープから再生されたそのクリップの映像音声信号が出力され、そのうち映像信号がＰＣＩバス１５、サウスブリッジ６、マイクロプロセッサ３及びバス１０を順次介してＧＰＵ４に与えられる。またマイクロプロセッサ３は、これと併せてＧＰＵ４及び記憶装置２２を制御することにより、ビデオテープレコーダ２３１〜２３ｎから与えられる、かかるクリップの映像音声信号をＧＰＵ４を介して記憶装置２２に格納する。  このようにしてこの編集システム１においては、指定されたクリップの映像音声をビデオテープから再生して記憶装置２２に取り込むことができるようになされている。  一方、オペレータは、この後マウス３８、キーボード３９或いは操作コントローラ３７を用いた所定操作により編集作業を行うための編集画面（後述する）をディスプレイ４０に表示させることができ、この編集画面を用いてどのクリップとどのクリップとをどのように繋ぎ合わせるかといった編集内容を規定した編集リストを作成することができる。またオペレータは、編集リストの作成後又は作成途中において、その編集リストに基づく編集映像及び編集音声を確認することができるようになされている。  そしてマイクロプロセッサ３は、編集リストが作成された後マウス３８が操作されてその編集リストの登録命令が入力された場合には、その編集リストにおいて規定された全てのオペレータによる設定の編集データをファイル化してハードディスク装置７内の編集リストデータベースに登録する。  またマイクロプロセッサ３は、編集リストの作成後又は作成途中において、マウス３８、キーボード３９或いは操作コントローラ３７が操作されて、その編集リストに基づく編集映像音声の再生命令が入力されると、これに応動して記憶装置２２を制御することにより、必要なクリップの映像音声信号を記憶装置２２に読み出させる。  かくしてこの記憶装置２２から読み出された映像音声信号のうち映像信号がＰＣＩバス１５、サウスブリッジ６、マイクロプロセッサ３及びバス１０を順次介してＧＰＵ４に与えられ、この後マイクロプロセッサ３の制御のもとに、当該ＧＰＵ４において必要に応じて映像特殊効果加工処理が施される。  そしてＧＰＵ４は、マイクロプロセッサ３の制御のもとに、供給される映像信号に対して映像特殊効果加工処理を施すことにより得られた編集映像信号に対して所定の信号処理を施し、その結果得られた映像信号をディスプレイ４０へ送出する。  一方、マイクロプロセッサ３は、映像音声信号のうち音声信号に対して音声ミキシング処理を施し、その結果得られた編集音声信号をサウンド入出力コーデック９を介してスピーカ４１へ送出する。  この結果、編集画面内の所定位置に編集映像が表示され、スピーカ４１から編集音声が出力される。このようにしてこの編集システム１においては、オペレータが編集リストに基づく編集映像及び編集音声を確認しながら編集作業を行うことができる。  さらにマイクロプロセッサ３は、編集リストが作成された後、マウス３８、キーボード３９或いは操作コントローラ３７が操作されてその実行命令が入力されると、これに応動して記憶装置２２を制御することにより、編集処理に利用するクリップの映像音声信号を記憶装置２２から読み出させてＰＣＩバス１５、サウスブリッジ６及びバス１０を介してＧＰＵ４へ送出させる。  そしてこのときＧＰＵ４は、マイクロプロセッサ３の制御のもとに、上述の再生モード時と同様にして、供給される各クリップの映像音声信号に対して必要に応じて特殊効果加工処理や音声ミキシング処理を施す一方、その結果得られた編集映像信号をバス１０、マイクロプロセッサ３、サウスブリッジ６及びＰＣＩバス１５を順次介して記憶装置２２又は対応するビデオテープレコーダ２３１〜２３ｎへ送出する。  かくして記憶装置２２は、マイクロプロセッサ３の制御のもとに、供給される編集映像信号を指定されたアドレス位置に記憶する。またビデオテープレコーダ２３１〜２３ｎは、マイクロプロセッサ３の制御のもとに、供給される編集映像信号をビデオテープの指定された位置に記録する。  このようにしてこの編集システム１においては、予め作成した編集データに従って、指定されたクリップの映像音声を指定された状態に編集加工して記憶装置２２に蓄積したり、ビデオテープに記録したりすることができるようになされている。  従って編集システム１では、編集装置２のマイクロプロセッサ３及びＧＰＵ４により、ディスプレイ４０に表示した編集画面の再生映像に対して、特殊効果の施された映像表示を実行し得ると共に、種々の拡張操作や編集処理を実行し得るようになされている。  ところで、マイクロプロセッサ３における８個のサブＣＰＵコア３ＳＡ〜３ＳＨで同時並列的にデコードされた複数の再生映像は、バス１０を介してＧＰＵ４へデータ転送されるのだが、このときの転送速度は例えば最大３０［Ｇｂｙｔｅ／ｓｅｃ］であり、特殊効果の施された複雑な再生映像であっても高速かつ滑らかに表示し得るようになされている。（２）編集画面における操作手順（２−１）編集画面における再生映像の表示方法  ここでマイクロプロセッサ３は、マウス３８、キーボード３９或い���操作コントローラ３７が操作されて編集画面を表示すべき命令が入力されると、ハードディスク装置７及びＧＰＵ４を制御することにより、図２に示すような編集画面５０をディスプレイ４０に表示させる。  この編集画面５０は、図１０４について上述した編集画面２００１のクリップ一覧表示部２００２、ストーリーボード部２００４、タイムライン部２００５及びエフェクト情報表示部２００６Ａ〜２００６Ｃとそれぞれ同様の機能を有するクリップ一覧表示部５１、ストーリーボード部５２、タイムライン部５３及びエフェクト情報表示部５４と、この編集画面５０に固有の機能を有する表示部５５とから構成される。なお、編集画面５０の場合、後述のように編集作業は主として表示部５５を用いて行われるため、ストーリーボード部５２及びタイムライン部５３は補助的に設けられている。  そしてマイクロプロセッサ３は、編集画面５０の表示部５５に対して、図３に示すように、例えば一連の流れをもった動画像でなるクリップの再生映像を表示するのに適した複数の映像表示部Ｗ５７１〜Ｗ５７ｎを、画面の奥行き方向（以下、これを奥側と呼ぶ）から手前の正面方向（以下、これを手前側と呼ぶ）へ向けて渦巻き状に順次配置することにより構成される螺旋映像表示部群５８を表示し得るようになされている。  この場合において、螺旋映像表示部群５８の各映像表示部Ｗ５７１〜Ｗ５７ｎは、画面の最も手前側に位置する映像表示部Ｗ５７ｎを基準映像表示部として最も大きく、ここから渦巻き状に画面の奥側へ進むにつれて徐々に小さくなると共に互いの間隔が狭められるように配置され、かつ手前側の映像表示部Ｗ５７とその後に位置する映像表示部Ｗ５７とが重なる部分では後側の映像表示部Ｗ５７が手前側の映像表示部Ｗ５７によって隠れるように表示される。  但し、螺旋映像表示部群５８の各映像表示部Ｗ５７１〜Ｗ５７ｎにおいては、半透明の再生映像がそれぞれ表示されるようになされており、例えば最も手前側の映像表示部Ｗ５７ｎによって隠される後側の映像表示部Ｗ５７ｍの一部分（破線で示す部分）についても透けた状態でオペレータに目視確認させ得るようになされている。  なお、この場合のマイクロプロセッサ３は、ハードディスク装置７から複数の映像表示部Ｗ５７１〜Ｗ５７ｎの表示サイズ及び表示部５５（図２）上における表示位置を含む表示情報を取得し、この表示情報に基づいてＧＰＵ４により画像処理を施すことによって当該複数の映像表示部Ｗ５７１〜Ｗ５７ｎに表示すべき表示映像データをそれぞれ生成するようになされている。因みに、複数の映像表示部Ｗ５７１〜Ｗ５７ｎが画面上に配置される表示位置は原則として固定されたものであり、視線対象の各映像表示部Ｗ５７１〜Ｗ５７ｎの位置が変化しない分だけオペレータの視線がぶれることがなく視認性が格段的に向上されている。  そしてこの編集画面５０（図２）では、例えばクリップ一覧表示部５１に一覧表示されたクリップの中からオペレータ所望のクリップがドラッグアンドドロップ操作に応じて表示部５５内に移動され、その後、表示部５５の左下隅に表示された再生ボタン５６がクリックされたことをマイクロプロセッサ３が認識すると、当該マイクロプロセッサ３は図４に示すように、���の螺旋映像表示部群５８における各映像表示部Ｗ５７１〜Ｗ５７ｎの画面奥側に位置する映像表示部Ｗ５７１から、その手前側に隣接する映像表示部Ｗ５７２、Ｗ５７３、……、Ｗ５７ｍ、Ｗ５７ｎに対して、図５に示すような、予め設定された所定の等間隔でなる時間差（以下、この時間を再生時間差と呼ぶ）ΔＴをもって順次再生し、そのクリップの再生映像を順番に表示するようになされている。  つまり、最初に最も奥側の映像表示部Ｗ５７１にそのクリップの再生映像が先頭から表示され、その後、再生時間差ΔＴ分の時間経過後に一つ手前側に位置する次の映像表示部Ｗ５７２にそのクリップの再生映像が先頭から表示され、さらにその後当該再生時間差ΔＴ分の時間経過後にその一つ手前側に位置する次の映像表示部Ｗ５７３にその再生映像が先頭から表示され、……というように、そのクリップの再生映像が、かかる等間隔の再生時間差ΔＴをもって各映像表示部Ｗ５７１〜Ｗ５７ｎに矢印ａ（図４）方向の時系列の流れとして順次表示されることとなる。  従ってマイクロプロセッサ３は、複数の映像表示部Ｗ５７１〜Ｗ５７ｎ間において、それぞれ動画像の状態で再生時間差ΔＴ分の時間差を設けながら、複数の映像表示部Ｗ５７１〜Ｗ５７ｎが表示順に連携した螺旋映像表示部群５８として、そのクリップの再生映像を順次連動表示させ得るようになされている。  従って、螺旋映像表示部群５８における複数の映像表示部Ｗ５７１〜Ｗ５７ｎを目視確認しているオペレータにとっては、画面の奥側から手前側へ向かって再生時間差ΔＴの時間差が設けられて表示される再生映像により、あたかも映像表示部Ｗ５７１〜Ｗ５７ｎが螺旋の中心から迫ってくるかのような印象を受けると共に、複数の映像表示部Ｗ５７１〜Ｗ５７ｎに表示される再生映像の進行としては画面手前側よりも奥側の方が進んでいるため、あたかもオペレータ自身が螺旋の中心を画面奥側へ進んでいるかのような印象を受けるようになされている。  これにより編集装置２では、螺旋映像表示部群５８を構成する複数の映像表示部Ｗ５７１〜Ｗ５７ｎのうち映像表示部Ｗ５７１に表示された所望シーンをオペレータが見失うことがあっても、画面の手前側に後から順次現れる映像表示部Ｗ５７２以降にもその所望シーンを必ず表示することになるので、画探しのために映像表示部Ｗ５７１〜Ｗ５７ｎの再生映像を巻き戻させるような煩雑な操作をオペレータに強いることなく、オペレータをただ待たせてさえいれば良く、画探し作業や編集作業を一段と容易化させ得るようになされている。  また図６に示すように螺旋映像表示部群５８を構成する各映像表示部Ｗ５７１〜Ｗ５７ｎにそれぞれ表示されるクリップは、予め設定された画像更新速度、すなわち再生速度ｖにより再生映像が表示される。従って、かかる再生速度ｖの設定値が大きい場合には、これに応じて各映像表示部Ｗ５７１〜Ｗ５７ｎに等速度で高速再生された再生映像がそれぞれ表示され、当該設定された再生速度ｖが遅い場合には、これに応じて各映像表示部Ｗ５７１〜Ｗ５７ｎに等速度でスロー再生された再生映像がそれぞれ表示されることとなる。  特に、螺旋映像表示部群５８（図３）では、各映像表示部Ｗ５７１〜Ｗ５７ｎ間に再生時間差ΔＴの時間差が設けられ��状態で再生映像が表示されることになるため、螺旋映像表示部群５８の螺旋を構成している各映像表示部Ｗ５７１〜Ｗ５７ｎの所定間隔毎にタイムコード通知枠ＴＣ１〜ＴＣ４を表示し、各映像表示部Ｗ５７１〜Ｗ５７ｎにおける再生映像の再生経過時間をオペレータに提示して当該オペレータによる画探し作業及び編集作業を補助するようになされている。因みに、編集装置２では、タイムコード枠通知ＴＣ１〜ＴＣ４を全ての各映像表示部Ｗ５７１〜Ｗ５７ｎに対して表示することも可能であり、オペレータにとって不要なときは一切表示しないように選択することもできるようになされている。  なお、これら再生時間差ΔＴ及び再生速度ｖの初期値は、表示部５５の上部に表示されたツールバー５９における「設定」がクリックされたことに応じて表示される図示しないコンテキストメニューの中から「再生時間差・再生速度」をオペレータが選択したときに表示される図７に示すような再生時間差・再生速度設定ダイアログ６０を用いて設定することができる。  実際上、かかる再生時間差ΔＴ及び再生速度ｖの初期値をオペレータが設定する場合には、これら再生時間差ΔＴ及び再生速度ｖにそれぞれ対応させてこの再生時間差・再生速度設定ダイアログ６０に設けられた各テキストボックス６１、６２内の数値を、例えば対応するアップダウンキー６３Ａ、６３Ｂ、６４Ａ、６４Ｂをクリック操作し、又はキーボード３９を用いて所望する数値を直接入力するようにして変更した後に、「ＯＫ」ボタン６５をクリックすれば良く、このときこれらテキストボックス６１、６２内に表示されていた数値が、それぞれかかる再生時間差ΔＴ及び再生速度ｖの初期値として設定される。  これによりこの編集装置２のマイクロプロセッサ３においては、例えば各映像表示部Ｗ５７１〜Ｗ５７ｎにそれぞれ表示する再生映像の再生時間差ΔＴを小さくし、かつこれら再生映像の再生速度ｖを遅く設定することによって、クリップの狭い範囲の映像を当該螺旋映像表示部群５８として表示させることができ、また各映像表示部Ｗ５７１〜Ｗ５７ｎにそれぞれ表示する再生映像の再生時間差ΔＴを大きく、かつこれら再生映像の再生速度ｖを遅く設定することによって、クリップの広い範囲の映像を当該螺旋映像表示部群５８として表示させ得るようになされている。  実際上、図６に示したような螺旋映像表示部群５８の各映像表示部Ｗ５７１〜Ｗ５７ｎに表示される再生映像は、再生速度ｖが変更されることに応じて可変速表示され、また再生時間差ΔＴ分が変更されることに応じて任意の時間間隔で時間差表示されることになるため、全体としては太矢印ＳＴ１に示すような画面中央の奥側から手前側へ渦巻き状に可変速表示された状態で連動表示される。  この場合、螺旋映像表示部群５８の各映像表示部Ｗ５７１〜Ｗ５７ｎでは、画面中央の最も奥側に存在する映像表示部Ｗ５７１に対して最も時間的に進んだタイミングの再生映像が表示されることになり、最も手前側に存在する映像表示部Ｗ５７ｎに対して最も時間的に遅れたタイミングの再生映像が表示されることになるため、時系列順に画面の奥側から手前側へ向かう進行方向に沿って螺旋状に流れるような映像表示が行われていることをオペレータに対して直感的に認��させ得るようになされている。  また図８に示すように、各映像表示部Ｗ５７１〜Ｗ５７ｎに表示される再生映像としては、再生速度−ｖと設定された場合、逆戻り方法に可変速表示され、また再生時間差ΔＴ分が変更されることに応じて任意の時間間隔で時間差表示されることになるため、全体としては太矢印ＳＴ２に示すような画面の手前側から奥側へ向かって螺旋状に流れるように可変速表示された状態で連動表示される。  さらにこの編集画面５０では、表示部５５内に既に１又は複数の螺旋映像表示部群５８が表示されている状態において、編集装置２はクリップ一覧表示部５１に表示された他のクリップが表示部５５内にドラッグアンドドロップされたことに応じて、表示部５５内にそれまで表示されていた１又は複数の螺旋映像表示部群５８に加え、その新たにドラッグアンドドロップされたクリップに対応する螺旋映像表示部群５８を表示部５５内に表示させることができる。  逆に、編集画面５０では、表示部５５内に既に１又は複数の螺旋映像表示部群５８が表示されている状態において、編集装置２は表示部５５内の１又は複数の螺旋映像表示部群５８が選択されてクリップ一覧表示部５１にドラッグアンドドロップされたことに応じて、それまで表示部５５内に表示されていた１又は複数の螺旋映像表示部群５８から、選択した１又は複数の螺旋映像表示部群５８を削除することもできる。あるいは、編集装置２は、オペレータが表示部５５内の１又は複数の螺旋映像表示部群５８を選択して、Ｄｅｌｅｔｅキーを押すことによっても、１又は複数の螺旋映像表示部群５８を削除することができる。  そして編集装置２は、表示部５５に複数の螺旋映像表示部群５８を表示させた場合に、マウス操作により１つの螺旋映像表示部群５８が選択された後に、オペレータによる再生ボタン５６に対するクリック操作に応じて、その螺旋映像表示部群５８の各映像表示部Ｗ５７１〜Ｗ５７ｎにそれぞれ対応したクリップの再生映像をそれぞれのタイミングで表示させることができる。なお、この場合における上述の再生時間差ΔＴ及び再生速度ｖの初期値は、いずれも上述の再生時間差・再生速度設定ダイアログ６０を用いて設定された値となる。  ところで、このような編集システム１における編集装置２のマイクロプロセッサ３に設けられた８個のサブＣＰＵコア３ＳＡ〜３ＳＨを用いて同時並列的にデコード処理を行う並列デコード処理手順を次に説明する。  図９に示すように編集装置２のマイクロプロセッサ３は、ルーチンＲＴ１の開始ステップから入って、続くステップＳＰ１へ移り、マウス３８やキーボード３９から入力された制御信号をサウスブリッジ６を介してマイクロプロセッサ３に取り込み、当該制御信号をメインＣＰＵコア３Ｍで認識すると、次のステップＳＰ２へ移る。  ステップＳＰ２において編集装置２のマイクロプロセッサ３は、ステップＳＰ１で認識した制御信号が映像表示部Ｗ５７１〜Ｗ５７ｎに表示すべきクリップを特定する命令であったとき、各映像表示部Ｗ５７１〜Ｗ５７ｎに表示するクリップの描画ループをメインＣＰＵコア３Ｍで設定し、次のステップＳＰ３へ移る。  ステップＳＰ３において編集装置２のマイクロプロセッサ３は、当該クリップに対応した再生映像、表示位置、表示サイズ等の各種物理演算をメインＣＰＵコア３Ｍで行い、次のステップＳＰ４へ移る。  ステップＳＰ４において編集装置２のマイクロプロセッサ３は、メインＣＰＵコア３Ｍで描画ループを構成すべきクリップの再生映像のフレーム位置計算を行うと共に、各映像表示部Ｗ５７１〜Ｗ５７ｎに表示するクリップの再生映像を何れのサブＣＰＵコア３ＳＡ〜３ＳＨでデコードさせるかの担当をメインＣＰＵコア３Ｍにより割り当て、次のステップＳＰ５へ移る。  ステップＳＰ５において編集装置２のマイクロプロセッサ３は、記憶装置２２から再生映像の出力に必要なフレームを読み出し、ステップＳＰ４で割り当てたサブＣＰＵコア３ＳＡ〜３ＳＨへ分配し、次のステップＳＰ６へ移る。  ステップＳＰ６において編集装置２のマイクロプロセッサ３は、デコーダとしての役割を担う８個のサブＣＰＵコア３ＳＡ〜３ＳＨにより、ステップＳＰ５で分配されたフレームを同時並列的にデコードし、次のステップＳＰ７へ移る。  ステップＳＰ７において編集装置２のマイクロプロセッサ３は、メインＣＰＵコア３Ｍにより、ステップＳＰ６でデコードされた複数の再生映像を、表示部５５の画面上に表示すべき位置やサイズを示した表示情報（表示サイズ及び表示位置）と共にＧＰＵ４へ高速データ転送し、次のステップＳＰ８へ移る。  ステップＳＰ８において編集装置２のマイクロプロセッサ３は、ＧＰＵ４により、メインＣＰＵコア３Ｍからデータ転送された複数の再生映像を表示情報（表示サイズ及び表示位置）に従って各映像表示部Ｗ５７１〜Ｗ５７ｎの所定位置に貼り付けて表示し、次のステップＳＰ９へ移って処理を終了する。  このように編集装置２のマイクロプロセッサ３では、８個のサブＣＰＵコア３ＳＡ〜３ＳＨが各映像表示部Ｗ５７１〜Ｗ５７ｎに表示する再生映像のデコーダとしての役割をそれぞれ担って同時並列的にデコードし、そのデコードされた再生映像を帯域幅の大きなバス１０により例えば最大３０［Ｇｂｙｔｅ／ｓｅｃ］の転送速度でＧＰＵ４へ高速データ転送し得るようになされている。  これにより編集装置２のマイクロプロセッサ３では、多くの枚数の高精細な再生画像をデコードして短時間にＧＰＵ４へデータ転送することができ、かくして複数の映像表示部Ｗ５７１〜Ｗ５７ｎ間において動画像の状態で時間差を設けながら表示順に連携した螺旋映像表示部群５８として表示部５５にレスポンス良く滑らかに連動表示させ得るようになされている。  一方、編集画面５０（図２）では、表示部５５の上部に表示されたツールバー５９の「設定」がクリックされ、かくして表示される図示しないコンテキストメニューの中から「音声出力モード」が選択されたことに応じて、メインプロセッサ３はクリップの再生映像を表示部５５に表示しているときの音声出力モードとして、例えば「メイン音声出力モード」及び「全音声出力モード」のうちのいずれか１つを設定することができる。  そして音声出力モードとして「メイン音声出力モード」が設定されたときには、そのとき操作している螺旋映像表示部群５８の最も手前側に位置する映像表示部Ｗ５７ｎに表示された再生映像に付随する再生音声のみがスピーカ４１から出力され、「全音声出力モード」が設定されたときには、画面の最も手前側に位置する映像表示部Ｗ５７ｎから離れた映像表示部Ｗ５７ｍ、……、Ｗ５７１に表示された再生映像の音声ほど小さい音量となるように音量調整された状態で、その螺旋映像表示部群５８の各映像表示部Ｗ５７１〜Ｗ５７ｎにそれぞれ表示された再生映像に付随する全ての再生音声がスピーカ４１から出力される。  ただし、音声出力モードとして「全音声出力モード」が設定された場合において、各映像表示部Ｗ５７１〜Ｗ５７ｎにそれぞれ表示された再生映像同士の再生時間差ΔＴが大きくなった場合や、シーンチェンジを検出した場合など、予め定められた音混ざりが予測される所定の場合には、画面最も手前側に位置する映像表示部Ｗ５７ｎ及びその近傍数個の映像表示部Ｗ５７ｍ、……、に表示された各再生映像の音声のみをスピーカ４１から出力するように自動的に出力音声が調整される。これによりマイクロプロセッサ３は、「全音声出力モード」時においてもオペレータにとって聴取し易い良好な状態で音声を出力し得るようになされている。（２−２）編集画面における再生映像の表示に関するマイクロプロセッサの処理  ここでマイクロプロセッサ３は、上述のような螺旋映像表示部群５８の各映像表示部Ｗ５７１〜Ｗ５７ｎに対する再生映像の表示や再生音声の出力に関する各種処理を、ハードディスク装置７（図１）に格納された制御プログラムに基づき、図１０に示す再生処理手順ＲＴ２に従って実行するようになされている。  すなわちマイクロプロセッサ３は、編集画面５０のクリップ一覧表示部５１から１つのクリップが表示部５５にドラッグアンドドロップされた後に再生ボタン５６がクリック（表示部５５に複数の螺旋映像表示部群５８が表示されている場合には、１つの螺旋映像表示部群５８が選択されて再生ボタン５６がクリック）されると、この再生処理手順ＲＴ２から入り、次のステップＳＰ１１において、その螺旋映像表示部群５８に対応するクリップのクリップＩＤを確認する。  続いてステップＳＰ１２においてマイクロプロセッサ３は、そのとき設定されている再生映像の再生速度ｖ（又は−ｖ）及び再生時間差ΔＴの各初期値と、音声出力モードの設定内容とをそれぞれ確認し、その後次のステップＳＰ１３へ移って、マウス３８、キーボード３９或いは操作コントローラ３７により決定された再生映像の再生速度ｖ（又は−ｖ）及び再生時間差ΔＴ並びに表示形態を確認する。  このときステップＳＰ１４においてマイクロプロセッサ３は、停止操作あるいはクリップのストリームが終了しているか否かを判定し、肯定結果が得られると次のステップＳＰ１０へ移って螺旋映像表示部群５８の各映像表示部Ｗ５７１〜Ｗ５７ｎに対する更新処理を中止し、否定結果が得られると次のステップＳＰ１５へ移る。  ステップＳＰ１５においてマイクロプロセッサ３は、その螺旋映像表示部群５８の各映像表示部Ｗ５７１〜Ｗ５７ｎにそれぞれ表示すべき再生映像の表示位置及びその大きさと、これら再生映像に付随する各再生音声の出力音量とをそれぞれ計算する。  そしてマイクロプロセッサ３は、この後ステップＳＰ１６へ移って、ステップＳＰ１１で確認したクリップのクリップＩＤに基づいて記憶装置２２を制御することにより、そのクリップ���映像音声信号をステップＳＰ１２で確認したそのとき設定されている再生速度ｖで読み出し、必要に応じてその映像音声信号を復号し、当該映像音声信号のうちの再生映像に関してはステップＳＰ１５において計算した表示位置及び大きさで表示させるための映像信号を生成した後、ＧＰＵ４内のメモリに一時的に蓄積する。  さらにマイクロプロセッサ３は、この映像信号に対応した再生映像に付随する再生音声の音声信号を、ステップＳＰ１５においてその再生映像について算出した出力音量の音量レベルで生成し、その音声信号をサウンド入出力コーデック９内のメモリに一時的に蓄積する。  ステップＳＰ１７においてマイクロプロセッサ３は、全ての映像表示部Ｗ５７１〜Ｗ５７ｎに出力するのに必要な再生映像及び再生音声が準備できたか否かを判断し、否定結果が得られた場合にはステップＳＰ１６へ戻り、肯定結果が得られた場合には次のステップＳＰ１８へ移る。  ステップＳＰ１８においてマイクロプロセッサ３は、各映像表示部Ｗ５７１〜Ｗ５７ｎにおける画面表示周期時間（再生時間差ΔＴ）の経過を監視し、当該画面表示周期時間が経過した場合には次のステップＳＰ１９へ移って各映像表示部Ｗ５７１〜Ｗ５７ｎに対して再生映像を出力することにより螺旋映像表示部群５８を表示し、その再生映像に付随する再生音声を所定の音量でスピーカ４１から出力すると同時にステップＳＰ１３へ戻り、次の各映像表示部Ｗ５７１〜Ｗ５７ｎに対する再生映像音声の準備を行う。  なおマイクロプロセッサ３は、ステップＳＰ１６において、以前に再生したＧＰＵ４内のメモリに残っている再生映像の映像信号のうち再利用できるものがあれば使い、足りないもののみを生成し、当該生成した映像信号をＧＰＵ４内のメモリに蓄積されている古いデータから順に上書きしていくようになされている。（２−３）編集画面の表示部における各種操作方法  次に、編集画面５０の表示部５５における各種操作方法について説明する。（２−３−１）基本操作  編集装置２のマイクロプロセッサ３は、図１１に示すように編集画面５０の表示部５５において、螺旋映像表示部群５８内の各映像表示部Ｗ５７１〜Ｗ５７ｎにそれぞれ表示された再生映像のうちのそのとき所望のシーンを表示している例えば映像表示部Ｗ５７ｅがオペレータによりクリック（この場合、例えば最初に映像表示部Ｗ５７ｅがクリック）されたことに応じて、その映像表示部Ｗ５７ｅが編集操作に伴う編集位置に対応した再生映像であることを所定色に着色（図中はハッチングにより示す）して強調表示させ得るようになされている。  そしてマイクロプロセッサ３は、螺旋映像表示部群５８の各映像表示部Ｗ５７１〜Ｗ５７ｎに対する強調表示を、螺旋映像表示部群５８におけるそのシーンの流れ（再生映像の時系列の流れ）に従って、図１１及び図１２に示すように、再生時間差ΔＴをもって螺旋映像表示部群５８の映像表示部Ｗ５７ｅよりも画面の手前側に位置する映像表示部Ｗ５７ｈ、Ｗ５７ｊ、……、Ｗ５７ｎへと順次移動させるようになされている。  これによりオペレータは、この螺旋映像表示部群５８の各映像表示部Ｗ５７１〜Ｗ５７ｎにおける強調表示の流れに基づいて、かかる所望のシーンが現在どの映像表示部Ｗ５７１〜��５７ｎに表示されているかを瞬時に目視確認し得るようになされている。  すなわち螺旋映像表示部群５８の各映像表示部Ｗ５７１〜Ｗ５７ｎに対する強調表示は、オペレータが最初に着目した編集操作に伴う編集位置に対応するシーン（例えば映像表示部Ｗ５７ｅ）であり、それが移動したときであっても終始かかるシーンを再生しているときの各映像表示部Ｗ５７ｈ、…、Ｗ５７ｊ、…、Ｗ５７ｎへと変更しながら強調表示され続けることになるため、図１２の長い太矢印に示すように映像表示部Ｗ５７１〜Ｗ５７ｎに対して流れるような映像表示が行われるなかで、オペレータに対して最初に着目したシーンを強調表示により瞬時かつ直感的に認識させ得るようになされている。  なお、図１２の短い太矢印に示すように、例えばオペレータが最初に着目した編集操作に伴う編集位置に対応するシーンが映像表示部Ｗ５７ｈであったときは、そのオペレータが着目したシーンが強調表示されるので、オペレータに対してはそこから流れが始まるかのように印象付けさせることができるようになされている。  また編集装置２のマイクロプロセッサ３は、図１３（Ａ）に示すように、例えばキーボード３９における方向キー７０のうちの上方向に対応した「上（↑）」キー７０Ｕが押圧操作され（図１３（Ａ−１））、又はマウス３８の右ボタンが押圧操作された状態で、カーソル７１によって螺旋映像表示部群５８における各映像表示部Ｗ５７１〜Ｗ５７ｎの一部である例えば映像表示部Ｗ５７α〜Ｗ５７βに沿って（すなわち画面の奥側から手前側へ向かって）なぞるように当該カーソル７１を移動させる表示操作入力（図１３（Ａ−２））が行われると、そのクリップの映像表示速度を上げることができる。  この場合マイクロプロセッサ３は、マウス３８による表示操作入力に対応した表示状態変更情報をＰＣＩバス１５を介して取得し、当該表示状態変更情報の内容に応じてクリップの映像表示速度を上げるようになされている。  なお、ここで言う『クリップの映像表示速度を上げる』とは、その螺旋映像表示部群５８の各映像表示部Ｗ５７１〜Ｗ５７ｎにそれぞれ表示される再生映像の再生速度ｖが増加し、かつこれと連携して隣接する映像表示部Ｗ５７１〜Ｗ５７ｎ間における再生映像の再生時間差ΔＴが増加することを意味する。  そして、この「再生映像の表示速度」の変化の大きさは、そのときキーボード３９の「上（↑）」キー７０Ｕを押圧操作し又はマウス操作により螺旋映像表示部群５８の映像表示部Ｗ５７１〜Ｗ５７ｎ上をなぞったときの時間が長いほど大きくなる。つまりこの時間が長いほど、かかる再生速度ｖ及び再生時間差ΔＴが共により多く増加して、そのクリップの映像全体としての見た目（再生映像の各シーンの流れ）の表示速度が上がることとなる。  すなわち表示部５５では、キーボード３９の「上（↑）」キー７０Ｕが押圧操作され、マウス操作によりカーソル７１を介して螺旋映像表示部群５８の映像表示部Ｗ５７１〜Ｗ５７ｎ上をなぞられたときの時間が長いほど、螺旋映像表示部群５８の各映像表示部Ｗ５７１〜Ｗ５７ｎにそれぞれ表示される再生映像の表示加速度ＧＳ１を増加させ得るようになされている。因みに表示部５５では、時間を用いるのではなく、例えばキーボー���３９の「上（↑）」キー７０Ｕに対する押下回数が多いほど再生映像の表示加速度ＧＳ１を増加させるようにしても良い。  これに対して、編集装置２のマイクロプロセッサ３では、図１３（Ｂ）に示すように、例えばキーボード３９の方向キー７０のうちの下方向に対応した「下（↓）」キー７０Ｄが押圧操作され（図１１（Ｂ−１））、又はマウス３８の右ボタンが押圧操作された状態で、カーソル７１によって螺旋映像表示部群５８における各映像表示部Ｗ５７１〜Ｗ５７ｎの一部である例えば映像表示部Ｗ５７β〜Ｗ５７αに沿って（すなわち螺旋の手前側から奥側へ向かって）なぞるように当該カーソル７１を移動させる表示操作入力（図１３（Ｂ−２））が行われると、そのクリップの映像表示速度を下げることができる。  この場合マイクロプロセッサ３は、マウス３８による表示操作入力に対応した表示状態変更情報をＰＣＩバス１５を介して取得し、当該表示状態変更情報の内容に応じてクリップの映像表示速度を下げるようになされている。  なお、ここで言う『クリップの映像の表示速度を下げる』とは、その螺旋映像表示部群５８の各映像表示部Ｗ５７１〜Ｗ５７ｎにそれぞれ表示される再生映像の再生速度ｖが減少し、かつこれと連携して隣接する映像表示部Ｗ５７１〜Ｗ５７ｎ間における再生映像の再生時間差ΔＴが減少することを意味する。  そしてこの「再生映像の表示速度」の変化の大きさは、そのときキーボード３９の「下（↓）」キー７０Ｄを押圧操作し又はマウス操作により螺旋映像表示部群５８の各映像表示部Ｗ５７１〜Ｗ５７ｎ上をなぞったときの時間が長いほど大きくなる。つまりこの時間が長いほど、かかる再生速度ｖ及び再生時間差ΔＴが共に減少して、そのクリップの映像全体としての見た目の表示速度が下がることとなる。  すなわち表示部５５では、キーボード３９の「下（↓）」キー７０Ｄが押圧操作され、マウス操作によりカーソル７１を介して螺旋映像表示部群５８の各映像表示部Ｗ５７１〜Ｗ５７ｎ上をなぞられたときの時間が長いほど、螺旋映像表示部群５８内の各映像表示部Ｗ５７１〜Ｗ５７ｎにそれぞれ表示される再生映像の表示加速度ＧＳ２を減少させ得るようになされている。因みに表示部５５では、時間を用いるのではなく、例えばキーボード３９の「下（↓）」キー７０Ｄに対する押下回数が多いほど再生映像の表示加速度ＧＳ２を減少させるようにしても良い。  この場合において、かかる再生速度ｖや再生時間差ΔＴが「０」となった後は、その再生速度ｖ又は再生時間差ΔＴはさらに減少（すなわち、負方向に増加）する。従ってこの場合には、今まで螺旋映像表示部群５８において画面の奥側から手前側へ向かって流れていた再生映像の各シーンの流れが徐々に遅くなってやがて止まり、その後、螺旋の手前側から奥側へ向かって流れ始めてリバース再生に変わり、やがてその速度が次第に上がっていくように見えるようになる。  従って、螺旋映像表示部群５８における複数の映像表示部Ｗ５７１〜Ｗ５７ｎを目視確認しているオペレータにとっては、螺旋の手前側から奥側へ向かって再生時間差ΔＴの時間差が設けられて進行度合いが進む再生映像により、あたかも映像表示部Ｗ５７１〜Ｗ５７ｎによる再生映像が螺旋の中心へ逃げていくかのような、言い換えるとオペレータ自身が螺旋の中心から手前側へ後退していくかのような印象を受けるようになされている。  さらに編集装置２のマイクロプロセッサ３は、マウス３８の左ボタンが押圧操作された状態で、当該マウス操作に応動して編集画面５０の表示部５５上を自由に移動するように表示されるカーソル７１により螺旋映像表示部群５８の一部を例えば１秒以上同じ位置で押さえるように操作されたことに応じて、そのクリップの映像を停止させることができる。なお、ここで言う『クリップの映像を停止させる』とは、その螺旋映像表示部群５８の各映像表示部Ｗ５７１〜Ｗ５７ｎに、再生時間差ΔＴを保った状態で静止画像をそれぞれ表示させることをいう。（２−３−２）拡張操作（２−３−２−１）再生時間差及び再生速度の変更操作  一方、編集装置２のマイクロプロセッサ３は、上述のような基本操作のほか、キーボード３９の「シフト」キーが押圧操作されたまま、上述の『クリップの映像の表示速度を上げる』操作、つまりキーボード３９の方向キー７０の「上（↑）」キー７０Ｕが押圧操作され、又はマウス３８の右ボタンが押圧操作された状態で、カーソル７１によって螺旋映像表示部群５８に表示された再生映像の一部を、その螺旋映像表示部群５８における画面の奥側から手前側へ向かう流れに沿ってなぞるように当該カーソル７１が移動されたことに応じて、その螺旋映像表示部群５８の各映像表示部Ｗ５７１〜Ｗ５７ｎに表示された再生映像の再生速度ｖを固定としながら、隣接する映像表示部Ｗ５７１〜Ｗ５７ｎにそれぞれ表示される再生映像の再生時間差ΔＴを増加させることができる。  この場合マイクロプロセッサ３は、キーボード３９又はマウス３８による表示操作入力に対応した表示状態変更情報をＰＣＩバス１５を介して取得し、当該表示状態変更情報の内容に応じて各映像表示部Ｗ５７１〜Ｗ５７ｎに表示する再生映像の再生速度ｖを固定としながら、その再生映像の再生時間差ΔＴを増大させるようになされている。  このとき、互いに隣接する映像表示部Ｗ５７１〜Ｗ５７ｎにそれぞれ表示される再生映像の連続性は低くなるが、螺旋映像表示部群５８全体として、時間的に広い範囲の再生映像を表示させることができる。  これに対して編集装置２のマイクロプロセッサ３では、例えばキーボード３９の「シフト」キーが押圧操作されたまま、上述の『クリップの映像の表示速度を下げる』操作、つまりキーボード３９の方向キー７０の「下（↓）」キー７０Ｄが押圧操作され、又はマウス３８の右ボタンが押圧操作された状態で、カーソル７１によって螺旋映像表示部群５８に表示された再生映像の一部を、その螺旋映像表示部群５８における画面の奥側から手前側へ向かう流れに沿ってなぞるように当該カーソル７１が移動されたことに応じて、その螺旋映像表示部群５８の各映像表示部Ｗ５７１〜Ｗ５７ｎに表示された再生映像の再生速度ｖを固定としながら、隣接する映像表示部Ｗ５７１〜Ｗ５７ｎにそれぞれ表示される再生映像の再生時間差ΔＴを減少させることができる。  この場合マイクロプロセッサ３は、キーボード３９又はマウス３８による表示操作入力に対応した表示状態変更情報をＰＣＩバス１５を介して取得し、当該表示状態変更情報の内���に応じて再生映像の再生速度ｖを固定としながら、再生映像の再生時間差ΔＴを減少させるようになされている。  このとき螺旋映像表示部群５８全体としては、時間的に狭い範囲の再生映像が表示されることとなるが、その螺旋映像表示部群５８の各映像表示部Ｗ５７１〜Ｗ５７ｎに表示される再生映像の連続性は高く、同じシーンが短い再生時間差ΔＴをもってその螺旋映像表示部群５８内を画面の奥側から手前側へ流れるように各映像表示部Ｗ５７１〜Ｗ５７ｎに順次表示されるようになる。そして、この流れは、隣接する映像表示部Ｗ５７１〜Ｗ５７ｎにそれぞれ表示される再生映像の再生時間差ΔＴを減少させるほど速くなる。  また編集装置２のマイクロプロセッサ３では、例えばキーボード３９の「シフト」キー及び「ＡＬＴ」キーの双方が押圧操作されたまま、かかる『クリップの映像の表示速度を上げる』操作が行われたことに応じて、隣接する映像表示部Ｗ５７１〜Ｗ５７ｎにそれぞれ表示される再生映像の再生時間差ΔＴを固定としながら、その螺旋映像表示部群５８の各映像表示部Ｗ５７１〜Ｗ５７ｎに表示された再生映像の再生速度ｖを増大させることができる。  この場合もマイクロプロセッサ３は、キーボード３９又はマウス３８による表示操作入力に対応した表示状態変更情報をＰＣＩバス１５を介して取得し、当該表示状態変更情報の内容に応じて再生映像の再生時間差ΔＴを固定としながら、再生映像の再生速度ｖを増大させるようになされている。  この結果、螺旋映像表示部群５８にクリップ全体の映像から見て時間的に狭い範囲の再生映像を表示させたまま、その螺旋映像表示部群５８における再生映像の各シーンの流れを速くすることができる。なおこの場合には、互いに隣接する各映像表示部Ｗ５７１〜Ｗ５７ｎにそれぞれ表示される再生映像の連続性が高くなる。  これに対して編集装置２のマイクロプロセッサ３では、例えばキーボード３９の「シフト」キー及び「ＡＬＴ」キーの双方が押圧操作されたまま、かかる『クリップの映像の表示速度を下げる』操作が行われたことに応じて、互いに隣接する映像表示部Ｗ５７１〜Ｗ５７ｎにそれぞれ表示される再生映像の再生時間差ΔＴを固定としながら、その螺旋映像表示部群５８の各映像表示部Ｗ５７１〜Ｗ５７ｎに表示された再生映像の再生速度ｖを減少させることができる。  この場合もマイクロプロセッサ３は、キーボード３９又はマウス３８による表示操作入力に対応した表示状態変更情報をＰＣＩバス１５を介して取得し、当該表示状態変更情報の内容に応じて再生映像の再生時間差ΔＴを固定としながら、再生映像の再生速度ｖを減少させるようになされている。  この結果、マイクロプロセッサ３は、螺旋映像表示部群５８に対して、クリップ全体の映像から見て時間的に狭い範囲の再生映像を表示させたまま、その螺旋映像表示部群５８における再生映像の各シーンの流れを遅くすることができる。なおこの場合には、互いに隣接した各映像表示部Ｗ５７１〜Ｗ５７ｎにそれぞれ表示される再生映像の連続性が低くなる。（２−３−２−２）再生映像の瞬間送り又は戻し操作  一方、編集装置２のマイクロプロセッサ３では、図１４（Ａ）に示すように、キーボード３９の方向キー７０の「左（←）」キー７０Ｌが押圧���作され（図１４（Ａ−１））、又はマウス３８の左ボタンが押圧操作された状態で、１秒以内にカーソル７１によって螺旋映像表示部群５８に表示された再生映像の一部（映像表示部Ｗ５７ｉ）が表示選択操作（つかみ）され、その螺旋映像表示部群５８に沿って画面の奥側から手前側へ向かってなぞるように映像表示部Ｗ５７１まで当該カーソル７１が移動された（図１４（Ａ−２））ときの螺旋映像表示部群移動操作に応じて、その螺旋映像表示部群５８に表示される再生映像の再生速度ｖと、互いに隣接する各映像表示部Ｗ５７１〜Ｗ５７ｎにそれぞれ表示される再生映像の再生時間差ΔＴとの双方を共に固定した状態のまま、その螺旋映像表示部群５８の各映像表示部Ｗ５７１〜Ｗ５７ｎの表示位置を、図１５に示すように、当該螺旋映像表示部群５８に沿ってカーソル７１がなぞられた方向（画面の奥側から手前側へ向かう方向）と同一方向へ当該カーソル７１と一体に移動させることもできる。  ところで、螺旋映像表示部群５８の各映像表示部Ｗ５７１〜Ｗ５７ｎが画面上に配置される表示位置は固定されたものであると上述したが、再生映像の瞬間送り又は戻し操作という拡張操作が行われる場合、編集装置２のマイクロプロセッサ３は各映像表示部Ｗ５７１〜Ｗ５７ｎにおける画面上の表示位置を移動させ得るようになされている。  この場合マイクロプロセッサ３は、キーボード３９又はマウス３８による螺旋映像表示部群移動操作に対応した表示状態変更情報をＰＣＩバス１５を介して取得し、当該表示状態変更情報の内容に応じて再生映像の再生速度ｖ及び再生時間差ΔＴの双方を固定としながら、各映像表示部Ｗ５７１〜Ｗ５７ｎの表示位置を当該螺旋映像表示部群５８に沿って画面の奥側から手前側へ向かってカーソル７１と一体に移動させるようになされている。  そのとき、図１６に示すように再生映像を表示していた螺旋映像表示部群５８の各映像表示部Ｗ５７１〜Ｗ５７ｎ、……、がカーソル７１によってなぞられた位置にまでシフトして表示される。またこれに伴って、それまでその位置に表示されていた映像表示部Ｗ５７１〜Ｗ５７ｎの全体がカーソル７１の移動量に合わせて螺旋の手前側へ向かってシフトし、シフト後の映像表示部Ｗ５７ｎ、Ｗ５７ｍ、……、の表示サイズが以前よりも少し大きく変更されて新たに表示される（図１５）。  なおマイクロプロセッサ３は、映像表示部Ｗ５７ｉに対する表示選択操作（図１５）に応じて当該映像表示部Ｗ５７ｉを強調表示（破線で囲われた部分）すると共に、その映像表示部Ｗ５７ｉからそれ以前の映像表示部Ｗ５７、……、を表示順に順次強調表示することにより、映像表示部Ｗ５７ｉの移動開始点までの流れをオペレータに対して直感的に認識させ得るようになされている。  このときマイクロプロセッサ３は、表示選択操作された瞬間の映像表示部Ｗ５７ｉに対する表示映像データ又は各映像表示部Ｗ５７１〜Ｗ５７ｎに対する表示映像データの全てをその状態で一時的に停止（保持）し、その状態をオペレータに目視確認させ得るようになされている。  また、各映像表示部Ｗ５７１〜Ｗ５７ｎに表示された再生映像に付随する各再生音声は、音声出力モードとしてメイン音声出力モードが設定されているときには、そのとき最も手前側に位置する映像表示部Ｗ５７ｎ（図１４（Ａ−２））に表示された再生映像に付随する再生音声のみが出力され、音声出力モードとして全音声出力モードが設定されているときには、最も手前側に位置する映像表示部Ｗ５７ｎから３次元螺旋上の距離が離れた映像表示部Ｗ５７ｍ、Ｗ５７ｌ、Ｗ５７ｋ、……に表示された再生映像に付随する再生音声ほど小さい音量となるように、各再生音声の出力音量が調整される。  因みにマイクロプロセッサ３は、映像表示部Ｗ５７ｉに対する表示選択操作を解除する表示選択解除操作が入力された場合、当該映像表示部Ｗ５７ｉに対する表示映像データ又は各映像表示部Ｗ５７１〜Ｗ５７ｎに対する表示映像データの全てを停止状態から解除し、複数の映像表示部Ｗ５７１〜Ｗ５７ｎ間において動画像の状態で時間差を設けながら、当該複数の映像表示部Ｗ５７１〜Ｗ５７ｎが表示順に連携した螺旋映像表示部群５８として再度連動表示させるようになされている。  これに対して編集装置２のマイクロプロセッサ３では、図１４（Ｂ）に示すように、キーボード３９の方向キー７０の「右（→）」キー７０Ｒが押圧操作され（図１４（Ｂ−１））、又はマウス３８の左ボタンが押圧操作された状態で１秒以内にカーソル７１によって螺旋映像表示部群５８の一部（映像表示部Ｗ５７ｌ）が選択（つかみ）され、その螺旋映像表示部群５８に沿って螺旋の奥側から手前側へ向かってなぞるように映像表示部Ｗ５７ｉまで当該カーソル７１が移動された（図１４（Ｂ−２））ときの螺旋映像表示部群移動操作に応じて、その螺旋映像表示部群５８に表示される再生映像の再生速度ｖと、互いに隣接する映像表示部Ｗ５７１〜Ｗ５７ｎにそれぞれ表示される再生映像の再生時間差ΔＴとの双方を共に固定した状態のまま、その螺旋映像表示部群５８の各映像表示部Ｗ５７１〜Ｗ５７ｎの表示位置を、図１７に示すように、当該螺旋映像表示部群５８に沿ってなぞられた方向（螺旋の手前側から奥側へ向かう方向）と同一方向へカーソル７１と一体に移動させることができる。  この場合マイクロプロセッサ３は、キーボード３９又はマウス３８による螺旋映像表示部群移動操作に対応した表示状態変更情報をＰＣＩバス１５を介して取得し、当該表示状態変更情報の内容に応じて再生映像の再生速度ｖ及び再生時間差ΔＴの双方を固定としながら、各映像表示部Ｗ５７１〜Ｗ５７ｎの表示位置を当該螺旋映像表示部群５８に沿って螺旋の手前側から奥側へ向かってカーソル７１と一体に移動させるようになされている。  そのとき、図１８に示すように再生映像を表示していた螺旋映像表示部群５８の映像表示部Ｗ５７１〜Ｗ５７ｎ、……、がカーソル７１によってなぞられた位置にまでシフトして表示される。またこれに伴って、それまでその位置に表示されていた映像表示部Ｗ５７１〜Ｗ５７ｎの全体がカーソル７１の移動量に合わせて画面の奥側へ向かってシフトし、シフト後の映像表示部Ｗ５７ｎ、Ｗ５７ｍ、……、の表示サイズが以前よりも少し小さく変更されて新たに表示される（図１７）。  なおマイクロプロセッサ３は、映像表示部Ｗ５７ｉに対する表示選択操作（図１７）に応じて当該映像表示部Ｗ５７ｉを強調表示（破線で囲われた部分）すると共に、その映像表示部Ｗ５７���からそれ以前の映像表示部Ｗ５７、……、を表示順に順次強調表示することにより、映像表示部Ｗ５７ｉの移動開始点までの流れをオペレータに対して直感的に認識させ得るようになされている。  これにより表示部５５では、フォワード方向へ流れるように映像表示部Ｗ５７１〜Ｗ５７ｎを再生させた状態で、螺旋映像表示部群移動操作に応じて各映像表示部Ｗ５７１〜Ｗ５７ｎの表示位置をバックワード側へ瞬時に移動させることができるので、ＭＰＥＧ方式のロングＧＯＰフォーマットでリバース再生を行った場合等のような表示映像の応答性が悪くなるようなことがなく、過去のシーンを直ちに再表示させ得るようになされている。  この場合もマイクロプロセッサ３は、映像表示部Ｗ５７ｉに対する表示選択操作（図１７）に応じて当該映像表示部Ｗ５７ｉを強調表示（破線で囲われた部分）すると共に、その映像表示部Ｗ５７ｉからそれ以前の映像表示部Ｗ５７、……、を表示順に順次強調表示することにより、映像表示部Ｗ５７ｉの移動開始点までの流れをオペレータに対して直感的に認識させ得るようになされている。  またこのときマイクロプロセッサ３は、表示選択操作された瞬間の映像表示部Ｗ５７ｉに対する表示映像データ又は各映像表示部Ｗ５７ｉに対する表示映像データの全てをその状態で一時的に停止（保持）し、その状態をオペレータに目視確認させ得るようになされている。  因みにマイクロプロセッサ３は、映像表示部Ｗ５７ｉに対する表示選択操作を解除する表示選択解除操作が入力された場合、当該映像表示部Ｗ５７ｉに対する表示映像データ又は各映像表示部Ｗ５７１〜Ｗ５７ｎに対する表示映像データの全てを停止状態から解除し、複数の映像表示部Ｗ５７１〜Ｗ５７ｎ間において動画像の状態で時間差を設けながら、当該複数の映像表示部Ｗ５７１〜Ｗ５７ｎが表示順に連携した螺旋映像表示部群５８として再度連動表示させるようになされている。  またこの場合において、各映像表示部Ｗ５７１〜Ｗ５７ｎに表示された再生映像に付随する各再生音声は、音声出力モードとしてメイン音声出力モードが設定されているときには、そのとき画面の最も手前側に位置する映像表示部Ｗ５７ｎに表示された再生映像に付随する再生音声のみが出力され、音声出力モードとして全音声出力モードが設定されているときには、最も手前側に位置する映像表示部Ｗ５７ｎから３次元螺旋上の距離が離れた映像表示部Ｗ５７ｍ、Ｗ５７ｌ、Ｗ５７ｋ、……、に表示された再生映像に付随する再生音声ほど小さい音量となるように、各再生音声の出力音量が調整される。（２−３−３）各種基本又は拡張操作入力に対するマイクロプロセッサの処理  ここでマイクロプロセッサ３は、上述のような各種基本又は拡張操作入力に対する処理を、ハードディスク装置７（図１）に格納された制御プログラムに基づき、図９に示す表示変更処理手順ＲＴ１に従って実行する。  例えば、図９のステップＳＰ１において認識した操作が上述の『クリップの映像の表示速度を上げる』操作であった場合、マイクロプロセッサ３は、記憶装置２２を制御して、対応する螺旋映像表示部群５８の各映像表示部Ｗ５７１〜Ｗ５７ｎに表示させる再生映像の再生速度ｖに応じて、映像表示部Ｗ５７１〜Ｗ５７ｎに表示す��各映像を選択し、生成する。  このときマイクロプロセッサ３は、各映像表示部Ｗ５７１〜Ｗ５７ｎ間の再生フレームの間隔を広げると共に、各映像表示部Ｗ５７１〜Ｗ５７ｎ内においても表示再生速度を上げることにより、映像表示部Ｗ５７１〜Ｗ５７ｎにそれぞれ表示される再生映像の再生速度ｖを増加させ、かつ互いに隣接する映像表示部Ｗ５７１〜Ｗ５７ｎ間における再生映像の再生時間差ΔＴを増加させる。  またマイクロプロセッサ３は、ステップＳＰ１において認識した操作が上述の『クリップの映像の表示速度を下げる』操作であった場合には、記憶装置２２を制御して、対応する螺旋映像表示部群５８の各映像表示部Ｗ５７１〜Ｗ５７ｎに表示させる再生映像の再生速度ｖに応じて、映像表示部Ｗ５７１〜Ｗ５７ｎに表示する各映像を選択し、生成する。  このときもマイクロプロセッサ３は、各映像表示部Ｗ５７１〜Ｗ５７ｎ間の再生フレームの間隔を狭くすると共に、各映像表示部Ｗ５７１〜Ｗ５７ｎ内においても表示再生速度を下げることにより、映像表示部Ｗ５７１〜Ｗ５７ｎにそれぞれ表示される再生映像の再生速度ｖを減少させ、かつ互いに隣接する映像表示部Ｗ５７１〜Ｗ５７ｎ間における再生映像の再生時間差ΔＴを減少させる。  さらにマイクロプロセッサ３は、ステップＳＰ１において認識した操作が『クリップの映像を停止させる』操作であった場合には、記憶装置２２を制御して、対応する螺旋映像表示部群５８の各映像表示部Ｗ５７１〜Ｗ５７ｎに表示させる再生映像の再生を停止させる一方、ＧＰＵ４を制御して、当該螺旋映像表示部群５８の各映像表示部Ｗ５７１〜Ｗ５７ｎに再生停止直前の最後のフレームをそれぞれ表示させ続ける。この結果、各映像表示部Ｗ５７１〜Ｗ５７ｎに、もとの再生時間差ΔＴを保った状態でそれぞれ対応する静止画像が表示されることとなる。  さらにマイクロプロセッサ３は、ステップＳＰ１において認識した操作が『キーボード３９の「シフト」キーを押圧したまま、「クリップの映像を停止させる」』操作等の各種拡張操作であった場合には、表示部５５の螺旋映像表示部群５８に表示される各再生映像や、その螺旋映像表示部群５８自体の表示映像を、その拡張操作に応じた状態に変化させるように記憶装置２２やＧＰＵ４を制御する。  そしてマイクロプロセッサ３は、ステップＳＰ８において、表示部５５に表示された螺旋映像表示部群５８内の各再生映像や螺旋映像表示部群５８自体の表示映像を操作入力に応じた状態に変更するようになされている。（３）螺旋映像表示部群に対する視点変更方法（３−１）螺旋映像表示部群の表示形態  ところで編集装置２のマイクロプロセッサ３は、編集画面５０の表示部５５に表示した螺旋映像表示部群５８に対して、どのような視点から目視確認しているのかをオペレータに対して示したり、その視点を任意に変更し、変更後の視点に対応した表示形態の螺旋映像表示部群５８を表示部５５に表示し得るようになされている。  ここで螺旋映像表示部群５８は、所定の３次元映像生成ソフトウェアに従いＧＰＵ４によりその内部メモリ上の３Ｄ空間でレンダリングされた結果生成されるものであり、図１９に示すように、３Ｄ空間上で仮想的に生成された仮想時間軸ＴＰを中心として当該仮想時���軸ＴＰを巻き付けるように複数の映像表示部Ｗ５７１〜Ｗ５７ｎが順次配置され、その映像表示部Ｗ５７１〜Ｗ５７ｎによって作られる円の直径が仮想時間軸ＴＰの進行に連れて次第に大きくなるようなスパイラル構造を有している。  すなわち、表示部５５に表示すべき螺旋映像表示部群５８のデフォルトとして設定されている表示形態としては、仮想時間軸ＴＰにおける進行方向側の一端にオペレータの視点ＥＰ１があると仮定したとき、図３に示したように、画面の奥側から手前側へ近づくに連れて、複数の映像表示部Ｗ５７１〜Ｗ５７ｎによって作られる円が次第に大きくなるような螺旋映像表示部群５８が３次元的に表示されることになる。  このため編集装置２のマイクロプロセッサ３は、表示部５５に螺旋映像表示部群５８を表示したとき、仮想時間軸ＴＰを中心として各映像表示部Ｗ５７１〜Ｗ５７ｎによって作られる円の直径が当該仮想時間軸ＴＰの進行に連れて次第に大きくなるようなスパイラル構造をその正面からオペレータに目視確認させることが出来るので、全ての映像表示部Ｗ５７１〜Ｗ５７ｎがどれ一つとして隠れてしまうことなく全て提示し得るようになされている。  ここで螺旋映像表示部群５８は、映像表示部Ｗ５７１、映像表示部Ｗ５７２、映像表示部Ｗ５７３、……、映像表示部Ｗ５７ｍ、映像表示部Ｗ５７ｎの順番で仮想時間軸ＴＰの周囲に順次出現し、その出現した順番に映像表示部Ｗ５７１〜Ｗ５７ｎの再生映像が再生開始されることになる。  従って、螺旋映像表示部５８における各映像表示部Ｗ５７１〜Ｗ５７ｎの再生開始から所定時間経過後のタイミングでは、表示部５５における画面中、螺旋の最も奥側に存在する映像表示部Ｗ５７１が時間的に一番未来の再生映像を表示しており、螺旋の最も手前側に存在する映像表示部Ｗ５７ｎが時間的に一番過去の再生映像を表示していることになる。  すなわち仮想時間軸ＴＰの進行が最も進んでいる先端側の映像表示部Ｗ５７ｎでは時間的に一番過去の再生映像を表示し、仮想時間軸ＴＰの開始地点に近い後端側の映像表示部Ｗ５７１では時間的に一番進んだ未来の再生映像を表示し、仮想時間軸ＴＰの進行方向と各映像表示部Ｗ５７１〜Ｗ５７ｎにおける再生処理の進み度合いとが逆向きになる。  図２０に示すように、この編集装置２では、編集画面５０の表示部５５に螺旋映像表示部群５８を表示中、オペレータに対して当該螺旋映像表示部群５８を表示しているときの視点及び視線方向を、表示部５５内に表示したサブ３Ｄ空間画像ＩＭ１及びキャラクタＣＡ１によって視覚的に表現するようになされている。ここでサブ３Ｄ空間画像ＩＭ１の中には、螺旋映像表示部群５８と同じ表示形態でかつ縮小されたサブ螺旋映像表示部群５８Ｓ及びサブ時間軸ＳＴＰ１が表示されている。  すなわち、サブ３Ｄ空間画像ＩＭ１の中に表示されているサブ螺旋映像表示部群５８Ｓの３Ｄ空間座標と、ＧＰＵ４の内部メモリ上の３Ｄ空間に生成された螺旋映像表示部群５８の３Ｄ空間座標とは、互いに３Ｄ空間として拡大縮小関係にあるだけなので基本的に同じ座標系である。  実際上、編集装置２のマイクロプロセッサ３は、編集画面５０のクリップ一覧表示部５１から所望のクリップがオペレータによって選択された後、表示部５５にドラッグアンドドロップされたことを認識すると、ＧＰＵ４によって当該クリップに対応した螺旋映像表示部群５８を表示すると共に、ＧＰＵ４により螺旋映像表示部群５８に対応したサブ螺旋映像表示部群５８Ｓ及び仮想時間軸ＴＰに対応したサブ時間軸ＳＴＰ１を含むサブ３Ｄ空間画像ＩＭ１を生成し、これを螺旋映像表示部群５８と一緒に表示するようになされている。  また編集装置２のマイクロプロセッサ３は、表示部５５のカーソル７１を介してサブ３Ｄ空間画像ＩＭ１近傍のキャラクタＣＡ１が選択されてドラッグ操作が行われると、そのドラッグ操作の方向へキャラクタＣＡ１を移動させて表示すると共に、その移動後のキャラクタＣＡ１のサブ３Ｄ空間画像ＩＭ１における位置を視点座標（確認位置）としたときの視点座標データを生成し、その確認位置から視線方向矢印ＡＬ１の角度で見えるであろうサブ螺旋映像表示部群５８Ｓに対応した表示形態の螺旋映像表示部群５８をＧＰＵ４によって表示部５５に表示するようになされている。  このように編集装置２では、サブ３Ｄ空間画像ＩＭ１近傍に表示されたキャラクタＣＡ１のサブ螺旋映像表示部群５８Ｓに対する確認位置（視点座標）によって当該螺旋映像表示部群５８に対する視点をイメージとしてオペレータに視覚的に提示し、かつその視点からのサブ螺旋映像表示部群５８Ｓに対する視線方向矢印ＡＬ１を当該キャラクタＣＡ１の視線方向としてオペレータに視覚的に提示することにより、表示部５５の螺旋映像表示部群５８に対する視点及び視線方向をオペレータに対して直感的に認識させ得るようになされている。  ところで、編集装置２のマイクロプロセッサ３は、編集画面５０のクリップ一覧表示部５１から所望のクリップがオペレータによって複数選択された後、複数のクリップが表示部５５にドラッグアンドドロップされたことを認識すると、ＧＰＵ４により当該複数のクリップに対応した複数の螺旋映像表示部群５８を表示部５５に表示すると共に、図２１に示すように、ＧＰＵ４により当該複数の螺旋映像表示部群５８にそれぞれ対応したサブ螺旋映像表示部群５８Ｓ２、サブ時間軸ＳＴＰ２及びサブ螺旋映像表示部群５８Ｓ３、サブ時間軸ＳＴＰ３を含むサブ３Ｄ空間画像ＩＭ１を生成して表示し得るようになされている。  この場合、編集装置２のマイクロプロセッサ３は、複数の螺旋映像表示部群５８を構成する各映像表示部Ｗ５７１〜Ｗ５７ｎに表示すべき再生映像にタイムコード情報が付加されている場合、２つのサブ螺旋映像表示部群５８Ｓ２、サブ螺旋映像表示部群５８Ｓ３をタイムコード情報に基づいて同期させた状態で表示するようになされている。  ここでマイクロプロセッサ３は、サブ螺旋映像表示部群５８Ｓ２におけるサブ時間軸ＳＴＰ２と、サブ螺旋映像表示部群５８Ｓ３におけるサブ時間軸ＳＴＰ３との長さが互いに異なるとき、長い方のサブ時間軸ＳＴＰ２（又はサブ時間軸ＳＴＰ３）に合わせて短い方のサブ時間軸ＳＴＰ３（又はサブ時間軸ＳＴＰ２）を表示するようになされている。  これにより編集装置２では、サブ螺旋映像表示部群５８Ｓ２のサブ映像表示部ＷＳ５７１〜Ｗ５７ｎ全体と、サブ螺旋映像表示部群５８Ｓ３の映像表示部ＷＳ５７１〜Ｗ５７ｎ全体とをサブ３Ｄ空間画像ＩＭ１の内部に収納した状態で表示することができ、かくしてサブ螺旋映像表示部群５８Ｓ２及びサブ螺旋映像表示部群５８Ｓ３の全体像をオペレータに目視確認させ得るようになされている。  また図２２に示すように編集装置２のマイクロプロセッサ３は、複数のサブ螺旋映像表示部群５８Ｓ２、サブ螺旋映像表示部群５８Ｓ３が含まれるサブ３Ｄ空間画像ＩＭ１を表示部５５に表示した状態で、オペレータによるドラッグ操作が行われると、サブ螺旋映像表示部群５８Ｓ２、サブ螺旋映像表示部群５８Ｓ３の位置を移動し得るようになされており、その移動後のサブ螺旋映像表示部群５８Ｓ２、サブ螺旋映像表示部群５８Ｓ３の配置に連動させて表示部５５に表示している複数の螺旋映像表示部群５８の配置についても移動して表示し得るようになされている。  なお編集装置２のマイクロプロセッサ３は、このとき編集処理の容易性を更に向上すべく、サブ螺旋映像表示部群５８Ｓ２、サブ螺旋映像表示部群５８Ｓ３をサブ時間軸ＳＴＰ２、ＳＴＰ３の長手方向（未来方向又は過去方向）に沿って移動し得るようにもなされている。  具体的には、また、図２３（Ａ）に示すように編集装置２のマイクロプロセッサ３は、サブ３Ｄ空間画像ＩＭ１の正面にキャラクタＣＡ１が配置された正面視点を螺旋映像表示部群５８に対してデフォルト設定された表示形態としたとき、カーソル７１によるドラッグ操作に応じて、図２３（Ｂ）に示すようにサブ３Ｄ空間画像ＩＭ１の左斜め上にキャラクタＣＡ１が配置された左斜め上視点に変更したり、図２３（Ｃ）に示すようにサブ３Ｄ空間画像ＩＭ１の右斜め下にキャラクタＣＡ１が配置された右斜め下視点に変更したり、図２３（Ｄ）に示すようにサブ３Ｄ空間画像ＩＭ１の右横にキャラクタＣＡ１が配置された右横視点に変更したり、図２３（Ｅ）に示すようにサブ３Ｄ空間画像ＩＭ１の真上にキャラクタＣＡ１が配置された真上視点に変更したり、図２３（Ｆ）に示すようにサブ３Ｄ空間画像ＩＭ１の内部にキャラクタＣＡ１が配置された内部視点に変更し得るようになされている。  これにより編集装置２のマイクロプロセッサ３は、編集画面５０の表示部５５に螺旋映像表示部群５８を表示中、サブ３Ｄ空間画像ＩＭ１の３Ｄ空間座標とカーソル７１によって移動されたキャラクタＣＡ１の視点座標との相対的位置関係によって決まる変更後の新たな視点及び視線方向に応じて、ＧＰＵ４により螺旋映像表示部群５８の表示形態を変更して表示するようになされている。  すなわちマイクロプロセッサ３では、キャラクタＣＡ１の視点座標を動かしたときの視点及び視線方向と、表示部５５の螺旋映像表示部群５８に対する視点とを連動して一致させた状態で表示し得るようになされている。  なお編集装置２のマイクロプロセッサ３では、視点の変更に当たってカーソル７１によるドラッグ操作ではなく、キー入力によって視点の変更を実行し得るようにもなされており、カーソル７１によってキャラクタＣＡ１が選択された後、例えばキーボード３９上の「Ｗ」キーに対する押下操作に応じて当該キャラクタＣＡ１を上方向へ移動させ、「Ａ」キーに対する押下操作に応じて当該キャラクタＣＡ１を左方向へ移動させ、「Ｘ」キーに対する押下操作に応じて当該キャラクタＣＡ１を下方向へ移動させ、「Ｄ」キーに対する押下操作に応じて当該キャラクタＣＡ１を右方向へ移動させ得るようにもなされている。  このように編集装置２のマイクロプロセッサ３では、サブ３Ｄ空間画像ＩＭ１の空間座標を固定（ロック）したまま、キャラクタＣＡ１の視点座標を動かすことにより視点及びその視線方向を変更する空間座標ロックモードの視点変更手法を用いているが、例えばキーボード３９上の「Ｆ１」キーに対する押下操作に応じてモードを切り換え、空間座標ロックモードとは逆に、キャラクタＣＡ１の視点座標を固定（ロック）したままサブ３Ｄ空間画像ＩＭ１を回転させて空間座標を動かすことにより視点及びその視線方向を変更する視点座標ロックモードの視点変更手法に変更することも可能である。  因みに編集装置２のマイクロプロセッサ３は、例えばキーボード３９上の「Ｆ２」キーに対する押下操作に応じてモードを切り換え、図２４に示すようにサブ３Ｄ空間画像ＩＭ１の３Ｄ空間座標と、キャラクタＣＡ１の視点座標との相対的位置関係を維持したまま、カーソル７１によるドラッグ操作によりサブ３Ｄ空間画像ＩＭ１及びキャラクタＣＡ１を一緒に回転させることが可能であり、これによりサブ３Ｄ空間画像ＩＭ１及びキャラクタＣＡ１をオペレータにとって目視確認し易い角度に変更して表示し得るようになされている。  ところで編集装置２のマイクロプロセッサ３は、空間座標ロックモードの視点変更手法を用いて、図２３（Ｆ）に示したようにサブ３Ｄ空間画像ＩＭ１の内部にキャラクタＣＡ１が配置された内部視点に変更した場合、図２５に示すように自動的にサブ３Ｄ空間画像ＩＭ１を所定倍率に拡大することによりサブ３Ｄ空間画像ＩＭ２を生成し得るようになされている。  この場合、サブ３Ｄ空間画像ＩＭ１をサブ３Ｄ空間画像ＩＭ２に拡大するときの拡大率については、当該サブ３Ｄ空間画像ＩＭ１及びＩＭ２があくまでサブ的な表示であるため、表示部５５の螺旋映像表示部群５８に対して邪魔になることがないような一定の倍率以下に制限されている。（３−２）視点の変更に応じた螺旋映像表示部群に対する表示処理手順  続いて、上述のサブ３Ｄ空間画像ＩＭ１とキャラクタＣＡ１との相対的位置関係により視点及びその視線方向が変化することに応じて表示部５５の螺旋映像表示部群５８の表示形態を変更して表示する表示処理手順について次に説明する。  図２６に示すように編集装置２のマイクロプロセッサ３は、ルーチンＲＴ４の開始ステップから入って次のステップＳＰ４１へ移り、マウス３８、キーボード３９或いは操作コントローラ３７を介して入力された制御信号（例えば螺旋映像表示部群５８の各映像表示部Ｗ５７１〜Ｗ５７ｎに表示すべき再生映像の再生速度ｖ、再生時間差ΔＴ、オペレータのドラッグ操作に応じた移動後におけるサブ３Ｄ空間画像ＩＭ１の３Ｄ空間座標やキャラクタＣＡ１の視点座標）をＰＣＩバス１５及びサウスブリッジ６を介して取り込みメインＣＰＵコア３Ｍによって認識した後、次のステップＳＰ４２へ移る。  ステップＳＰ４２において編集装置２のマイクロプロセッサ３は、ステップＳＰ４１で認識した制御信号が螺旋映像表示部群５８の表示形態を変更して表示するための命令であったとき、新たな表��形態で螺旋映像表示部群５８の各映像表示部Ｗ５７１〜Ｗ５７ｎに表示すべきクリップの描画ループをメインＣＰＵコア３Ｍで設定し、次のステップＳＰ４３へ移る。  ステップＳＰ４３において編集装置２のマイクロプロセッサ３は、ステップＳＰ４２で設定したクリップの再生映像の表示サイズ、その表示サイズでなる各フレームの３Ｄ空間における３次元空間座標計算、キャラクタＣＡ１の視点座標計算等の各種物理演算処理をメインＣＰＵコア３Ｍにより実行させ、次のステップＳＰ４４へ移る。  ステップＳＰ４４において編集装置２のマイクロプロセッサ３は、メインＣＰＵコア３Ｍによって描画ループを構成するクリップの再生映像を何れのサブＣＰＵコア３ＳＡ〜３ＳＨによってデコードさせるかの担当を当該メインＣＰＵコア３Ｍにより割り当て、次のステップＳＰ４５へ移る。  ステップＳＰ４５において編集装置２のマイクロプロセッサ３は、記憶装置２２から再生映像の出力に必要なクリップのフレームを読み出し、ステップＳＰ４４で割り当てたサブＣＰＵコア３ＳＡ〜３ＳＨへ分配し、次のステップＳＰ４６へ移る。  ステップＳＰ４６において編集装置２のマイクロプロセッサ３は、デコーダとしての役割を担う８個のサブＣＰＵコア３ＳＡ〜３ＳＨにより、ステップＳＰ４５で分配されたフレームを同時並列的にデコードし、次のステップＳＰ４７へ移る。  ステップＳＰ４７において編集装置２のマイクロプロセッサ３は、メインＣＰＵコア３Ｍにより、ステップＳＰ４６でデコードされた再生映像を表示部５５の画面上（３Ｄ空間上）にどのように配置すべきかを求めるため、サブ３Ｄ空間画像ＩＭ１の３Ｄ空間座標やキャラクタＣＡ１の視点座標を再生映像の３次元表示位置情報として再生映像と共にＧＰＵ４へ高速データ転送し、次のステップＳＰ４８へ移る。  ステップＳＰ４８において編集装置２のマイクロプロセッサ３は、ＧＰＵ４により、サブ３Ｄ空間画像ＩＭ１の３Ｄ空間座標及びキャラクタＣＡ１の視点座標からなる３次元表示位置情報に基づいて、そのとき設定されている視点及び視線方向に応じた表示形態の螺旋映像表示部群５８を表示部５５に表示するための２次元座標の表示位置情報に変換し、メインＣＰＵコア３Ｍからデータ転送された再生映像を、２次元座標の表示位置情報に基づく表示サイズ及び表示位置に従って各映像表示部Ｗ５７１〜Ｗ５７ｎの所定位置に貼り付けて表示することにより新たな視点及び視線方向に対応した表示形態でなる螺旋映像表示部群５８を描画し、次のステップＳＰ４９へ移って処理を終了する。  このように編集装置２では、マイクロプロセッサ３における８個のサブＣＰＵコア３ＳＡ〜３ＳＨが各映像表示部Ｗ５７１〜Ｗ５７ｎに表示する再生映像のデコーダとしての役割をそれぞれ担って同時並列的にデコードし、そのデコードされた再生映像を帯域幅の大きなバス１０により例えば最大３０［Ｇｂｙｔｅ／ｓｅｃ］の転送速度でＧＰＵ４へ高速データ転送し得るようになされているため、多くの枚数の高精細な再生映像をデコードして短時間にＧＰＵ４へデータ転送することができる。  これによりＧＰＵ４では、内部メモリ上の３Ｄ空間に生成した螺旋映像表示部群５８を新たな視点及び視線方向に変更して表示部５５に表示���る際、サブ３Ｄ空間画像ＩＭ１の３Ｄ空間座標及びキャラクタＣＡ１の視点座標からなる３次元表示位置情報を表示部５５の２次元座標の表示位置情報に変換し、これを用いて各映像表示部Ｗ５７１〜Ｗ５７ｎの再生映像を表示することができるため、複数の映像表示部Ｗ５７１〜Ｗ５７ｎ間において動画像の状態で互いに再生時間差ΔＴを設けながら螺旋状の表示順に連携した螺旋映像表示部群５８として表示部５５にレスポンス良く滑らかに連動表示させ、なおかつ、その視点及び視線方向を３Ｄ空間上の座標変換処理によって自在に制御し得るようになされている。（３−３）視点変更後の螺旋映像表示部群  編集装置２のマイクロプロセッサ３は、例えば図２７に示すように、編集画面５０の表示部５５に表示されているサブ３Ｄ空間画像ＩＭ１に対するキャラクタＣＡ１の位置をカーソル７１によって動かしたことに応じて、表示部５５に表示されている螺旋映像表示部群５８（図２０）を下方からの表示形態に変更して表示し得るようになされている。  この場合、図２０に示した螺旋映像表示部群５８では、サブ３Ｄ空間画像ＩＭ１のサブ時間軸ＳＴＰ１に対してキャラクタＣＡ１の視点及びその視線方向が正対して配置されたときの表示形態となっているのに対し、図２７に示した螺旋映像表示部群５８では、サブ３Ｄ空間画像ＩＭ１のサブ時間軸ＳＴＰ１に対して斜め下方向からのキャラクタＣＡ１の視点及びその視線方向に変更されており、その角度で目視されたときの表示形態となっている。  すなわち編集装置２では、サブ３Ｄ空間画像ＩＭ１のサブ螺旋映像表示部群５８に対するキャラクタＣＡ１の視点及びその視線方向と、実際の表示部５５にその角度が変更されて表示された螺旋映像表示部群５８に対する視点及びその視線方向とを連動させるようになされている。  この場合オペレータは、表示部５５に表示された螺旋映像表示部群５８（図２７）の全体像を目視確認することが出来るので、仮想時間軸ＴＰの正面からの角度で表示された螺旋映像表示部群５８（図２０）では認識することが困難であったクリップ全体の長さをイメージとして確認したり、螺旋映像表示部群５８における要所要所のタイムコード通知枠ＴＣ１〜ＴＣ４を介して時系列の流れを認識し得るようになされている。  また編集装置２では、各映像表示部Ｗ５７１〜Ｗ５７ｎによってそれぞれ表示された再生映像のシーンが全て異なるので、オペレータの所望するシーンが螺旋映像表示部群５８を構成する複数の映像表示部Ｗ５７１〜Ｗ５７ｎの何れかに表示されている可能性が高く、オペレータの画探し作業を容易化し得ると共に編集作業についても容易化し得るようになされている。  さらに編集装置２は、各映像表示部Ｗ５７１〜Ｗ５７ｎに対して同じ再生映像を所定の再生時間差ΔＴだけずらして表示しているため、オペレータが所望するシーンを最初の映像表示部Ｗ５７１で見逃した場合でも、その映像表示部Ｗ５７１以降の映像表示部Ｗ５７２、Ｗ５７３、Ｗ５７４、……にもそのシーンを再生時間差ΔＴ後以降に順次表示することになり、一度見失ったシーンについてもオペレータに対して巻き戻し再生させることなく再度オペレータに目視させ、画探し作業及び編集作業を容易化させることができる。  ところ��、編集装置２のマイクロプロセッサ３は、例えば図２８に示すように、編集画面５０の表示部５５に表示されているサブ３Ｄ空間画像ＩＭ１に対するキャラクタＣＡ１の位置をカーソル７１によって更に動かしたことに応じて、螺旋映像表示部群５８（図２７）に対する視点が更に下方に位置したときの表示形態に変更して表示し得るようになされている。  この場合も、螺旋映像表示部群５８では、サブ３Ｄ空間画像ＩＭ１のサブ時間軸ＳＴＰ１に対して更に斜め下方向からのキャラクタＣＡ１の視点及びその視線方向に変更されており、その角度で目視されたときの表示形態となっている。  また図２９に示すように編集装置２のマイクロプロセッサ３は、編集画面５０の表示部５５に表示されているサブ３Ｄ空間画像ＩＭ１に対するキャラクタＣＡ１の位置をカーソル７１によって更に動かし、サブ３Ｄ空間画像ＩＭ１におけるサブ時間軸ＳＴＰ１の近傍であって、そのサブ時間軸ＳＴＰ１と略平行な視線方向を持つような位置にキャラクタＣＡ１の視点を移動させたことに応じて、仮想時間軸ＴＰに略平行な位置からの視点及び視線方向に応じた表示形態に螺旋映像表示部群５８（図２７）を変更して表示し得るようになされている。  因みに、編集装置２のマイクロプロセッサ３は、上述のようにサブ３Ｄ空間画像ＩＭ１の空間座標を固定（ロック）したまま、キャラクタＣＡ１の視点座標を動かすことにより視点及びその視線方向を変更する空間座標ロックモードの視点変更手法を用いるのではなく、図３０に示すように、キャラクタＣＡ１の視点座標を固定（ロック）したままサブ３Ｄ空間画像ＩＭ１を回転させることによりキャラクタＣＡ１とサブ３Ｄ空間画像ＩＭ１との相対的位置関係を変化させて視点及びその視線方向を変更する視点座標ロックモードの視点変更手法を用いることにより、図２９に示した螺旋映像表示部群５８と同じ表示形態に変更することもできる。  すなわち表示部５５に表示された螺旋映像表示部群５８（図２９及び図３０）については同じ角度から見える向きの表示形態であるが、図２９のサブ３Ｄ空間画像ＩＭ１と、図３０のサブ３Ｄ空間画像ＩＭ１とではオペレータに対するサブ３Ｄ空間画像ＩＭ１の見え方が異なるだけであり、本質的に異なるわけではない。  さらに図３１に示すように編集装置２のマイクロプロセッサ３は、編集画面５０の表示部５５に表示されているサブ３Ｄ空間画像ＩＭ１に対するキャラクタＣＡ１の位置をカーソル７１によって更に動かし、サブ３Ｄ空間画像ＩＭ１におけるサブ時間軸ＳＴＰ１の近傍であって、そのサブ時間軸ＳＴＰ１と略平行な視線方向を持ち、サブ螺旋映像表示部群５８Ｓの最も手前側に位置する映像表示部Ｗ５７ｎの近傍にキャラクタＣＡ１の視点を移動させたことに応じて、仮想時間軸ＴＰに略平行な位置から螺旋映像表示部群５８の最も手前側の映像表示部Ｗ５７ｎにキャラクタＣＡ１の視点が非常に近くなり、その角度からの表示形態に当該螺旋映像表示部群５８を変更して表示し得るようになされている。  この場合、編集装置２のマイクロプロセッサ３は、表示部５５における画面の最も手前側に螺旋映像表示部群５８の映像表示部Ｗ５７ｎ、５７ｍ、Ｗ５７ｌ、……、が非常に拡大された状態で表示されることになる��め、これら拡大された映像表示部Ｗ５７ｎ、５７ｍ、Ｗ５７ｌ、……、に表示する再生映像については動画のフレーム更新速度を、それ以外の映像表示部Ｗ５７に対するフレーム更新速度よりも格段に上げるようになされており、これにより映像表示部Ｗ５７ｎ、５７ｍ、Ｗ５７ｌ、……、に表示する再生映像を滑らかな動画像としてオペレータに提示し得るようになされている。  但し編集装置２のマイクロプロセッサ３は、拡大された映像表示部Ｗ５７ｎ、５７ｍ、Ｗ５７ｌ、Ｗ５７ｋ、……、に表示する再生映像については動画のフレーム更新速度を、それ以外の映像表示部Ｗ５７に対するフレーム更新速度よりも格段に上げる一方で、そのフレームの解像度については所定レベルだけ低下させるようになされており、これにより映像表示部Ｗ５７ｎ、５７ｍ、Ｗ５７ｌ、Ｗ５７ｋ、……、に再生映像を表示する際の処理負荷を軽減して動画再生タイミングに追従し得るようになされている。  これに対して編集装置２のマイクロプロセッサ３は、拡大されていない映像表示部Ｗ５７ｋ以前の部分については、動画像を構成する複数のフレームにおけるフレーム更新速度を上げることなく出力させるようになされており、これによりオペレータにとって画質の判断し難い映像表示部Ｗ５７ｋ以前の部分については再生映像の画質を落としながらＧＰＵ４の処理負担を軽減し得るようになされている。  このように編集装置２のマイクロプロセッサ３は、サブ３Ｄ空間画像ＩＭ１に対するキャラクタＣＡ１の位置をカーソル７１によって動かし、螺旋映像表示部群５８の最も手前側に位置する着目すべき映像表示部Ｗ５７ｎ、５７ｍ、Ｗ５７ｌ、Ｗ５７ｋ、……、を拡大表示すると同時に、これら拡大された映像表示部Ｗ５７ｎ、５７ｍ、Ｗ５７ｌ、Ｗ５７ｋ、……、に表示する再生映像のフレーム周波数を上げて表示することにより、オペレータに滑らかな再生映像を目視確認させることができるので、当該オペレータの画探し作業や編集作業を一段と容易化させ得るようになされている。  従ってオペレータは、螺旋映像表示部群５８の各映像表示部Ｗ５７１〜Ｗ５７ｎのうち精査に画探しを行うとする部分については、カーソル７１によってキャラクタＣＡ１を動かして螺旋映像表示部群５８のうち拡大表示された各映像表示部Ｗ５７１〜Ｗ５７ｎを目視確認するようにすれば良く、オペレータ自身の意思で画探し作業の容易化を図ることができるようになされている。  このときも螺旋映像表示部群５８の各映像表示部Ｗ５７１〜Ｗ５７ｎには、所定間隔毎にタイムコード通知枠ＴＣ１〜ＴＣ４が付加されているので、オペレータはこれを目安に画探し作業を容易化することができるようになされている。（３−４）視点変更後の螺旋映像表示部群に対する２次元画像表示処理  ところで編集装置２のマイクロプロセッサ３は、図３２に示すように視点変更後の螺旋映像表示部群５８を表示中に、当該螺旋映像表示部群５８を構成している複数の映像表示部Ｗ５７１〜Ｗ５７ｎのうち例えば映像表示部Ｗ５７ｇがカーソル７１によって選択操作されたことを認識すると、その映像表示部Ｗ５７ｇがその時点で表示している再生映像の該当フレームを中心として前後４フレームずつからなる計９フレーム分の画像ＳＧ１〜ＳＧ��を互いに重ならないように２次元上に並べて表示部５５内に表示するようになされている。なお、これらの画像ＳＧ１〜ＳＧ９においても動画像が表示されることになる。  これにより編集装置２は、視点変更後の螺旋映像表示部群５８（図３２）を構成している複数の映像表示部Ｗ５７１〜Ｗ５７ｎが前後互いに重なり合っているため、当該各映像表示部Ｗ５７１〜Ｗ５７ｎの再生映像をオペレータに目視確認し難い場合であっても、そのオペレータによって選択操作された映像表示部Ｗ５７ｇがその時点で表示している再生映像の該当フレームを中心として前後４フレームずつからなる計９フレーム分の画像ＳＧ１〜ＳＧ９を２次元的に並べて展開することができるので、複数の映像表示部Ｗ５７１〜Ｗ５７ｎに対する視認性を格段に向上させると共にオペレータの画探し作業を格段的に容易化させ得るようになされている。  なお編集装置２は、オペレータによって選択操作された映像表示部Ｗ５７ｇがその時点で表示している再生映像の該当フレームを中心として前後４フレームずつからなる計９フレーム分の画像ＳＧ１〜ＳＧ９を表示するばかりでなく、オペレータによる設定によって、該当フレームを中心として所定フレーム数飛びに計９フレーム分の画像ＳＧ１〜ＳＧ９を集めて表示することも可能である。  因みに編集装置２では、各映像表示部Ｗ５７１〜Ｗ５７ｎにおいて再生映像をそれぞれ表示するに当たって、所定フレーム数（例えば５フレーム）単位で間引いた残りのフレームだけを用いて所定のフレームレートで再生しているような再生速度ｖが速く設定されている場合、上述のようにカーソル７１によって選択操作された映像表示部Ｗ５７ｇがその時点で表示している再生映像の該当フレームを中心として、当初間引かれていたその前後４フレームずつからなる計９フレーム分の画像ＳＧ１〜ＳＧ９を展開して表示するようにもなされている。  なお、この例で挙げた計９フレーム分の画像ＳＧ１〜ＳＧ９は、螺旋映像表示部郡５８を構成している複数の映像表示部Ｗ５７１〜Ｗ５７ｎの各々の再生速度に応じて更新される。従って、再生停止状態にあれば、９フレーム分の静止画像になり、映像表示部Ｗ５７１〜Ｗ５７ｎが１倍速で再生されていれば、２次元展開された画像も１倍速で再生される。（４）スクラブ機能  かかる構成に加えて、この編集装置２では、オペレータが動画の内容を確認しながら画探しするために、スクラブの機能が搭載されている。  スクラブとは、オペレータが指定するピクチャであるフレームまたはフィールドの再生を意味する。オペレータによるピクチャの指定は、例えば、オペレータが、ＧＵＩ（Ｇｒａｐｈｉｃａｌ  Ｕｓｅｒ  Ｉｎｔｅｒ−ｆａｃｅ）としてのつまみを移動するなどの操作をすることにより行われるものである。  この実施の形態では、つまみは、図２に示したように、編集画面５０における表示部５５の最下段のスクラブバー６６に対して移動自在なスクラブつまみ６７として設けられており、再生時間差ΔＴ（図５）を隔てて同一の再生映像が表示される各映像表示部Ｗ５７１〜Ｗ５７ｎのうち、予め指定された例えば映像表示部Ｗ５７ｎ（図３）に表示される再生映像の再生位置に応動するようになっている。  このスクラブつまみ６７をゆっ���り動かす操作がされた場合、そのスクラブつまみ６７の位置に対応する再生位置のフレームの絵柄がゆっくり変化するので、いわゆるスロー再生が行われることとなる。一方、スクラブつまみ６７を速く動かす操作がされた場合、そのスクラブつまみ６７の位置に対応する再生位置のフレームの絵柄が速く変化するので、いわゆる高速再生が行われることとなる。このことから、スクラブは、変速（特殊）再生の一種であるということができる。  一方、この編集装置２においては、上述したように、３Ｄ仮想空間と、キャラクタＣＡ１（図２０）との相対的位置関係を、表示部５５に表示中の螺旋映像表示部群５８に対する表示形態を変更するようになされている。  従ってこの編集装置２においては、オペレータの所望の視点に応じた螺旋映像表示部群５８（図２７〜図３２）の表示形態に変更した状態で、スクラブ（変速（特殊）再生）も行うことができ、この結果、螺旋映像表示部群５８に表示される再生映像の全体の流れや、その再生映像での着目すべき一部分の流れなどを詳細に分析させた上で画探しすることも可能となる。  ところが、このスクラブを行うときには、スクラブつまみ６７の位置に対応する再生位置のフレームの符号化データを読み出し、該符号化データを画像データに復号して、その画像データ（に対応する画像）を再生時間差ΔＴ（図５）を隔てて螺旋映像表示部群５８（映像表示部Ｗ５７１〜Ｗ５７ｎ）に表示する必要がある。いわゆるノンリニア編集が一般的になっている現在では、動画の内容を容易に確認し、編集点を決定するための手段としてのスクラブの機能はより重要性を増しており、オペレータが動画の内容をより詳しく、スムースに確認することができるようにするためのスクラブの機能が求められている。  そこで、この編集装置２（図１）は、上述の編集画面５０（図２）における表示部５５の螺旋映像表示部群５８（映像表示部Ｗ５７１〜Ｗ５７ｎ）に対して再生時間差ΔＴ（図５）を隔ててそれぞれ表示された再生映像を、その再生時間差ΔＴを維持した状態で、スクラブつまみ６７の移動操作に応じて、適切に表示するようになされている。  かかる処理は、マイクロプロセッサ３及びＧＰＵ４（図１）によって行われ、その処理内容としては、上述の編集画面５０を介して編集する前に行う処理（以下、これを編集前処理と呼ぶ）と、該編集前処理結果に基づいて、螺旋映像表示部群５８に対して再生時間差ΔＴ（図５）を隔てて再生映像を維持した状態で、スクラブつまみ６７の移動操作に応じて表示する処理（以下、これをスクラブ処理と呼ぶ）とに分けることができる。以下に、マイクロプロセッサ３及びＧＰＵ４による編集前処理及びスクラブ処理について順次説明する。（４−１）編集前処理  マイクロプロセッサ３及びＧＰＵ４による編集前処理を機能として表した場合、その構成は、図３３に示すように、画像処理部１００１、音声処理部１００２、ＡＶファイル作成部１００３、Ｆｙファイル作成部１００４及び記録部／通信部１００５とすることができる。  この画像処理部１００１には、操作コントローラ３７、マウス３８又はキーボード３９の操作により指定され、ビデオテープレコーダ２３１〜２３ｎ（図１）に装填されたビデオテープから再生されたクリンプの映像音声信号のうちの映像信号が入力され、一方、音声処理部１００２には、該映像音声信号のうちの音声信号が入力される。  画像処理部１００１は、映像信号に対して、フレーム単位で、時系列に、Ａ／Ｄ（Ａｎａｌｏｇ／Ｄｉｇｉｔａｌ）変換処理や、ノイズを除去するノイズ除去処理等の必要な処理を施し、その処理後の画像データをＡＶファイル作成部１００３とＦｙファイル作成部１００４に供給する。  音声処理部１００２は、音声信号に対して、フレーム単位で、時系列に、Ａ／Ｄ（Ａｎａｌｏｇ／Ｄｉｇｉｔａｌ）変換処理や、ノイズを除去するノイズ除去処理等の必要な処理を施し、その処理後の音声データをＡＶファイル作成部１００３に供給する。  ＡＶファイル作成部１００３は、画像処理部１００１からの時系列の画像データと、音声処理部１００２からの時系列の音声データとを格納したＡＶファイルを作成し、記録部／通信部１００５に供給する。  Ｆｙファイル作成部１００４は、画像処理部１００１からの画像データの変化の程度を表す変化量を、フレーム単位で求める。また、Ｆｙファイル作成部１００４は、必要に応じて、フレームの変化量に基づき、そのフレームを映像表示部Ｗ５７１〜Ｗ５７ｎ（図２）に表示するときの表示方法を表す表示タイプを、ピクチャ単位で決定する。さらに、Ｆｙファイル作成部１００４は、フレーム単位の変化量と表示タイプとのうちのいずれか一方、または両方が格納されたファイル（以下、適宜、Ｆｙファイルという）を、画像処理部１００１からの時系列の画像データのメタデータが格納されたメタファイル（メタデータファイル）（の１つ）として作成し、記録部／通信部１００５に供給する。  ピクチャとは、フレームまたはフィールドを意味する。以下では、ピクチャとして、フレームを採用することとするが、ピクチャとしては、フィールドを採用することも可能である。  記録部／通信部１００５は、ＡＶファイル作成部１００３から供給されるＡＶファイルと、Ｆｙファイル作成部１００４から供給される、そのＡＶファイルに対応するＦｙファイル、即ち、ＡＶファイル作成部１００３から供給されるＡＶファイルに格納された画像データから作成され、Ｆｙファイル作成部１００４から供給されるＦｙファイルとを、例えば記憶装置２２（図１）に記録する。  ここで、あるＡＶファイルｆａｖと、そのＡＶファイルｆａｖに対応するＦｙファイルｆＦｙとには、例えば、互いに対応するファイルであることが分かるようなファイル名が付される。即ち、ＡＶファイルｆａｖと、そのＡＶファイルｆａｖに対応するＦｙファイルｆＦｙとのファイル名は、例えば、拡張子のみが異なるファイル名（拡張子が異なり、拡張子以外の部分が同一のファイル名）にされる。  次に、図３４は、図３３のＡＶファイル作成部１００３の構成例を示している。図３４において、ＡＶファイル作成部１００３は、本線エンコーダ１０１１、プロキシエンコーダ１０１２、およびファイル作成部１０１３で構成されている。  本線エンコーダ１０１１は、本線画像エンコーダ１０１１Ｖと本線音声エンコーダ１０１１Ａとで構成される。  本線画像エンコーダ１０１１Ｖには、画像処理部１００１（図３３）から、本線データとしての画���データが供給される。本線画像エンコーダ１０１１Ｖは、画像処理部１００１からの本線データとしての画像データを、例えば、ＭＰＥＧ２（例えば、ＭＰＥＧ  ＩＭＸ方式等）で符号化（エンコード）し、ファイル作成部１０１３に供給する。  本線音声エンコーダ１０１１Ａには、音声処理部１００２（図３３）から、音声データが供給される。本線音声エンコーダ１０１１Ａは、音声処理部１００２からの音声データを、本線データとしての、例えば、ＡＥＳ（Ａｕｄｉｏ  Ｅｎｇｉｎｅｅｒｉｎｇ  Ｓｏｃｉｅｔｙ）３方式の音声データに変換し、ファイル作成部１０１３に供給する。  プロキシエンコーダ１０１２は、プロキシ画像エンコーダ１０１２Ｖとプロキシ音声エンコーダ１０１２Ａとで構成される。  プロキシ画像エンコーダ１０１２Ｖには、画像処理部１００１（図３３）から、本線データとしての画像データが供給される。プロキシ画像エンコーダ１０１２Ｖは、画像処理部１００１からの本線データとしての画像データの画素数を間引き、これにより、例えば、本線データより解像度（空間解像度）が低いプロキシデータとしての画像データを求める。さらに、プロキシ画像エンコーダ１０１２Ｖは、プロキシデータとしての画像データを、例えば、ＭＰＥＧ４で符号化し、ファイル作成部１０１３に供給する。  プロキシ音声エンコーダ１０１２Ａには、音声処理部１００２（図３３）から、音声データが供給される。プロキシ音声エンコーダ１０１２Ａは、音声処理部１００２からの音声データを、プロキシデータとしての、例えば、ＩＴＵ−Ｔ（Ｉｎｔｅｒｎａｔｉｏｎａｌ  Ｔｅｌｅｃｏｍ−ｍｕｎｉｃａｔｉｏｎ  Ｕｎｉｏｎ，Ｔｅｌｅｃｏｍｍｕｎｉｃａ−ｔｉｏｎ  Ｓｔａｎｄａｒｄｉｚａｔｉｏｎ  Ｓｅｃｔｏｒ）Ｇ．７１１  Ａ−Ｌａｗ方式の音声データに変換し、ファイル作成部１０１３に供給する。  ファイル作成部１０１３は、本線画像エンコーダ１０１１Ｖからの本線データとしての画像データ（の符号化データ）、本線音声エンコーダ１０１１Ａからの本線データとしての音声データ、プロキシ画像エンコーダ１０１２Ｖからのプロキシデータとしての画像データ、プロキシ音声エンコーダ１０１２Ａからのプロキシデータとしての音声データを、例えば、再生時間で約２秒分ずつ多重化し、その多重化によって得られるビットストリームが格納された所定のフォーマットのＡＶファイル、即ち、本線データ（としての画像データおよび音声データ）とプロキシデータ（としての画像データおよび音声データ）とが、再生時間で約２秒分ずつ多重化されたビットストリームが格納された所定のフォーマットのＡＶファイルを作成し、記録部／通信部１００５（図３３）に供給する。  次に、図３５は、図３３のＦｙファイル作成部１００４の構成例を示している。  Ｆｙファイル作成部１００４は、データ縮小部１０２１、変化量算出部１０２２、表示タイプ決定部１０２３、選択部１０２４、およびファイル作成部１０２５で構成されている。  データ縮小部１０２１には、画像処理部１００１（図３３）から、フレーム単位の画像データが供給される。データ縮小部１０２１は、画像処理部１００１からのフレーム単位の画像データの画素数を間引き、その結果得られる画素数の��ない画像データを、変化量算出部１０２２に供給する。  即ち、データ縮小部１０２１は、画像処理部１００１からの画像データのフレームの横と縦の画素数が、それぞれ、例えば、１／８になるように間引きを行う。  従って、画像処理部１００１（図３３）からデータ縮小部１０２１に供給される画像データのフレームが、例えば、横×縦が７２０×４８０画素で構成されるとすると、データ縮小部１０２１は、例えば、図３６に示すように、画像処理部１００１からの７２０×４８０画素の画像データの画素を間引くことにより、横と縦の画素数がそれぞれ１／８の９０×６０画素の画像データとする。  即ち、データ縮小部１０２１は、画像処理部１００１からの７２０×４８０画素の画像データを、例えば、横×縦が８×８画素のブロックに分割し、そのブロックを構成する画素の画素値の平均値等を、ブロックに割り当てることで、９０×６０画素の画像データを生成する。  ここで、データ縮小部１０２１において、画像処理部１００１からの画像データの画素数を少なくするのは、データ量を低減して、その後の処理の負担を軽減するためであり、Ｆｙファイル作成部１００４が十分な性能を有し、処理の負担を軽減する必要がない場合には、データ縮小部１０２１において、画像処理部１００１からの画像データを、そのまま、後段の変化量算出部１０２２に供給すること、あるいは、データ縮小部１０２１を設けずに、Ｆｙファイル作成部１００４を構成することができる。  変化量算出部１０２２は、データ縮小部１０２１から供給される画像データの変化の程度を表す変化量を、フレーム単位で求め、時系列に、表示タイプ決定部１０２３と選択部１０２４に供給する。なお、変化量算出部１０２２では、フレーム単位の変化量として、時間的な変化の程度を表す変化量（以下、適宜、時間変化量という）と、空間的な変化を表す変化量（以下、適宜、空間変化量という）とのうちの一方、または両方を求めることができる。  ここで、時間変化量とは、時間方向の画像の変化の程度を表し、例えば、あるフレームの時間変化量は、そのフレームと、そのフレームの１フレーム前のフレームとの間の画像の変化の程度、即ち、画像の動きの程度を表す。そこで、時間変化量を、以下、適宜、動き情報ともいう。  また、空間変化量とは、空間方向の画像の変化の程度を表し、例えば、あるフレームの空間変化量とは、そのフレームを構成する画素の画素値の変化の程度、即ち、画像の細かさ（複雑さ）を表す。そこで、空間変化量を、以下、適宜、細かさ情報ともいう。  表示タイプ決定部１０２３は、変化量算出部１０２２から時系列に供給されるフレーム単位の変化量に基づき、そのフレームを表示するときの表示方法を表す表示タイプを、フレーム単位で決定し、選択部１０２４に供給する。ここで、表示タイプの詳細については、後述する。  選択部１０２４は、変化量算出部１０２２から供給されるフレーム単位の変化量と、表示タイプ決定部１０２３から供給されるフレーム単位の表示タイプとのうちのいずれか一方、または両方を選択し、ファイル作成部１０２５に供給する。  ここで、選択部１０２４において、どのような選択を行うかは、例えば、あらかじめ設定しておくこと、あるいは、オペレー��の操作に応じて決定すること等が可能である。なお、選択部１０２４において、変化量算出部１０２２から供給されるフレーム単位の変化量のみを、いわば固定的に選択する場合には、Ｆｙファイル作成部１００４は、表示タイプ決定部１０２３および選択部１０２４を設けずに構成することができる。  ファイル作成部１０２５は、選択部１０２４から供給される、フレーム単位の変化量と表示タイプとのうちの一方、または両方を格納した所定のフォーマットＦｙファイルを作成し、記録部／通信部７７（図３３）に供給する。  次に、図３７のフローチャートを参照して、図３５のＦｙファイル作成部１００４が行う処理（Ｆｙファイル作成処理）について説明する。  まず最初に、ステップＳ１００１において、データ縮小部１０２１は、画像処理部１００１（図３３）からの画像データの画素数を間引くデータ縮小を必要に応じて行い、その結果得られる画像データを、変化量算出部１０２２に供給して、ステップＳ１００２に進む。  ステップＳ１００２では、変化量算出部１０２２が、データ縮小部１０２１からの画像データを用いて、画像処理部１００１（図３３）からの画像データの変化の程度を表す変化量を、フレーム単位で求め、時系列に、表示タイプ決定部１０２３と選択部１０２４に供給して、ステップＳ１００３に進む。  ステップＳ１００３では、表示タイプ決定部１０２３が、変化量算出部１０２２からのフレーム単位の変化量に基づき、そのフレームを表示するときの表示方法を表す表示タイプを、フレーム単位で決定し、選択部１０２４に供給して、ステップＳ１００４に進む。  ステップＳ１００４では、選択部１０２４が、変化量算出部１０２２から供給されるフレーム単位の変化量と、表示タイプ決定部１０２３から供給されるフレーム単位の表示タイプとのうちのいずれか一方、または両方を選択し、ファイル作成部１０２５に供給して、ステップＳ１００５に進む。  ステップＳ１００５では、ファイル作成部１０２５が、選択部１０２４から供給される、フレーム単位の変化量と表示タイプとのうちの一方、または両方を格納した所定のフォーマットＦｙファイルを作成し、記録部／通信部１００５（図３３）に供給して、処理を終了する。  次に、図３８は、図３５の変化量算出部１０２２の構成例を示している。  上述したように、変化量算出部１０２２では、フレーム単位の変化量として、時間的な変化の程度を表す動き情報（時間変化量）と、空間的な変化を表す細かさ情報（空間変化量）とのうちの一方、または両方を求めることができる。  図３８の上から１番目は、フレーム単位の変化量として、動き情報のみを求める場合の変化量算出部１０２２の構成例を示しており、図３８の上から２番目は、フレーム単位の変化量として、細かさ情報のみを求める場合の変化量算出部１０２２の構成例を示している。また、図３８の上から３番目（下から１番目）は、フレーム単位の変化量として、動き情報と細かさ情報との両方を求める場合の変化量算出部１０２２の構成例を示している。  図３８の上から１番目の変化量算出部１０２２は、動き情報算出部１０３１を有し、図３８の上から２番目の変化量算出部１０２２は、細かさ情報算出部１０３２を有する。また、図３８���上から３番目の変化量算出部１０２２は、動き情報算出部１０３１と細かさ情報算出部１０３２とを有する。  そして、動き情報算出部１０３１と細かさ情報算出部１０３２とには、データ縮小部１０２１（図３５）からの画像データが供給される。  動き情報算出部１０３１は、データ縮小部１０２１からの画像データを用い、フレーム単位で動き情報を求めて出力する。細かさ情報算出部１０３２は、データ縮小部１０２１からの画像データを用い、フレーム単位で細かさ情報を求めて出力する。  次に、図３９を参照して、図３８の動き情報算出部１０３１において求められるフレーム単位の動き情報について説明する。  動き情報算出部１０３１は、例えば、図３９に示すように、ある動画を構成する時系列のフレームのうちの先頭からｉ番目のフレームである第ｉフレームの動き情報として、その１フレーム前の第ｉ−１フレームから第ｉフレームまでの画像の変化量を求める。なお、この場合、第１フレームの動き情報は、存在しないことになる。但し、第１フレームの動き情報としては、例えば、第２フレームの動き情報と同一の動き情報を採用することができる。あるいは、第０フレームの画像が、画素値がすべて０の画像、または第１フレームと同一の画像であるとして、第１フレームの動き情報を求めることができる。  次に、図４０は、図３８の動き情報算出部１０３１の構成例を示している。  図４０において、動き情報算出部１０３１は、動きベクトル検出部１０４１と統計量算出部１０４２とから構成されている。  動きベクトル検出部１０４１には、データ縮小部１０２１（図３５）からの画像データが供給される。動きベクトル検出部１０４１は、データ縮小部１０２１からの画像データのフレームを、順次、注目フレームとし、注目フレームの１フレーム前のフレーム（以下、適宜、前フレームという）を、例えば、１６×１６画素のブロック（ＭＰＥＧにおけるマクロブロック）に分割する。さらに、動きベクトル検出部１０４１は、前フレームの各マクロブロックについて、前フレームから注目フレームに向かう動きを表す動きベクトルを求め、統計量算出部１０４２に供給する。  統計量算出部１０４２は、動きベクトル検出部１０４１からの、前フレームのマクロブロックについて求められた動きベクトルの統計量を求め、注目フレームの動き情報として出力する。  図４１を参照して、図４０の動き情報算出部１０３１の処理について、さらに説明する。  動き情報算出部１０３１では、動きベクトル検出部１０４１が、前フレームを１６×１６画素のマクロブロックに分割し、前フレームの各マクロブロックについて、そのマクロブロックに最も類似する注目フレームの１６×１６画素のブロック（以下、類似ブロックという）を検出する。そして、動きベクトル検出部１０４１は、マクロブロックの、例えば、左上を始点とするとともに、類似ブロックの左上を終点とするベクトルを、マクロブロックの動きベクトル△Ｆ０（ｈ，ｖ）として求める。  いま、前フレームの左からｈ番目で、上からｖ番目のマクロブロックの位置をＦ０（ｈ，ｖ）と表すとともに、マクロブロックＦ０（ｈ，ｖ）から、そのマクロブロックＦ０（ｈ，ｖ）の動きベクトル△Ｆ０（ｈ，ｖ）だけ移動した位置の注目フレームの１６×１６画素のブロック、即ち、類似ブロックの位置をＦ１（ｈ，ｖ）と表すこととすると、マクロブロックＦ０（ｈ，ｖ）の動きベクトル△Ｆ０（ｈ，ｖ）は、式△Ｆ０（ｈ，ｖ）＝Ｆ１（ｈ，ｖ）−Ｆ０（ｈ，ｖ）で表される。  統計量算出部１０４２は、前フレームのマクロブロックについて求められた動きベクトルの統計量として、例えば、前フレームのすべてのマクロブロックの動きベクトル△Ｆ０（ｈ，ｖ）の大きさ｜△Ｆ０（ｈ，ｖ）｜の総和Ｄ０＝Σ｜△Ｆ０（ｈ，ｖ）｜を求め、この総和Ｄ０を、注目フレームの動き情報として出力する。  なお、総和Ｄ０＝Σ｜△Ｆ０（ｈ，ｖ）｜におけるサメーションΣは、ｈを、１から、前フレームの横方向のマクロブロックの数までに変えるとともに、ｖを、１から、前フレームの縦方向のマクロブロックの数までに変えてのサメーションを表す。  ここで、前フレームの各マクロブロックＦ０（ｈ，ｖ）の動きベクトル△Ｆ０（ｈ，ｖ）の大きさが大きいと、その和である動き情報Ｄ０も大きくなる。従って、注目フレームの動き情報Ｄ０が大きい場合には、注目フレームの画像の動きも大きい（激しい）ということになる。  なお、上述の場合には、前フレームのマクロブロックについて求められた動きベクトルの統計量として、前フレームのすべてのマクロブロックの動きベクトル△Ｆ０（ｈ，ｖ）の大きさ｜△Ｆ０（ｈ，ｖ）｜の総和Ｄ０＝Σ｜△Ｆ０（ｈ，ｖ）｜を求めるようにしたが、前フレームのマクロブロックについて求められた動きベクトルの統計量としては、その他、例えば、前フレームのマクロブロックについて求められた動きベクトルの分散を採用することが可能である。  この場合、統計量算出部１０４２では、前フレームのすべてのマクロブロックの動きベクトル△Ｆ０（ｈ，ｖ）の平均値△ａｖｅが求められ、前フレームのすべてのマクロブロックＦ０（ｈ，ｖ）の動きベクトル△Ｆ０（ｈ，ｖ）の分散σ０が、例えば、式σ０＝Σ（△Ｆ０（ｈ，ｖ）−△ａｖｅ）２を演算することで求められる。  なお、分散σ０＝Σ（△Ｆ０（ｈ，ｖ）−△ａｖｅ）２におけるサメーションΣは、ｈを、１から、前フレームの横方向のマクロブロックの数までに変えるとともに、ｖを、１から、前フレームの縦方向のマクロブロックの数までに変えてのサメーションを表す。  分散σ０も、総和Ｄ０と同様に、注目フレームの画像の動きが大きい（激しい）と大きくなる。  ここで、図３４の本線画像エンコーダ１０１１Ｖにおいて、画像データの符号化が行われる場合に、動きベクトル△Ｆ０（ｈ，ｖ）が求められるときには、統計量算出部１０４２（図４０）は、本線画像エンコーダ１０１１Ｖで求められる動きベクトル△Ｆ０（ｈ，ｖ）を用いて、上述したような統計量を求めることができる。この場合、図４０の動き情報算出部１０３１は、動きベクトル検出部１０４１を設けずに構成することができる。  次に、図４２は、図３８の動き情報算出部１０３１の他の構成例を示している。  図４２において、動き情報算出部１０３１は、ヒストグラム作成部１０５１、ヒストグラム記憶部１０５２、および差分演算部１０５３から構成されている。  ヒストグラム作成部１０５１には、データ縮小部１０２１（図３５）からの画像データが��給される。ヒストグラム作成部１０５１は、データ縮小部１０２１からの画像データのフレームを、順次、注目フレームとし、注目フレームの画素値の、いわば簡略的なヒストグラムを作成し、注目フレームのヒストグラムとして、ヒストグラム記憶部１０５２と差分演算部１０５３に供給する。  ヒストグラム記憶部１０５２は、ヒストグラム作成部１０５１から供給される注目フレームのヒストグラムを記憶する。ここで、ヒストグラム記憶部１０５２は、少なくとも、２フレーム分のヒストグラムを記憶することができるだけの記憶容量を有しており、ヒストグラム作成部１０５１から供給される今回の注目フレームのヒストグラムと、前回の注目フレーム、即ち、前フレームのヒストグラムとを記憶する。  差分演算部１０５３は、ヒストグラム作成部１０５１から供給される注目フレームのヒストグラムと、ヒストグラム記憶部１０５２に記憶された前フレームのヒストグラムとの、後述する差分絶対値和を求め、注目フレームの動き情報として出力する。  図４３を参照して、図４２の動き情報算出部１０３１の処理について、さらに説明する。  データ縮小部１０２１（図３５）からヒストグラム作成部１０５１に供給される画像データの画素値が、例えば、０〜２５５の整数値が表現可能な８ビットで表されるとすると、ヒストグラム作成部１０５１は、０〜２５５の範囲を、例えば、０〜３１，３２〜６３，６４〜９５，９６〜１２７，１２８〜１５９，１６０〜１９１，１９２〜２２３，２２４〜２５５の８つの小範囲に８等分し、各小範囲に含まれる画素値の度数を求めることにより、注目フレームの簡略的なヒストグラムを作成する。  例えば、いま、第ｉ＋１フレームが注目フレームであるとすると、差分演算部１０５３では、図４３に示すように、注目フレームである第ｉ＋１フレームと、前フレームである第ｉフレームとのヒストグラムの同一の小範囲の度数どうしの差分値の絶対値△（図４３において影を付して示す部分）が求められる。さらに、差分演算部１０５３では、ヒストグラムの８つの小範囲について求められた度数の差分値の絶対値の総和（差分絶対値和）Σ△が求められ、注目フレームの動き情報として出力される。  ここで、注目フレームの動きが大きい（激しい）場合には、注目フレームの画素値の度数分布は、前フレームの画素値の度数分布と異なるものになる。従って、注目フレームの差分絶対値和Σ△が大きい場合には、注目フレームの画像の動きも大きい（激しい）ということになる。  次に、図４４は、図３８の細かさ情報算出部１０３２の構成例を示している。  図４４において、細かさ情報算出部１０３２は、ＤＣＴ（Ｄｉｓ−ｃｒｅｔｅ  Ｃｏｓｉｎｅ  Ｔｒａｎｓｆｏｒｍ）変換部１０６１、重み係数算出部１０６２、および積算部１０６３から構成されている。  ＤＣＴ変換部１０６１には、データ縮小部１０２１（図３５）からの画像データが供給される。ＤＣＴ変換部１０６１は、データ縮小部１０２１からの画像データのフレームを、順次、注目フレームとし、注目フレームを、例えば、８×８画素のブロックに分割する。さらに、ＤＣＴ変換部１０６１は、注目フレームの各ブロックをＤＣＴ変換し、各ブロックについて得られる８×８個のＤＣＴ係数を、��算部１０６３に供給する。  重み係数算出部１０６２は、ブロックの８×８個のＤＣＴ係数それぞれに付す重みを求め、積算部１０６３に供給する。  積算部１０６３は、ＤＣＴ変換部１０６１から供給されるブロックの８×８個のＤＣＴ係数それぞれに、重み係数算出部１０６２から供給される重みを付して積算し、積算値を求める。さらに、積算部１０６３は、注目フレームの各ブロックについて求められた積算値の総和を求め、注目フレームの細かさ情報として出力する。  図４５を参照して、図４４の細かさ情報算出部１０３２の処理について、さらに説明する。  図４５左は、ＤＣＴ変換の基底画像を示している。基底画像は、８×８個のパターン（周波数成分）からなり、右側のパターンほど、また下側のパターンほど、高い周波数成分のパターンとなる。  ブロックの８×８個のＤＣＴ係数のうちの、左からｉ（ｉ＝１，２，・・・，８）番目で、上からｊ（ｊ＝１，２，・・・，８）番目のＤＣＴ係数Ｆｉ−１，ｊ−１は、基底画像の左からｉ番目で、上からｊ番目のパターンの周波数成分がブロックに含まれている程度（度合い）を表す。  図４５右は、図４４の重み係数算出部１０６２が算出する重みＧｉ−１，ｊ−１を示している。  重みＧｉ−１，ｊ−１は、ＤＣＴ係数Ｆｉ−１，ｊ−１に付す重みであり、重み係数算出部１０６２は、重みＧｉ−１，ｊ−１を、例えば、式Ｇｉ−１，ｊ−１＝ｉ×ｊにしたがって求める。従って、重み係数算出部１０６２では、高い周波数成分のＤＣＴ係数Ｆｉ−１，ｊ−１に付す重みＧｉ−１，ｊ−１ほど、大きな値の重みが求められる。  図４４の積算部１０６３は、ＤＣＴ変換部１０６１から供給されるブロックのＤＣＴ係数Ｆｉ−１，ｊ−１に、重み係数算出部１０６２から供給される重みＧｉ−１，ｊ−１を乗算し、乗算値Ｇｉ−１，ｊ−１×Ｆｉ−１，ｊ−１を求める。そして、積算部１０６３は、ブロックの８×８個のＤＣＴ係数Ｆｉ−１，ｊ−１それぞれについて得られる乗算値Ｇｉ−１，ｊ−１×Ｆｉ−１，ｊ−１を積算し、積算値Ｖ＝ΣＧｉ−１，ｊ−１×Ｆｉ−１，ｊ−１を求める。ここで、積算値Ｖ＝ΣＧｉ−１，ｊ−１×Ｆｉ−１，ｊ−１におけるサメーションΣは、ｉ，ｊを、それぞれ、１から８までに変えてのサメーションを表す。  さらに、積算部１０６３は、注目フレームのすべてのブロックについて得られた積算値Ｖの総和Ｋを求め、注目フレームの細かさ情報として出力する。  ここで、注目フレームに高周波成分が含まれるほど、積算値Ｖの総和Ｋである細かさ情報は大きくなるので、注目フレームの画像が細かい（複雑な）画像であるということになる。  次に、図４６は、図３８の細かさ情報算出部１０３２の他の構成例を示している。  図４６において、細かさ情報算出部１０３２は、平均値算出部１０７１、差分値演算部１０７２、および積算部１０７３から構成されている。  平均値算出部１０７１と差分値演算部１０７２には、データ縮小部１０２１（図３５）からの画像データが供給される。平均値算出部１０７１は、データ縮小部１０２１からの画像データのフレームを、順次、注目フレームとし、注目フレームを、例えば、図４７に示すように、８×８画素のブロックに分割する。さらに、平均値算出部１０７１は、注目フレ��ムの各ブロックの画素値の平均値を求め、差分値演算部１０７２に供給する。  ここで、８×８画素のブロックのラスタスキャン順で、ｋ番目の画素の画素値をＰｋと表すこととすると、平均値算出部１０７１は、平均値Ｐａｖｅを、式Ｐａｖｅ＝１／（８×８）×ΣＰｋにしたがって求める。なお、平均値Ｐａｖｅ＝１／（８×８）×ΣＰｋにおけるサメーションΣは、ｋを、１から８×８（＝６４）までに変えてのサメーションを表す。  差分値演算部１０７２は、平均値算出部１０７１と同様に、注目フレームを、８×８画素のブロックに分割し、ブロックの各画素値Ｐｋと、平均値算出部１０７１から供給される、そのブロックの画素値の平均値Ｐａｖｅとの差分値の絶対値｜Ｐｋ−Ｐａｖｅ｜を求め、積算部１０７３に供給する。  積算部１０７３は、差分値演算部１０７２から供給されるブロックの各画素について求められた差分値の絶対値｜Ｐｋ−Ｐａｖｅ｜を積算し、積算値Ｑ＝Σ｜Ｐｋ−Ｐａｖｅ｜を求める。ここで、積算値Ｑ＝Σ｜Ｐｋ−Ｐａｖｅ｜におけるサメーションΣは、ｋを、１から８×８（＝６４）までに変えてのサメーションを表す。  さらに、積算部１０７３は、注目フレームのすべてのブロックについて得られた積算値Ｑの総和を求め、注目フレームの細かさ情報として出力する。  なお、注目フレームについて求められる、積算値Ｑの総和は、イントラＡＣ（Ｉｎｔｒａ−ＡＣ）と呼ばれるもので、その値が大きいほど、注目フレームにおける画素値にばらつきが大きい。従って、積算値Ｑの総和である細かさ情報が大きいほど、注目フレームの画像が細かい（複雑な）画像であるということになる。  ここで、本実施の形態では、上述した動き情報や細かさ情報といった変化量は、後述するように、スクラブ（を含む変速再生）に利用されるが、変化量は、その他、例えば、シーンチェンジを検出する場合や、ＭＰＥＧ符号化の効率化を図る場合などに利用することができる。  次に、図４８から図５４を参照して、図３５の表示タイプ決定部１０２３について説明する。  図４８は、変化量算出部１０２２（図３５）で求められるフレームごとの変化量を示している。なお、図４８において、横軸はフレーム（先頭から何番目のフレームであるか）を表し、縦軸は変化量を表す。  いま、変化量が、例えば、動き情報であるとすると、動きの激しい（大きい）フレームでは、変化量も大きくなり、動きのない（少ない）フレームでは、変化量は小さくなる。  表示タイプ決定部１０２３（図３５）は、変化量算出部１０２２において求められる、図４８に示したようなフレーム単位の変化量に基づき、各フレームを表示するときの表示方法を表す表示タイプを、複数の表示タイプの中から決定する。  図４９は、表示タイプ決定部１０２３が決定する表示タイプの例を示している。  図４９においては、表示タイプとして、静止画での表示を表す静止画タイプＶ１、並びに、フレームを表示するときの解像度やフレームを表示するときの表示レート（フレームレート）が異なる通常タイプＶ２、および高表示レート低解像度タイプＶ３の３つがある。  ここで、フレームを表示するときの解像度とは、ディスプレイ４０（図１）等の表示装置に表示される画像の空間解像度を意味する。例えば、本線データ��プロキシデータそれぞれとしての画像データについては、本線データの方が解像度が高く、プロキシデータの方が解像度が低い。  また、フレームを表示するときの表示レートとは、ディスプレイ４０等の表示装置において表示を更新する周波数（周期）を意味する。例えば、動画のフレームレート（例えば、３０Ｈｚなど）と同一の表示レートで表示を更新するとともに、表示対象のフレームを、フレームレートと同一のレートで、あるフレームからその次のフレーム（あるフレームの時間的に次のフレーム）に更新すれば、動画が１倍速で表示される。  さらに、例えば、動画のフレームレートの２倍の表示レートで表示を更新するとともに、表示対象のフレームを、フレームレートの２倍のレートで、あるフレームからその次のフレームに更新すれば、動画が２倍速で表示される。  なお、例えば、動画のフレームレートと同一の表示レートで表示を更新するとともに、表示対象のフレームを、フレームレートの２倍のレートで、あるフレームからその次のフレームに更新すれば、動画は、やはり、２倍速で表示される。  但し、動画のフレームレートの２倍の表示レートで表示を更新するとともに、表示対象のフレームを、フレームレートの２倍のレートで更新する場合には、動画を構成するフレームが、いわばコマ落ちすることなくすべて表示されるが、動画のフレームレートと同一の表示レートで表示を更新するとともに、表示対象のフレームを、フレームレートの２倍のレートで更新する場合には、動画を構成するフレームが１フレームおきに表示されるコマ落ち状態となる。  従って、表示対象のフレームが、フレームレートよりも高いレートで更新される場合には、表示レートを高くすることにより、コマ落ちを防止（低減）することができる。  静止画タイプＶ１のフレームについては、例えば、表示対象のフレームが変更されても、その表示対象のフレームの画像が、直前に表示されたフレーム（の画像）と同一の画像であるとみなすことができる限り、直前に表示されたフレーム（の画像）が表示される（し続けられる）。  通常タイプＶ２のフレームについては、例えば、動画のフレームレートと同一の表示レート（以下、適宜、通常レートという）で、本線データとしての画像データと同一の解像度（プロキシデータとしての画像データよりも高い解像度）（以下、適宜、通常解像度という）で、画像が表示される。  高表示レート低解像度タイプＶ３のフレームについては、例えば、通常レートよりも高い、例えば、通常レートの２倍の表示レートで、プロキシデータとしての画像データと同一の解像度（本線データとしての画像データよりも低い解像度）で、画像が表示される。  表示タイプとして、図４９に示したように、３つの静止画タイプＶ１、通常タイプＶ２、および高表示レート低解像度タイプＶ３がある場合、変化量算出部１０２２では、フレームの時間的な変化の程度を表す動き情報が、変化量として求められる。そして、表示タイプ決定部１０２３は、例えば、各フレームの変化量（動き情報）と、２つの所定の閾値とを比較し、その比較の結果に基づき、フレームの表示タイプを、静止画タイプＶ１、通常タイプＶ２、または高表示レート低解像度タイプＶ３のうちのいずれかに決定��る。  即ち、図５０は、図４８に示したフレーム単位の変化量に基づき、表示タイプ決定部１０２３がフレーム単位で決定する表示タイプを示している。  表示タイプ決定部１０２３は、フレーム単位の変化量（動き情報）を、式Ｌ＜Ｈの関係がある閾値Ｌまたは閾値Ｈと比較する。そして、表示タイプ決定部１０２３は、動き情報が閾値Ｈ以上のフレーム、即ち、動き情報が時間的な変化の程度が大であることを表すフレームの表示タイプを、低い解像度、または高い表示レートの低解像度／高表示レートタイプの一種である高表示レート低解像度タイプＶ３に決定する。  ここで、例えば、編集で行われるスクラブにおいて、時間的な変化の程度が大のフレーム、つまり、動きが大きいフレームの表示においてコマ落ちが生じると、画像の時間的な変化を見逃しやすくなるため、動きが大きいフレームは、高い表示レートで表示することが望ましい。  しかしながら、表示レートを高くすると、スクラブを行う装置にかかる負担が大きくなる。さらに、動きが大きいフレームのデータ量は多いため、その処理の負担は、動きが大きくないフレームの処理の負担よりも大きい。  そこで、本実施の形態では、動きが大きいフレームについては、高い表示レートで表示するが、その代わりに、解像度が低い画像を表示する低解像度／高表示レートタイプの一種である高表示レート低解像度タイプＶ３を採用することとする。解像度が低い画像は、解像度が高い画像に比較して、データ量が少ないので、動きが大きいフレームについて、低い解像度の画像を、高い表示レートで表示することにより、編集において画像の時間的な変化を見逃すことを防止しながら、スクラブを行う装置にかかる負担を低減することができる。  一方、表示タイプ決定部１０２３は、動き情報が閾値Ｌ未満のフレーム、即ち、動き情報が時間的な変化の程度が小であることを表すフレームの表示タイプを、静止画での表示を表す静止画タイプＶ１に決定する。  ここで、例えば、編集で行われるスクラブにおいて、時間的な変化の程度が小のフレーム、つまり、動きがない（ほとんどない）フレームが連続している場合に、そのようなフレームの中で、表示対象のフレームが更新されたときに、ディスプレイ４０（図１）等の表示装置の表示を、直前に表示されたフレーム（の画像）から、更新後の表示対象のフレーム（の画像）に変更しても、表示装置に表示される画像は（ほとんど）変化しない。  このように、表示装置に表示される画像が変化しないのにもかかわらず、表示対象のフレームが更新されたときに、表示装置の表示を、直前に表示されたフレームから、更新後の表示対象のフレームに変更することは、スクラブを行う装置に、いわば無駄な負担をかけることになる。  また、動きがない（ほとんどない）フレームが連続している場合に、そのようなフレームの中で、表示対象のフレームが更新されたときに、ディスプレイ４０（図１）等の表示装置の表示を、直前に表示されたフレームから、更新後の表示対象のフレームに変更すると、表示装置に表示される画像が僅かに変化することがある。この場合、動きがないフレームが連続し、編集点として設定されることがほとんどないフレームの区間において、スクラブを行う装置を操作するオ��レータの注意を、いわば無駄にひくことになり、オペレータに負担をかけることになる。  そこで、本実施の形態では、動きがないフレームについては、表示対象のフレームが変更されても、その表示対象のフレームの画像が、直前に表示されたフレームと同一の画像であるとみなすことができる限り、直前に表示されたフレーム（の画像）が表示される静止画タイプＶ１を採用することとする。これにより、スクラブを行う装置や、その操作を行うオペレータに無駄な負担をかけることを防止することができる。  表示タイプ決定部１０２３は、動き情報が閾値Ｈ以上のフレーム、および動き情報が閾値Ｌ未満のフレーム以外のフレーム、つまり、動き情報が、閾値Ｌ以上で閾値Ｈ未満のフレームの表示タイプを、通常タイプＶ２に決定する。  即ち、ある程度の動きがあるが、それほど大きな動きではないフレームについては、通常レート（動画のフレームレートと同一の表示レート）で、かつ、通常解像度で、画像を表示する通常タイプＶ２が採用される。  ここで、動画を構成する時系列のフレーム（の並び）において、表示タイプが静止画タイプＶ１のフレームが連続する区間を、静止画区間といい、表示タイプが通常タイプＶ２のフレームが連続する区間を、通常区間という。また、表示タイプが高表示レート低解像度タイプＶ３のフレームが連続する区間を、高表示レート低解像度区間という。  次に、図５１は、図３５の表示タイプ決定部１０２３の構成例を示している。  図５１において、表示タイプ決定部１０２３は、記憶部１０８１、閾値処理部１０８２、連続性判定部１０８３、および決定部１０８４で構成されている。  記憶部１０８１には、変化量算出部１０２２（図３５）からフレーム単位の変化量が供給される。記憶部１０８１は、変化量算出部１０２２からのフレーム単位の変化量を一時記憶する。  閾値処理部１０８２は、記憶部１０８１に記憶されたフレーム単位の変化量と、閾値ＨまたはＬとを比較し、その比較の結果を表す比較情報を、フレーム単位で、連続性判定部１０８３と決定部１０８４に供給する。  連続性判定部１０８３は、閾値処理部１０８２からのフレーム単位の比較情報に基づき、閾値Ｈ以上の変化量のフレームが、ある複数のフレーム数であるＮフレーム以上連続するかどうかと、閾値Ｈ未満の変化量のフレームが、Ｎフレーム以上連続するかどうか等を判定し、その判定結果を表す判定情報を、決定部１０８４に供給する。  決定部１０８４は、閾値処理部１０８２からの比較情報や、連続性判定部１０８３からの判定情報に基づき、動画を構成する各フレームの表示タイプを決定して出力する。  次に、図５２および図５３のフローチャートを参照して、図５１の表示タイプ決定部１０２３の処理について説明する。  表示タイプ決定部１０２３は、変化量算出部１０２２（図３５）からフレーム単位の変化量が供給されると、ステップＳ１０１１において、そのフレーム単位の変化量を、記憶部１０８１にキャッシュ（一時記憶）させ、ステップＳ１０１２に進む。  ここで、変化量算出部１０２２から表示タイプ決定部１０２３には、例えば、動き情報が変化量として供給されることとする。また、表示タイプ決定部１０２３は、例えば、図４９に示した静止画タイプＶ１、通常タイプＶ２、および高表示レート低解像度タイプＶ３のうちの３つの中から、各フレームの表示タイプを決定することとする。  ステップＳ１０１２では、閾値処理部１０８２が、記憶部１０８１に記憶されたフレーム単位の変化量（動き情報）と、閾値ＨまたはＬ（の一方、あるいは両方）とを比較する閾値処理を行い、フレーム単位の変化量と、閾値ＨまたはＬとの比較の結果を表す比較情報を、フレーム単位で、連続性判定部１０８３に供給して、ステップＳ１０１３に進む。  ステップＳ１０１３では、連続性判定部１０８３が、いま、Ｆｙファイル作成部１００４（図３５）でＦｙファイルを作成しようとしている動画を構成するフレームのうちの、例えば、まだ、注目フレームとしていない時系列順で最も先行するフレームを、注目フレームに選択し、ステップＳ１０１４に進む。  ステップＳ１０１４では、連続性判定部１０８３が、閾値処理部１０８２からの比較情報に基づき、注目フレームの変化量が閾値Ｈ以上であり、注目フレームの直前か、直後、または前後に亘って、変化量が閾値Ｈ以上のフレームが、上述した複数フレーム数であるＮフレーム以上連続して存在するかどうかを判定する。  ステップＳ１０１４において、注目フレームの変化量が閾値Ｈ以上であり、注目フレームの直前か、直後、または前後に亘って、変化量が閾値Ｈ以上のフレームがＮフレーム以上連続して存在すると判定された場合、連続性判定部１０８３は、その判定の結果を表す判定情報を、決定部１０８４に供給して、ステップＳ１０１５に進む。  ステップＳ１０１５では、決定部１０８４は、連続性判定部１０８３からの判定情報に基づき、注目フレームの表示タイプを、高表示レート低解像度タイプＶ３に決定し、ステップＳ１０２０に進む。  ここで、ステップＳ１０１４およびＳ１０１５によれば、注目フレームの変化量が閾値Ｈ以上であるだけでなく、さらに、注目フレームの直前か、直後、または前後に亘って、変化量が閾値Ｈ以上のフレームがＮフレーム以上連続して存在する場合に、注目フレームの表示タイプが、高表示レート低解像度タイプＶ３に決定されるが、これは、次のような理由による。  即ち、後述するように、表示タイプが静止画タイプＶ１、通常タイプＶ２、および高表示レート低解像度タイプＶの３つの中から決定される場合には、スクラブにおいて、表示タイプが静止画タイプＶ１のフレームと、通常タイプＶ２のフレームとについては、解像度が高い画像（通常解像度の画像）、つまり、（プロキシデータよりも）データ量が多い本線データの画像データを処理して画像が表示される。一方、表示タイプが高表示レート低解像度タイプＶ３のフレームについては、解像度が低い画像、つまり、（本線データよりも）データ量が少ないプロキシデータの画像データを処理して画像が表示される。  いま、例えば、記憶装置２２（図１）が、本線データとプロキシデータとが記録されるプロフェッショナルディスクである場合において、その記憶装置２２に記録された本線データ、またはプロキシデータを用いてスクラブを行うこととすると、表示タイプが静止画タイプＶ１または通常タイプＶ２のフレームについては、記憶装置２２から本線データを読み出す必要があり、高表示��ート低解像度タイプＶ３のフレームについては、記憶装置２２からプロキシデータを読み出す必要がある。  記憶装置２２において、本線データとプロキシデータとは、物理的に離れた位置に記録されるため、例えば、極端には、表示タイプが、静止画タイプＶ１または通常タイプＶ２のフレームと、高表示レート低解像度タイプＶ３のフレームとが交互に現れると、記憶装置２２（に記録されたデータ）を対象としたスクラブ時に、シークが頻繁に発生し、スクラブを行う装置の性能によっては、スクラブバー６６（図３）の操作によって指定されたフレームの表示をスムースに行うことが困難になることがある。  そこで、本実施の形態では、シークが頻繁に発生するのを防止するために、表示タイプが高表示レート低解像度タイプＶ３のフレームが、Ｎフレーム以上連続し、かつ、表示タイプが静止画タイプＶ１または通常タイプＶ２のフレームも、Ｎフレーム以上連続するように、表示タイプが決定される。  即ち、例えば、上述したように、ステップＳ１０１４およびＳ１０１５において、注目フレームの変化量が閾値Ｈ以上であり、注目フレームの直前か、直後、または前後に亘って、変化量が閾値Ｈ以上のフレームがＮフレーム以上連続して存在する場合に、注目フレームの表示タイプが、高表示レート低解像度タイプＶ３に決定される。  ここで、フレーム数Ｎは、例えば、記憶装置２２を再生するドライブ５等の最大のシーク時間や、Ｆｙファイル作成部１００４（図３５）でＦｙファイルを作成しようとしている動画を構成するフレームの総数等を考慮して決定することができる。また、フレーム数Ｎは、オペレータの操作に対応して決定しても良い。  また、フレーム数Ｎは、表示タイプを決定するときに、変化量が閾値Ｈ以上のフレームが連続して存在すべき最小のフレーム数（さらには、後述するように、変化量が閾値Ｈ未満のフレームが連続して存在すべき最小のフレーム数）であるので、以下、適宜、最小限度フレーム数Ｎという。  なお、シークが問題となるのは、動画を構成する時系列のフレームにおいて、本線データを用いて画像が表示される静止画タイプＶ１または通常タイプＶ２のフレームと、プロキシデータを用いて画像が表示される高表示レート低解像度タイプＶ３のフレームとが、頻繁に切り替わる場合である。いずれも本線データを用いて画像が表示される静止画タイプＶ１のフレームと、通常タイプＶ２のフレームとが切り替わる場合は、シークは問題とならない。  一方、ステップＳ１０１４において、注目フレームの変化量が閾値Ｈ以上でないと判定されるか、または、注目フレームの変化量が閾値Ｈ以上であっても、注目フレームの直前、直後、および前後のいずれにも、変化量が閾値Ｈ以上のフレームが最小限度フレーム数Ｎ以上連続して存在しないと判定された場合、ステップＳ１０１６に進み、連続性判定部１０８３が、閾値処理部１０８２からの比較情報に基づき、注目フレームの変化量が閾値Ｈ未満であり、注目フレームの直前か、直後、または前後に亘って、変化量が閾値Ｈ未満のフレームが、最小限度フレーム数Ｎ以上連続して存在するかどうかを判定する。  ステップＳ１０１６において、注目フレームの変化量が閾値Ｈ未満であり、注目フレームの直前か、���後、または前後に亘って、変化量が閾値Ｈ未満のフレームが最小限度フレーム数Ｎ以上連続して存在すると判定された場合、連続性判定部１０８３は、その判定の結果を表す判定情報を、決定部１０８４に供給して、ステップＳ１０１７に進む。  注目フレームの変化量が閾値Ｈ未満であり、注目フレームの直前か、直後、または前後に亘って、変化量が閾値Ｈ未満のフレームが最小限度フレーム数Ｎ以上連続して存在するとの判定の結果を表す判定情報の供給を連続性判定部１０８３から受けた決定部１０８４は、ステップＳ１０１７において、閾値処理部１０８２からの比較情報に基づき、注目フレームの変化量が閾値Ｌ以上であるかどうかを判定する。  ステップＳ１０１７において、注目フレームの変化量が閾値Ｌ以上であると判定された場合、即ち、注目フレームの変化量が閾値Ｌ以上閾値Ｈ未満である場合、ステップＳ１０１８に進み、決定部１０８４は、注目フレームの表示タイプを、通常タイプＶ２に決定して、ステップＳ１０２０に進む。  また、ステップＳ１０１７において、注目フレームの変化量が閾値Ｌ以上でないと判定された場合、即ち、注目フレームの変化量が閾値Ｌ未満である場合、ステップＳ１０１９に進み、決定部１０８４は、注目フレームの表示タイプを、静止画タイプＶ１に決定して、ステップＳ１０２０に進む。  ここで、ステップＳ１０１６〜Ｓ１０１９によれば、注目フレームの変化量が閾値Ｈ未満であり、注目フレームの直前か、直後、または前後に亘って、変化量が閾値Ｈ未満のフレームがＮフレーム以上連続して存在する場合に、注目フレームの表示タイプが、その注目フレームの変化量が閾値Ｌ以上であれば、通常タイプＶ２に決定され、注目フレームの変化量が閾値Ｌ未満であれば、静止画タイプＶ１に決定されるが、これは、上述したように、スクラブ時に、シークが頻繁に発生することを防止するためである。  ステップＳ１０２０では、連続性判定部１０８３が、いま、Ｆｙファイル作成部１００４（図３５）でＦｙファイルを作成しようとしている動画を構成するフレームの中で、まだ、注目フレームに選択していないフレームがあるかどうかを判定する。  ステップＳ１０２０において、まだ、注目フレームに選択していないフレームがあると判定された場合、ステップＳ１０１３に戻り、上述したように、まだ、注目フレームに選択していないフレームが、注目フレームに新たに選択され、以下、同様の処理が繰り返される。  また、ステップＳ１０２０において、注目フレームに選択していないフレームがないと判定された場合、表示タイプ決定部１０２３は、処理を終了する。  一方、ステップＳ１０１６において、注目フレームの変化量が閾値Ｈ未満でないと判定されるか、または、注目フレームの変化量が閾値Ｈ未満であっても、注目フレームの直前か、直後、および前後のいずれにも、変化量が閾値Ｈ未満のフレームが最小限度フレーム数Ｎ以上連続して存在しないと判定された場合、図５３のステップＳ１０２１に進み、連続性判定部１０８３は、注目フレームの直前か、直後、または前後に亘って、変化量が閾値Ｈをまたぐフレームが、最小限度フレーム数Ｎ以上連続して存在するかどうかを判定する。  ここで、図５４は、フレーム単位の変化量を���している。なお、図５４において、横軸はフレームを表し、縦軸は変化量を表す。また、図５４では、閾値ＨとＬのうちの、閾値Ｈのみを図示してある。  注目フレームの変化量が閾値Ｈ以上であり、注目フレームの直前か、直後、または前後に亘って、変化量が閾値Ｈ以上のフレームがＮフレーム以上連続して存在する場合には、図５２のステップＳ１０１５において、注目フレームの表示タイプは、高表示レート低解像度タイプＶ３に決定される。  また、注目フレームの変化量が閾値Ｈ未満であり、注目フレームの直前か、直後、または前後に亘って、変化量が閾値Ｈ未満のフレームが最小限度フレーム数Ｎ以上連続して存在する場合には、図５２のステップＳ１０１８またはＳ１０１９において、注目フレームの表示タイプは、通常タイプＶ２または静止画タイプＶ１に決定される。  従って、図５３のステップＳ１０２１の処理が行われるのは、注目フレームの直前か、直後、および前後のいずれにも、変化量が閾値Ｈ以上のフレームがＮフレーム以上連続して存在せず、かつ、変化量が閾値Ｈ未満のフレームも最小限度フレーム数Ｎ以上連続して存在しない場合、つまり、注目フレームが、例えば、図５４の区間Ｔ１，Ｔ２，Ｔ３，Ｔ４として示すような、変化量が閾値Ｈをまたぐフレームが存在する区間（変化量が閾値Ｈ以上のフレームと、閾値Ｈ未満のフレームとが混在する区間）であり、かつ、変化量が閾値Ｈ以上のフレームが連続するフレーム数と、変化量が閾値Ｈ未満のフレームが連続するフレーム数が、多くても最小限度フレーム数Ｎ未満の区間（以下、適宜、混在区間という）のフレームである場合である。  なお、混在区間は、図５４に示すように、必ず、変化量が閾値Ｈ以上のフレームがＮフレーム以上連続して存在する区間（以下、適宜、大変化量区間という）と、変化量が閾値Ｈ未満のフレームが最小限度フレーム数Ｎ以上連続して存在する区間（以下、適宜、小変化量区間という）との間か、２つの大変化量区間どうしの間、または、２つの小変化量区間どうしの間に挟まれる形で存在する。  混在区間は、区間長（フレーム数）が最小限度フレーム数Ｎ以上の区間と、最小限度フレーム数Ｎ未満の区間とに分けることができる。ここで、図５４における混在区間Ｔ１〜Ｔ４のうちの、混在区間Ｔ２は、区間長が最小限度フレーム数Ｎ以上の区間であり、他の混在区間Ｔ１，Ｔ３，Ｔ４は、区間長が最小限度フレーム数Ｎ未満の区間である。  また、混在区間は、大変化量区間と小変化量区間との間に挟まれる区間、大変化量区間どうしの間に挟まれる区間、または小変化量区間どうしの間に挟まれる区間のうちのいずれかに分けることができる。ここで、図５４における混在区間Ｔ１〜Ｔ４のうちの、混在区間Ｔ１とＴ２は、大変化量区間どうしの間に挟まれる区間であり、混在区間Ｔ３は、大変化量区間と小変化量区間との間に挟まれる区間である。また、混在区間Ｔ４は、小変化量区間どうしの間に挟まれる区間である。  図５３に戻り、上述したように、ステップＳ１０２１において、連続性判定部１０８３は、注目フレームの直前か、直後、または前後に亘って、変化量が閾値Ｈをまたぐフレームが、最小限度フレーム数Ｎ以上連続して存在するかどうか、即ち、注目フレームが存在す��混在区間が、区間長が最小限度フレーム数Ｎ以上の区間であるか否かを判定する。  ステップＳ１０２１において、注目フレームの直前か、直後、または前後に亘って、変化量が閾値Ｈをまたぐフレームが、最小限度フレーム数Ｎ以上連続して存在すると判定された場合、即ち、注目フレームが存在する混在区間が、例えば、図５４の混在区間Ｔ２のような、区間長が最小限度フレーム数Ｎ以上の区間である場合、ステップＳ１０２２に進み、決定部１０８４は、注目フレームの表示タイプを、例えば、通常タイプＶ２に決定して、図５２のステップＳ１０２０に進み、以下、上述した処理が行われる。  即ち、変化量が閾値Ｈをまたぐフレームが、最小限度フレーム数Ｎ以上連続して存在する混在区間のフレームについては、そのすべてのフレームの表示タイプを、本線データ（としての画像データ）を用いて画像が表示される通常タイプＶ２とするか、または、プロキシデータ（としての画像データ）を用いて画像が表示される高表示レート低解像度タイプＶ３にすることによって、シークが頻繁に発生することを防止することができる。  そこで、本実施の形態では、変化量が閾値Ｈをまたぐフレームが最小限度フレーム数Ｎ以上連続して存在する混在区間のフレームの表示タイプは、すべて、通常タイプＶ２とされる。なお、変化量が閾値Ｈをまたぐフレームが最小限度フレーム数Ｎ以上連続して存在する混在区間のフレームの表示タイプは、すべて、通常タイプＶ２とする他、高表示レート低解像度タイプＶ３とすることが可能である。  ここで、シークが頻繁に発生することを防止することだけに注目すれば、混在区間のフレームの表示タイプを、本線データを用いて画像が表示される静止画タイプＶ１とすることも可能である。しかしながら、混在区間は、変化量が閾値Ｈをまたぐフレームが存在する区間であるから、混在区間のフレームの表示タイプを、変化量が閾値Ｌ未満のフレームの表示タイプである静止画タイプＶ１とすることは好ましくない。このため、混在区間のフレームの表示タイプは、通常タイプＶ２または高表示レート低解像度タイプＶ３のうちのいずれかとされる。  一方、ステップＳ１０２１において、注目フレームの直前か、直後、および前後のいずれにも、変化量が閾値Ｈをまたぐフレームが、最小限度フレーム数Ｎ以上連続して存在しないと判定された場合、即ち、注目フレームが存在する混在区間（以下、適宜、注目混在区間という）が、例えば、図５４の混在区間Ｔ１やＴ３，Ｔ４のような、区間長が最小限度フレーム数Ｎ未満の区間である場合、ステップＳ１０２３に進み、連続性判定部１０８３は、区間長が最小限度フレーム数Ｎ未満の注目混在区間の左側にある、時間的に先行するフレームのうちの、注目混在区間に隣接するフレーム（以下、適宜、左フレームという）の変化量と、注目混在区間の右側にある、時間的に後行するフレームのうちの、注目混在区間に隣接するフレーム（以下、適宜、右フレームという）の変化量とのうちのいずれか一方の変化量が閾値Ｈ以上であり、他方の変化量が閾値Ｈ未満であるかどうか、つまり、区間長が最小限度フレーム数Ｎ未満の注目混在区間が、大変化量区間と小変化量区間との間に挟まれる区間であるかどうかを判定する。  ステ��プＳ１０２３において、区間長が最小限度フレーム数Ｎ未満の注目混在区間が、大変化量区間と小変化量区間との間に挟まれる区間であると判定された場合、即ち、区間長が最小限度フレーム数Ｎ未満の注目混在区間が、例えば、図５４の混在区間Ｔ３のような、大変化量区間と小変化量区間とに挟まれる混在区間である場合、ステップＳ１０２２に進み、上述したように、決定部１０８４は、注目フレームの表示タイプを、通常タイプＶ２に決定して、図５２のステップＳ１０２０に進み、以下、上述した処理が行われる。  即ち、区間長が最小限度フレーム数Ｎ未満の注目混在区間を挟む大変化量区間と小変化量区間とは、いずれも、区間長が最小限度フレーム数Ｎ以上の区間である。さらに、大変化量区間のフレームの表示タイプは、プロキシデータを用いて画像が表示される高表示レート低解像度タイプＶ３に決定され、小変化量区間のフレームの表示タイプは、本線データを用いて画像が表示される通常タイプＶ２または静止画タイプＶ１に決定される。  また、大変化量区間と小変化量区間とに挟まれる、区間長が最小限度フレーム数Ｎ未満の注目混在区間のフレームについては、その大変化量区間のフレームの表示タイプとして決定される高表示レート低解像度タイプＶ３、またはその小変化量区間のフレームの表示タイプとして決定される通常タイプＶ２と同一の表示タイプとすることにより、高表示レート低解像度タイプＶ３または通常タイプＶ２のフレームが、最小限度フレーム数Ｎ以上連続することとなって、シークが頻繁に発生することを防止することができる。  そこで、本実施の形態では、変化量が閾値Ｈをまたぐフレームが最小限度フレーム数Ｎ未満の注目混在区間であって、大変化量区間と小変化量区間とに挟まれる注目混在区間のフレームの表示タイプは、すべて、通常タイプＶ２とされる。なお、変化量が閾値Ｈをまたぐフレームが最小限度フレーム数Ｎ未満の注目混在区間であって、大変化量区間と小変化量区間とに挟まれる注目混在区間のフレームの表示タイプは、すべて、通常タイプＶ２とする他、高表示レート低解像度タイプＶ３とすることが可能である。  一方、ステップＳ１０２３において、区間長が最小限度フレーム数Ｎ未満の注目混在区間が、大変化量区間と小変化量区間との間に挟まれる区間でないと判定された場合、ステップＳ１０２４に進み、連続性判定部１０８３は、区間長が最小限度フレーム数Ｎ未満の注目混在区間の左側にある、時間的に先行するフレームのうちの、注目混在区間に隣接するフレーム（左フレーム）の変化量と、注目混在区間の右側にある、時間的に後行するフレームのうちの、注目混在区間に隣接するフレーム（右フレーム）の変化量とのいずれもが閾値Ｈ以上であるかどうかあるかどうか、つまり、区間長が最小限度フレーム数Ｎ未満の注目混在区間が、大変化量区間どうしの間に挟まれる区間であるかどうかを判定する。  ステップＳ１０２４において、区間長が最小限度フレーム数Ｎ未満の注目混在区間が、大変化量区間どうしの間に挟まれる区間でないと判定された場合、即ち、区間長が最小限度フレーム数Ｎ未満の注目混在区間が、例えば、図５４の混在区間Ｔ４のような、小変化量区間どうしの間に挟まれる混在区間である場合、ス���ップＳ１０２２に進み、上述したように、決定部１０８４は、注目フレームの表示タイプを、通常タイプＶ２に決定して、図５２のステップＳ１０２０に進み、以下、上述した処理が行われる。  即ち、２つの小変化量区間どうしの間に挟まれる、区間長が最小限度フレーム数Ｎ未満の注目混在区間のフレームについては、その２つの小変化量区間のフレームの表示タイプとして決定される（決定されうる）通常タイプＶ２と同一の表示タイプとすることにより、通常タイプＶ２のフレームが最小限度フレーム数Ｎ以上連続することとなって、シークが頻繁に発生することを防止することができる。  一方、ステップＳ１０２４において、区間長が最小限度フレーム数Ｎ未満の注目混在区間が、大変化量区間どうしの間に挟まれる区間であると判定された場合、即ち、区間長が最小限度フレーム数Ｎ未満の注目混在区間が、例えば、図５４の混在区間Ｔ１のような、大変化量区間どうしの間に挟まれる混在区間である場合、ステップＳ１０２５に進み、決定部１０８４は、注目フレームの表示タイプを、高表示レート低解像度タイプＶ３に決定して、図５２のステップＳ１０２０に進み、以下、上述した処理が行われる。  即ち、２つの大変化量区間どうしの間に挟まれる、区間長が最小限度フレーム数Ｎ未満の注目混在区間のフレームについては、その２つの大変化量区間のフレームの表示タイプとして決定される高表示レート低解像度タイプＶ３と同一の表示タイプとすることにより、高表示レート低解像度タイプＶ３のフレームが最小限度フレーム数Ｎ以上連続することとなって、シークが頻繁に発生することを防止することができる。  次に、図５５は、図３５の変化量算出部１０２２において、変化量として動き情報が求められ、表示タイプ決定部１０２３において、動き情報に基づき、表示タイプが決定され、選択部１０２４において、変化量と表示タイプの両方が選択された場合の、図３５のファイル作成部１０２５が作成するＦｙファイルの例を示している。  図５５のＦｙファイルにおいては、左から右方向に、先頭から何番目のフレームかを表すフレームナンバ、フレームナンバに対応するフレームのタイムコード、フレームナンバに対応するフレームの変化量としての動き情報、フレームナンバに対応するフレームの表示タイプが、順次配置されている。  なお、図５５のＦｙファイルでは、表示タイプは、図４９に示した静止画タイプＶ１、通常タイプＶ２、高表示レート低解像度タイプＶ３の３つのうちのいずれかに決定されている。  さらに、図５５のＦｙファイルでは、表示タイプの決定には、閾値ＬとＨとして、それぞれ１と５が採用されている。また、最小限度フレーム数Ｎは、Ｆｙファイルを作成した動画のフレームの総数Ｆと、所定の係数Ｐとから、式Ｎ＝Ｆ×Ｐによって求められる値が採用されている。ここで、Ｆｙファイルを作成した動画のフレームの総数Ｆが、例えば、３０００フレームであり、所定の係数Ｐが、例えば、０．０１であるとすると、最小限度フレーム数Ｎは、３０（＝３０００×０．０１）フレームである。  次に、図４９では、変化量として、動き情報を採用し、フレームの動き情報に基づいて、そのフレームの表示タイプを、静止画タイプＶ１、通常タイプＶ２、高表��レート低解像度タイプＶ３の３つのうちのいずれかに決定するようにしたが、フレームの表示タイプを決定する決定方法は、これに限定されるものではない。  即ち、図５６は、図３５の表示タイプ決定部１０２３が決定する表示タイプの他の例を示している。  図５６においては、表示タイプとして、静止画での表示を表す静止画タイプＶ１１、並びに、フレームを表示するときの解像度やフレームを表示するときの表示レートが異なる通常タイプＶ１２、高表示レート通常解像度タイプＶ１３、超高表示レート低解像度タイプＶ１４、および超超高表示レート低解像度タイプＶ１５の５つがある。  静止画タイプＶ１１のフレームについては、図４９の静止画タイプＶ１と同様に、表示対象のフレームが変更されても、その表示対象のフレームの画像が、直前に表示されたフレーム（の画像）と同一の画像であるとみなすことができる限り、直前に表示されたフレーム（の画像）が表示される（し続けられる）。  通常タイプＶ１２のフレームについては、図４９の通常タイプＶ２と同様に、動画のフレームレートと同一の表示レート（通常レート）で、本線データとしての画像データと同一の解像度（通常解像度）で、画像が表示される。  高表示レート通常解像度タイプＶ１３のフレームについては、通常レートよりも高い、例えば、通常レートの２倍の表示レートで、本線データとしての画像データと同一の解像度（通常解像度）で、画像が表示される。  超高表示レート低解像度タイプＶ１４のフレームについては、高表示レート通常解像度タイプＶ１３の表示レートよりも高い、例えば、通常レートの３倍の表示レートで、プロキシデータとしての画像データと同一の解像度（本線データとしての画像データよりも低い解像度）で、画像が表示される。  超超高表示レート低解像度タイプＶ１５のフレームについては、超高表示レート低解像度タイプＶ１４の表示レートよりも高い、例えば、通常レートの４倍の表示レートで、プロキシデータとしての画像データと同一の解像度（本線データとしての画像データよりも低い解像度）で、画像が表示される。  ここで、通常レートが、例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式と同一の（約）３０フレーム／秒であるとすると、通常タイプＶ１２、高表示レート通常解像度タイプＶ１３、超高表示レート低解像度タイプＶ１４、超超高表示レート低解像度タイプＶ１５の表示レートは、それぞれ、３０，６０，９０，１２０フレーム／秒である。  表示タイプとして、図５６に示したように、５つの静止画タイプＶ１１、通常タイプＶ１２、高表示レート通常解像度タイプＶ１３、超高表示レート低解像度タイプＶ１４、および超超高表示レート低解像度タイプＶ１５がある場合、変化量算出部１０２２（図３５）では、フレームの時間的な変化の程度を表す動き情報が、変化量として求められる。そして、表示タイプ決定部１０２３（図３５）は、例えば、各フレームの動き情報と、４つの所定の閾値とを比較し、その比較の結果に基づき、フレームの表示タイプを、静止画タイプＶ１１、通常タイプＶ１２、高表示レート通常解像度タイプＶ１３、超高表示レート低解像度タイプＶ１４、または超超高表示レ��ト低解像度タイプＶ１５のうちのいずれかに決定する。  即ち、図５７は、フレーム単位の変化量としての動き情報と、その変化量に基づき、表示タイプ決定部１０２３（図３５）がフレーム単位で決定する表示タイプとを示している。  なお、図５７において、横軸はフレームを表し、縦軸は変化量を表す。  表示タイプ決定部１０２３（図３５）は、フレーム単位の変化量（動き情報）を、式ＴＨ１＜ＴＨ２＜ＴＨ３＜ＴＨ４の関係がある閾値ＴＨ１，ＴＨ２，ＴＨ３，ＴＨ４と比較する。そして、表示タイプ決定部１０２３は、動き情報が閾値ＴＨ４以上のフレーム、即ち、動き情報が時間的な変化の程度が極めて大であることを表すフレームの表示タイプを、低い解像度、または高い表示レートの低解像度／高表示レートタイプの一種である超超高表示レート低解像度タイプＶ１５に決定する。図５７では、動き情報が閾値ＴＨ４以上のフレームが連続する区間Ｄ５のフレームの表示タイプが、超超高表示レート低解像度タイプＶ１５に決定されている。  また、表示タイプ決定部１０２３は、動き情報が閾値ＴＨ３以上で閾値ＴＨ４未満のフレーム、即ち、動き情報が時間的な変化の程度が極めて大に近い程度に大であることを表すフレームの表示タイプを、低い解像度、または高い表示レートの低解像度／高表示レートタイプの一種であり、超超高表示レート低解像度タイプＶ１５より表示レートが低い超高表示レート低解像度タイプＶ１４に決定する。図５７では、動き情報が閾値ＴＨ３以上で閾値ＴＨ４未満のフレームが連続する区間Ｄ４とＤ６のフレームの表示タイプが、超高表示レート低解像度タイプＶ１４に決定されている。  さらに、表示タイプ決定部１０２３は、動き情報が閾値ＴＨ２以上で閾値ＴＨ３未満のフレーム、即ち、動き情報が時間的な変化の程度が極めて大までには至らないが、それでも大であることを表すフレームの表示タイプを、超高表示レート低解像度タイプＶ１４より表示レートが低く、かつ解像度が高い高表示レート通常解像度タイプＶ１３に決定する。図５７では、動き情報が閾値ＴＨ２以上で閾値ＴＨ３未満のフレームが連続する区間Ｄ３とＤ７のフレームの表示タイプが、高表示レート通常解像度タイプＶ１３に決定されている。  また、表示タイプ決定部１０２３は、動き情報が閾値ＴＨ１以上で閾値ＴＨ２未満のフレーム、即ち、動き情報が時間的な変化の程度がそれほど大ではないことを表すフレームの表示タイプを、高表示レート通常解像度タイプＶ１３より表示レートが低い通常タイプＶ１２に決定する。図５７では、動き情報が閾値ＴＨ１以上で閾値ＴＨ２未満のフレームが連続する区間Ｄ２とＤ８のフレームの表示タイプが、通常タイプＶ１２に決定されている。  さらに、表示タイプ決定部１０２３は、動き情報が閾値ＴＨ１未満のフレーム、即ち、動き情報が時間的な変化の程度が小であることを表すフレームの表示タイプを、静止画での表示を表す静止画タイプＶ１１に決定する。図５７では、動き情報が閾値ＴＨ１未満のフレームが連続する区間Ｄ１とＤ９のフレームの表示タイプが、静止画タイプＶ１１に決定されている。  次に、図５８および図５９のフローチャートを参照して、表示タイプが、図５６に示した静止画タイプＶ１１、通常タイプＶ１���、高表示レート通常解像度タイプＶ１３、超高表示レート低解像度タイプＶ１４、または超超高表示レート低解像度タイプＶ１５のうちのいずれかに決定される場合の、図５１の表示タイプ決定部１０２３の処理について説明する。  表示タイプ決定部１０２３は、変化量算出部１０２２（図３５）からフレーム単位の変化量が供給されると、ステップＳ１０３１において、そのフレーム単位の変化量を、記憶部１０８１（図５１）にキャッシュ（一時記憶）させ、ステップＳ１０３２に進む。  ここで、変化量算出部１０２２から表示タイプ決定部１０２３には、例えば、動き情報が変化量として供給されることとする。  ステップＳ１０３２では、閾値処理部１０８２（図５１）が、記憶部１０８１に記憶されたフレーム単位の変化量（動き情報）と、閾値ＴＨ１，ＴＨ２，ＴＨ３、またはＴＨ４とを比較する閾値処理を行い、フレーム単位の変化量と、閾値ＴＨ１，ＴＨ２，ＴＨ３、またはＴＨ４との比較の結果を表す比較情報を、フレーム単位で、連続性判定部１０８３に供給して、ステップＳ１０３３に進む。  ステップＳ１０３３では、連続性判定部１０８３（図５１）が、いま、Ｆｙファイル作成部１００４（図３５）でＦｙファイルを作成しようとしている動画を構成するフレームのうちの、まだ、注目フレームとしていない時系列順で最も先行するフレームを、注目フレームに選択し、ステップＳ１０３４に進む。  ステップＳ１０３４では、連続性判定部１０８３が、閾値処理部１０８２からの比較情報に基づき、注目フレームの変化量が閾値ＴＨ３以上であり、注目フレームの直前か、直後、または前後に亘って、変化量が閾値ＴＨ３以上のフレームが、最小限度フレーム数Ｎ以上連続して存在するかどうかを判定する。  ステップＳ１０３４において、注目フレームの変化量が閾値ＴＨ３以上であり、注目フレームの直前か、直後、または前後に亘って、変化量が閾値ＴＨ３以上のフレームが最小限度フレーム数Ｎ以上連続して存在すると判定された場合、連続性判定部１０８３は、その判定の結果を表す判定情報を、決定部１０８４（図５１）に供給して、ステップＳ１０３５に進む。  注目フレームの変化量が閾値ＴＨ３以上であり、注目フレームの直前か、直後、または前後に亘って、変化量が閾値ＴＨ３以上のフレームが最小限度フレーム数Ｎ以上連続して存在するとの判定の結果を表す判定情報の供給を連続性判定部１０８３から受けた決定部１０８４は、ステップＳ１０３５において、閾値処理部１０８２からの比較情報に基づき、注目フレームの変化量が閾値ＴＨ４以上であるかどうかを判定する。  ステップＳ１０３５において、注目フレームの変化量が閾値ＴＨ４以上であると判定された場合、ステップＳ１０３６に進み、決定部１０８４は、注目フレームの表示タイプを、超超高表示レート低解像度タイプＶ１５に決定し、ステップＳ１０４３に進む。  また、ステップＳ１０３５において、注目フレームの変化量が閾値ＴＨ４以上でないと判定された場合、即ち、注目フレームの変化量が閾値ＴＨ３以上で閾値ＴＨ４未満である場合、ステップＳ１０３７に進み、決定部１０８４は、注目フレームの表示タイプを、超高表示レート低解像度タイプＶ１４に決定し、ステップＳ１０４３に進���。  ここで、ステップＳ１０３４〜Ｓ１０３７によれば、注目フレームの変化量が閾値ＴＨ３以上であるだけでなく、さらに、注目フレームの直前か、直後、または前後に亘って、変化量が閾値ＴＨ３以上のフレームがＮフレーム以上連続して存在する場合に、注目フレームの表示タイプが、超超高表示レート低解像度タイプＶ１５、または超高表示レート低解像度タイプＶ１４のうちのいずれかに決定されるが、これは、次のような理由による。  即ち、表示タイプが、図５６に示した静止画タイプＶ１１、通常タイプＶ１２、高表示レート通常解像度タイプＶ１３、超高表示レート低解像度タイプＶ１４、および超超高表示レート低解像度タイプＶ１５の中から決定される場合には、スクラブにおいて、表示タイプが、静止画タイプＶ１１のフレーム、通常タイプＶ１２のフレーム、および高表示レート通常解像度タイプＶ１３のフレームについては、解像度が高い画像（通常解像度の画像）、つまり、（プロキシデータよりも）データ量が多い本線データの画像データを処理して画像が表示される。  一方、表示タイプが、超高表示レート低解像度タイプＶ１４のフレーム、および超超高表示レート低解像度タイプＶ１５のフレームについては、解像度が低い画像、つまり、（本線データよりも）データ量が少ないプロキシデータの画像データを処理して画像が表示される。  いま、例えば、記憶装置２２（図１）が、本線データとプロキシデータとが記録されるプロフェッショナルディスクである場合において、その記憶装置２２に記録された本線データ、またはプロキシデータを用いてスクラブを行うこととすると、図５２で説明した場合と同様に、動画を構成する時系列のフレームにおいて、プロキシデータを用いて画像が表示される超高表示レート低解像度タイプＶ１４のフレーム、または超超高表示レート低解像度タイプＶ１５のフレームと、本線データを用いて画像が表示される静止画タイプＶ１１、通常タイプＶ１２、または高表示レート通常解像度タイプＶ１３のフレームとが頻繁に切り替わると、シークが頻繁に発生し、スクラブバー６６（図３）の操作によって指定されたフレームの表示をスムースに行うことが困難になることがある。  上述のようなシークが頻繁に発生することを防止するには、プロキシデータを用いて画像が表示される超高表示レート低解像度タイプＶ１４のフレーム、または超超高表示レート低解像度タイプＶ１５のフレームと、本線データを用いて画像が表示される静止画タイプＶ１１、通常タイプＶ１２、または高表示レート通常解像度タイプＶ１３のフレームとが頻繁に切り替わらないようにする必要がある。  一方、超高表示レート低解像度タイプＶ１４のフレーム、および超超高表示レート低解像度タイプＶ１５のフレームでは、いずれも、プロキシデータを用いて画像が表示されるから、超高表示レート低解像度タイプＶ１４のフレームと、超超高表示レート低解像度タイプＶ１５のフレームとの切り替わりについては、シークは問題とならない。  さらに、静止画タイプＶ１１のフレーム、通常タイプＶ１２のフレーム、および、高表示レート通常解像度タイプＶ１３のフレームでは、いずれも、本線データを用いて画像が表示されるから、静止画タイプＶ１１のフレ��ム、通常タイプＶ１２のフレーム、または、高表示レート通常解像度タイプＶ１３のフレームのうちの任意の１つの表示タイプのフレームと、他の１つの表示タイプのフレームとの切り替わりについても、シークは問題にならない。  そこで、図５８および図５９では、プロキシデータを用いて画像が表示される表示タイプ（超高表示レート低解像度タイプＶ１４、超超高表示レート低解像度タイプＶ１５）のフレームと、本線データを用いて画像が表示される表示タイプ（静止画タイプＶ１１、通常タイプＶ１２、高表示レート通常解像度タイプＶ１３）のフレームとの切り替わりが、少なくとも最小限度フレーム数Ｎだけ連続するフレームの区間において生じないように、上述したステップＳ１０３４〜Ｓ１０３７において、注目フレームの変化量が、閾値ＴＨ３以上であり、かつ、注目フレームの直前か、直後、または前後に亘って、変化量が閾値ＴＨ３以上のフレームが、最小限度フレーム数Ｎ以上連続する場合に、注目フレームの表示タイプが、超高表示レート低解像度タイプＶ１４、または超超高表示レート低解像度タイプＶ１５のうちのいずれかに決定される。  また、プロキシデータを用いて画像が表示される表示タイプのフレームと、本線データを用いて画像が表示される表示タイプのフレームとの切り替わりが、少なくとも最小限度フレーム数Ｎだけ連続するフレームの区間において生じないように、後述するステップＳ１０３８〜Ｓ１０４２において、注目フレームの変化量が、閾値ＴＨ３未満であり、かつ、注目フレームの直前か、直後、または前後に亘って、変化量が閾値ＴＨ３未満のフレームが、最小限度フレーム数Ｎ以上連続する場合に、注目フレームの表示タイプが、静止画タイプＶ１１、通常タイプＶ１２、または高表示レート通常解像度タイプＶ１３のうちのいずれかに決定される。  即ち、ステップＳ１０３４において、注目フレームの変化量が閾値ＴＨ３以上でないと判定されるか、または、注目フレームの変化量が閾値ＴＨ３以上であっても、注目フレームの直前、直後、および前後のいずれにも、変化量が閾値ＴＨ３以上のフレームが最小限度フレーム数Ｎ以上連続して存在しないと判定された場合、ステップＳ１０３８に進み、連続性判定部１０８３が、閾値処理部１０８２からの比較情報に基づき、注目フレームの変化量が閾値ＴＨ３未満であり、注目フレームの直前か、直後、または前後に亘って、変化量が閾値ＴＨ３未満のフレームが、最小限度フレーム数Ｎ以上連続して存在するかどうかを判定する。  ステップＳ１０３８において、注目フレームの変化量が閾値ＴＨ３未満であり、注目フレームの直前か、直後、または前後に亘って、変化量が閾値ＴＨ３未満のフレームが最小限度フレーム数Ｎ以上連続して存在すると判定された場合、連続性判定部１０８３は、その判定の結果を表す判定情報を、決定部１０８４に供給して、ステップＳ１０３９に進む。  注目フレームの変化量が閾値ＴＨ３未満であり、注目フレームの直前か、直後、または前後に亘って、変化量が閾値ＴＨ３未満のフレームが最小限度フレーム数Ｎ以上連続して存在するとの判定の結果を表す判定情報の供給を連続性判定部１０８３から受けた決定部１０８４は、ステップＳ１０３９において、閾値処���部１０８２からの比較情報に基づき、注目フレームの変化量が、閾値ＴＨ１未満であるか、閾値ＴＨ１以上閾値ＴＨ２未満であるか、または閾値ＴＨ２以上閾値ＴＨ３未満であるかを判定する。  ステップＳ１０３９において、注目フレームの変化量が閾値ＴＨ１未満であると判定された場合、ステップＳ１０４０に進み、決定部１０８４は、注目フレームの表示タイプを、静止画タイプＶ１１に決定して、ステップＳ１０４３に進む。  また、ステップＳ１０３９において、注目フレームの変化量が閾値ＴＨ１以上閾値ＴＨ２未満であると判定された場合、ステップＳ１０４１に進み、決定部１０８４は、注目フレームの表示タイプを、通常タイプＶ１２に決定して、ステップＳ１０４３に進む。  また、ステップＳ１０３９において、注目フレームの変化量が閾値ＴＨ２以上閾値ＴＨ３未満であると判定された場合、ステップＳ１０４２に進み、決定部１０８４は、注目フレームの表示タイプを、高表示レート通常解像度タイプＶ１３に決定して、ステップＳ１０４３に進む。  ここで、ステップＳ１０３８〜Ｓ１０４２によれば、上述したように、注目フレームの変化量が閾値ＴＨ３未満であり、注目フレームの直前か、直後、または前後に亘って、変化量が閾値ＴＨ３未満のフレームがＮフレーム以上連続して存在する場合に、注目フレームの表示タイプが、いずれも本線データを用いて画像が表示される静止画タイプＶ１１、通常タイプＶ１２、または高表示レート通常解像度タイプＶ１３に決定されるが、これは、上述したように、スクラブ時に、シークが頻繁に発生することを防止するためである。  ステップＳ１０４３では、連続性判定部１０８３が、いま、Ｆｙファイル作成部１００４（図３５）でＦｙファイルを作成しようとしている動画を構成するフレームの中で、まだ、注目フレームに選択していないフレームがあるかどうかを判定する。  ステップＳ１０４３において、まだ、注目フレームに選択していないフレームがあると判定された場合、ステップＳ１０３３に戻り、上述したように、まだ、注目フレームに選択していないフレームが、注目フレームに新たに選択され、以下、同様の処理が繰り返される。  また、ステップＳ１０４３において、注目フレームに選択していないフレームがないと判定された場合、表示タイプ決定部１０２３は、処理を終了する。  一方、ステップＳ１０３８において、注目フレームの変化量が閾値ＴＨ３未満でないと判定されるか、または、注目フレームの変化量が閾値ＴＨ３未満であっても、注目フレームの直前か、直後、および前後のいずれにも、変化量が閾値ＴＨ３未満のフレームが最小限度フレーム数Ｎ以上連続して存在しないと判定された場合、図５９のステップＳ１０５１に進み、連続性判定部１０８３は、注目フレームの直前か、直後、または前後に亘って、変化量が閾値ＴＨ３をまたぐフレームが、最小限度フレーム数Ｎ以上連続して存在するかどうかを判定する。  ここで、注目フレームの変化量が閾値ＴＨ３以上であり、注目フレームの直前か、直後、または前後に亘って、変化量が閾値ＴＨ３以上のフレームがＮフレーム以上連続して存在する場合には、図５８のステップＳ１０３６またはＳ１０３７において、注目フレームの表示タイプは、超高���示レート低解像度タイプＶ１４、または超超高表示レート低解像度タイプＶ１５に決定される。  また、注目フレームの変化量が閾値ＴＨ３未満であり、注目フレームの直前か、直後、または前後に亘って、変化量が閾値ＴＨ３未満のフレームが最小限度フレーム数Ｎ以上連続して存在する場合には、図５８のステップＳ１０４０〜Ｓ１０４２において、注目フレームの表示タイプは、静止画タイプＶ１１、通常タイプＶ１２、または高表示レート通常解像度タイプＶ１３に決定される。  従って、図５９のステップＳ１０５１の処理が行われるのは、注目フレームの直前か、直後、および前後のいずれにも、変化量が閾値ＴＨ３以上のフレームがＮフレーム以上連続して存在せず、かつ、変化量が閾値ＴＨ３未満のフレームも最小限度フレーム数Ｎ以上連続して存在しない場合、つまり、注目フレームが、変化量が閾値ＴＨ３をまたぐフレームが存在する区間（変化量が閾値ＴＨ３以上のフレームと、閾値ＴＨ３未満のフレームとが混在する区間）であり、かつ、変化量が閾値ＴＨ３以上のフレームが連続するフレーム数と、閾値ＴＨ３未満のフレームが連続するフレーム数が、多くても最小限度フレーム数Ｎ未満の区間（これも、以下、適宜、混在区間という）のフレームである場合である。  なお、混在区間は、図５４で説明した場合と同様に、必ず、変化量が閾値ＴＨ３以上のフレームがＮフレーム以上連続して存在する区間（これも、以下、適宜、大変化量区間という）と、変化量が閾値ＴＨ３未満のフレームが最小限度フレーム数Ｎ以上連続して存在する区間（これも、以下、適宜、小変化量区間という）との間か、２つの大変化量区間どうしの間、または、２つの小変化量区間どうしの間のうちのいずれかに挟まれる形で存在する。  以上から、混在区間は、区間長（フレーム数）が最小限度フレーム数Ｎ以上の区間と、最小限度フレーム数Ｎ未満の区間とに分けることができる。  また、混在区間は、大変化量区間と小変化量区間との間に挟まれる区間、大変化量区間どうしの間に挟まれる区間、または小変化量区間どうしの間に挟まれる区間のうちのいずれかに分けることができる。  ステップＳ１０５１では、連続性判定部１０８３は、注目フレームの直前か、直後、または前後に亘って、変化量が閾値ＴＨ３をまたぐフレームが、最小限度フレーム数Ｎ以上連続して存在するかどうか、即ち、注目フレームが存在する混在区間が、区間長が最小限度フレーム数Ｎ以上の区間であるか否かを判定する。  ステップＳ１０５１において、注目フレームの直前か、直後、または前後に亘って、変化量が閾値ＴＨ３をまたぐフレームが、最小限度フレーム数Ｎ以上連続して存在すると判定された場合、ステップＳ１０２に進み、決定部１０８４は、注目フレームの表示タイプを、本線データを用いて画像が表示される表示タイプのうちの、例えば、高表示レート通常解像度タイプＶ１３に決定して、図５８のステップＳ１０４３に進み、以下、上述した処理が行われる。  即ち、変化量が閾値ＴＨ３をまたぐフレームが、最小限度フレーム数Ｎ以上連続して存在する混在区間のフレームについては、そのすべてのフレームの表示タイプを、本線データ（としての画像データ）を用いて画像が表示される表示タイプとするか、または、プロキシデータ（としての画像データ）を用いて画像が表示される表示タイプにすることによって、シークが頻繁に発生することを防止することができる。  そこで、図５９では、変化量が閾値ＴＨ３をまたぐフレームが最小限度フレーム数Ｎ以上連続して存在する混在区間のフレームの表示タイプは、すべて、本線データを用いて画像が表示される表示タイプのうちの、例えば、高表示レート通常解像度タイプＶ１３とされる。  なお、変化量が閾値ＴＨ３をまたぐフレームが最小限度フレーム数Ｎ以上連続して存在する混在区間のフレームの表示タイプは、その他、本線データを用いて画像が表示される表示タイプのうちの、例えば、通常タイプＶ１２とすることが可能である。また、変化量が閾値ＴＨ３をまたぐフレームが最小限度フレーム数Ｎ以上連続して存在する混在区間のフレームの表示タイプは、その他、例えば、プロキシデータを用いて画像が表示される超高表示レート低解像度タイプＶ１４、または超超高表示レート低解像度タイプＶ１５のうちのいずれか一方とすることが可能である。  一方、ステップＳ１０５１において、注目フレームの直前か、直後、および前後のいずれにも、変化量が閾値ＴＨ３をまたぐフレームが、最小限度フレーム数Ｎ以上連続して存在しないと判定された場合、即ち、注目フレームが存在する混在区間（注目混在区間）が、区間長が最小限度フレーム数Ｎ未満の区間である場合、ステップＳ１０５３に進み、連続性判定部１０８３は、区間長が最小限度フレーム数Ｎ未満の注目混在区間の左側にある、時間的に先行するフレームのうちの、注目混在区間に隣接するフレーム（左フレーム）の変化量と、注目混在区間の右側にある、時間的に後行するフレームのうちの、注目混在区間に隣接するフレーム（右フレーム）の変化量とのうちのいずれか一方の変化量が閾値ＴＨ３以上であり、他方の変化量が閾値ＴＨ３未満であるかどうか、つまり、区間長が最小限度フレーム数Ｎ未満の注目混在区間が、大変化量区間と小変化量区間との間に挟まれる区間であるかどうかを判定する。  ステップＳ１０５３において、区間長が最小限度フレーム数Ｎ未満の注目混在区間が、大変化量区間と小変化量区間との間に挟まれる区間であると判定された場合、ステップＳ１０５２に進み、上述したように、決定部１０８４は、注目フレームの表示タイプを、高表示レート通常解像度タイプＶ１３に決定して、図５８のステップＳ１０４３に進み、以下、上述した処理が行われる。  即ち、区間長が最小限度フレーム数Ｎ未満の注目混在区間を挟む大変化量区間と小変化量区間とは、いずれも、区間長が最小限度フレーム数Ｎ以上の区間である。さらに、大変化量区間のフレームの表示タイプは、プロキシデータを用いて画像が表示される表示タイプ（超高表示レート低解像度タイプＶ１４、または超超高表示レート低解像度タイプＶ１５）に決定され、小変化量区間のフレームの表示タイプは、本線データを用いて画像が表示される表示タイプ（静止画タイプＶ１１、通常タイプＶ１２、または高表示レート通常解像度タイプＶ１３）に決定される。  また、大変化量区間と小変化量区間とに挟まれる、区間長が最小限度フレーム数Ｎ未満の注目混在区間のフレームについては、その大変化量区間のフレームの表示タイプ、またはその小変化量区間のフレームの表示タイプと同一の表示タイプとすることにより、シークが頻繁に発生することを防止することができる。  そこで、図５９では、変化量が閾値ＴＨ３をまたぐフレームが最小限度フレーム数Ｎ未満の注目混在区間であって、大変化量区間と小変化量区間とに挟まれる注目混在区間のフレームの表示タイプは、すべて、本線データを用いて画像が表示される表示タイプのうちの、例えば、高表示レート通常解像度タイプＶ１３とされる。  なお、変化量が閾値ＴＨ３をまたぐフレームが最小限度フレーム数Ｎ未満の注目混在区間であって、大変化量区間と小変化量区間とに挟まれる注目混在区間のフレームの表示タイプは、その他、例えば、本線データを用いて画像が表示される表示タイプのうちの通常タイプＶ１２や、プロキシデータを用いて画像が表示される表示タイプのうちの超高表示レート低解像度タイプＶ１４とすることが可能である。  一方、ステップＳ１０５３において、区間長が最小限度フレーム数Ｎ未満の注目混在区間が、大変化量区間と小変化量区間との間に挟まれる区間でないと判定された場合、ステップＳ１０５４に進み、連続性判定部１０８３は、区間長が最小限度フレーム数Ｎ未満の注目混在区間の左側にある、時間的に先行するフレームのうちの、注目混在区間に隣接するフレーム（左フレーム）の変化量と、注目混在区間の右側にある、時間的に後行するフレームのうちの、注目混在区間に隣接するフレーム（右フレーム）の変化量とのいずれもが閾値ＴＨ３以上であるかどうかあるかどうか、つまり、区間長が最小限度フレーム数Ｎ未満の注目混在区間が、大変化量区間どうしの間に挟まれる区間であるかどうかを判定する。  ステップＳ１０５４において、区間長が最小限度フレーム数Ｎ未満の注目混在区間が、大変化量区間どうしの間に挟まれる区間でないと判定された場合、ステップＳ１０５２に進み、上述したように、決定部１０８４は、注目フレームの表示タイプを、本線データを用いて画像が表示される表示タイプのうちの、例えば、高表示レート通常解像度タイプＶ１３に決定して、図５８のステップＳ１０４３に進み、以下、上述した処理が行われる。  即ち、２つの小変化量区間どうしの間に挟まれる、区間長が最小限度フレーム数Ｎ未満の注目混在区間のフレームについては、その２つの小変化量区間のフレームの表示タイプとして決定される、本線データを用いて画像が表示される表示タイプと同一の表示タイプとすることにより、シークが頻繁に発生することを防止することができる。  一方、ステップＳ１０５４において、区間長が最小限度フレーム数Ｎ未満の注目混在区間が、大変化量区間どうしの間に挟まれる区間であると判定された場合、ステップＳ１０５５に進み、決定部１０８４は、注目フレームの表示タイプを、プロキシデータを用いて画像が表示される表示タイプのうちの、例えば、超高表示レート低解像度タイプＶ１４に決定して、図５８のステップＳ１０４３に進み、以下、上述した処理が行われる。  即ち、２つの大変化量区間どうしの間に挟まれる、区間長が最小限度フレーム数Ｎ未満の注目混在区間のフレームについては、その２つの大変化量区間のフレームの表示タイプと���て決定される、プロキシデータを用いて画像が表示される表示タイプと同一の表示タイプとすることにより、シークが頻繁に発生することを防止することができる。  次に、図６０は、図３５の表示タイプ決定部１０２３が決定する表示タイプの他の例を示している。  図６０においては、表示タイプとして、フレームを表示するときの解像度やフレームを表示するときの表示レートが異なる低解像度通常表示レートタイプＣ１、通常タイプＣ２、および通常解像度低表示レートタイプＣ３の３つがある。  低解像度通常表示レートタイプＣ１のフレームについては、動画のフレームレートと同一の表示レート（通常レート）で、プロキシデータとしての画像データと同一の解像度（本線データとしての画像データよりも低い解像度）で、画像が表示される。  通常タイプＣ２のフレームについては、通常レートの表示レートで、本線データとしての画像データと同一の解像度（通常解像度という）で、画像が表示される。  通常解像度低表示レートタイプＣ３のフレームについては、通常レートよりも低い、例えば、通常レートの１／２倍の表示レートで、本線データとしての画像データと同一の解像度（プロキシデータとしての画像データよりも高い解像度）で、画像が表示される。  表示タイプとして、図６０に示したように、３つの低解像度通常表示レートタイプＣ１、通常タイプＣ２、および通常解像度低表示レートタイプＣ３がある場合、変化量算出部１０２２（図３５）では、フレームの空間的な変化の程度を表す細かさ情報が、変化量として求められる。そして、表示タイプ決定部１０２３は、例えば、各フレームの変化量（細かさ情報）と、２つの所定の閾値とを比較し、その比較の結果に基づき、フレームの表示タイプを、低解像度通常表示レートタイプＣ１、通常タイプＣ２、または通常解像度低表示レートタイプＣ３のうちのいずれかに決定する。  即ち、図６１は、フレーム単位の変化量としての細かさ情報と、その変化量に基づき、表示タイプ決定部１０２３（図３５）がフレーム単位で決定する表示タイプとを示している。  なお、図６１において、横軸はフレームを表し、縦軸は変化量を表す。  表示タイプ決定部１０２３は、フレーム単位の変化量（細かさ情報）を、式Ｌ＜Ｈの関係がある閾値Ｌまたは閾値Ｈと比較する。そして、表示タイプ決定部１０２３は、細かさ情報が閾値Ｈ以上のフレーム、即ち、細かさ情報が空間的な変化の程度が大であることを表すフレームの表示タイプを、高い解像度、または低い表示レートの高解像度／低表示レートタイプの一種である通常解像度低表示レートタイプＣ３に決定する。  ここで、例えば、編集で行われるスクラブにおいて、空間的な変化の程度が大のフレーム、つまり、画素値の変化が大きい画像（複雑な画像）のフレームの表示を低解像度で行うと、画像の空間的な変化を見逃しやすくなるため、複雑な画像のフレームは、高い解像度で表示することが望ましい。  しかしながら、複雑な画像を高い解像度で表示する処理の負担は、複雑でない、例えば、平坦な画像を表示する処理の負担より大きくなる。  そこで、複雑な画像のフレームについては、高解像度で表示するが、その代わりに、低い表示レートで画像を表示する高解像度／低表示レー���タイプの一種である通常解像度低表示レートタイプＣ３を採用することとする。画像を低い表示レートで表示する場合には、画像を高い表示レートで表示する場合に比較して、処理の負担が少ないので、複雑な画像のフレームについて、高い解像度の画像を、低い表示レートで表示することにより、編集において画像の空間的な変化を見逃すことを防止しながら、スクラブを行う装置にかかる負担を低減することができる。  一方、表示タイプ決定部１０２３は、細かさ情報が閾値Ｌ未満のフレーム、即ち、細かさ情報が空間的な変化の程度が小であることを表すフレームの表示タイプを、通常解像度低表示レートタイプＣ３よりも低い解像度で、かつ、通常解像度低表示レートタイプＣ３よりも高い通常レートの表示レートで画像を表示する低解像度通常表示レートタイプＣ１に決定する。  ここで、空間的な変化の程度が小のフレーム、つまり、平坦な画像のフレームについては、高い解像度で画像を表示しても、低い解像度で画像を表示した場合と、細部の見え方は、それほど変わらない。  このように、高い解像度で表示しても、低い解像度で表示しても、細部の見え方がほとんど変わらない画像を、高い解像度で表示することは、スクラブを行う装置に、いわば無駄な負担をかけることになる。  そこで、平坦な画像のフレームの表示タイプは、通常解像度低表示レートタイプＣ３よりも低い解像度で、かつ、通常解像度低表示レートタイプＣ３よりも高い通常レートの表示レートで画像を表示する低解像度通常表示レートタイプＣ１とされる。これにより、スクラブを行う装置に無駄な負担をかけることを防止することができる。  表示タイプ決定部１０２３は、細かさ情報が閾値Ｈ以上のフレーム、および細かさ情報が閾値Ｌ未満のフレーム以外のフレーム、つまり、細かさ情報が、閾値Ｌ以上で閾値Ｈ未満のフレームの表示タイプを、通常タイプＣ２に決定する。  即ち、それほど複雑ではないが、平坦でもない画像のフレームの表示タイプは、通常レート（動画のフレームレートと同一の表示レート）で、かつ、通常解像度で、画像を表示する通常タイプＣ２とされる。  次に、図６２および図６３のフローチャートを参照して、表示タイプが、変化量としての細かさ情報に基づき、図６０に示した低解像度通常表示レートタイプＣ１、通常タイプＣ２、または通常解像度低表示レートタイプＣ３のうちのいずれかに決定される場合の、図５１の表示タイプ決定部１０２３の処理について説明する。  表示タイプ決定部１０２３は、変化量算出部１０２２（図３５）からフレーム単位の変化量が供給されると、ステップＳ１０６１において、そのフレーム単位の変化量を、記憶部１０８１（図５１）にキャッシュ（一時記憶）させ、ステップＳ１０６２に進む。  ここで、図６２および図６３では、変化量算出部１０２２から表示タイプ決定部１０２３には、細かさ情報が変化量として供給される。  ステップＳ１０６２では、閾値処理部１０８２が、記憶部１０８１に記憶されたフレーム単位の変化量（細かさ情報）と、閾値ＨまたはＬとを比較する閾値処理を行い、フレーム単位の変化量と、閾値ＨまたはＬとの比較の結果を表す比較情報を、フレーム単位で、連続性判定部１０８３に供給して、ステップＳ１０６��に進む。  ステップＳ１０６３では、連続性判定部１０８３が、いま、Ｆｙファイル作成部１００４（図３５）でＦｙファイルを作成しようとしている動画を構成するフレームのうちの、まだ、注目フレームとしていない時系列順で最も先行するフレームを、注目フレームに選択し、ステップＳ１０６４に進む。  ステップＳ１０６４では、連続性判定部１０８３が、閾値処理部１０８２からの比較情報に基づき、注目フレームの変化量が閾値Ｌ未満であり、注目フレームの直前か、直後、または前後に亘って、変化量が閾値未満のフレームが、最小限度フレーム数Ｎ以上連続して存在するかどうかを判定する。  ステップＳ１０６４において、注目フレームの変化量が閾値Ｌ未満であり、注目フレームの直前か、直後、または前後に亘って、変化量が閾値Ｌ未満のフレームが最小限度フレーム数Ｎ以上連続して存在すると判定された場合、連続性判定部１０８３は、その判定の結果を表す判定情報を、決定部１０８４に供給して、ステップＳ１０６５に進む。  ステップＳ１０６５では、決定部１０８４は、連続性判定部１０８３からの判定情報に基づき、注目フレームの表示タイプを、低解像度通常表示レートタイプＣ１に決定し、ステップＳ１０７０に進む。  ここで、ステップＳ１０６４およびＳ１０６５によれば、注目フレームの変化量が閾値Ｌ未満であるだけでなく、さらに、注目フレームの直前か、直後、または前後に亘って、変化量が閾値Ｌ未満のフレームがＮフレーム以上連続して存在する場合に、注目フレームの表示タイプが、低解像度通常表示レートタイプＣ１に決定されるが、これは、次のような理由による。  即ち、表示タイプが、図６０に示した低解像度通常表示レートタイプＣ１、通常タイプＣ２、および通常解像度低表示レートタイプＣ３の中から決定される場合には、スクラブにおいて、表示タイプが、低解像度通常表示レートタイプＣ１のフレームについては、解像度が低い画像、つまり、（本線データよりも）データ量が少ないプロキシデータを処理して画像が表示される。  一方、表示タイプが、通常タイプＣ２、および通常解像度低表示レートタイプＣ３のフレームについては、解像度が高い画像、つまり、（プロキシデータデータよりも）データ量が多い本線データの画像データを処理して画像が表示される。  いま、例えば、記憶装置２２（図１）が、本線データとプロキシデータとが記録されるプロフェッショナルディスクである場合において、その記憶装置２２に記録された本線データ、またはプロキシデータを用いてスクラブを行うこととすると、図５２で説明した場合と同様に、動画を構成する時系列のフレームにおいて、プロキシデータを用いて画像が表示される低解像度通常表示レートタイプＣ１のフレームと、本線データを用いて画像が表示される通常タイプＣ２、または通常解像度低表示レートタイプＣ３のフレームとが頻繁に切り替わると、シークが頻繁に発生し、スクラブバー６６（図３）の操作によって指定されたフレームの表示をスムースに行うことが困難になることがある。  上述のようなシークが頻繁に発生することを防止するには、プロキシデータを用いて画像が表示される低解像度通常表示レートタイプＣ１のフレームと、本線データを用いて画像が表��される通常タイプＣ２、または通常解像度低表示レートタイプＣ３のフレームとが頻繁に切り替わらないようにする必要がある。  一方、通常タイプＣ２のフレーム、および通常解像度低表示レートタイプＣ３のフレームでは、いずれも、本線データを用いて画像が表示されるから、通常タイプＣ２のフレームと、通常解像度低表示レートタイプＣ３のフレームとの切り替わりについては、シークは問題とならない。  そこで、図６２および図６３では、プロキシデータを用いて画像が表示される表示タイプ（低解像度通常表示レートタイプＣ１）のフレームと、本線データを用いて画像が表示される表示タイプ（通常タイプＣ２、通常解像度低表示レートタイプＣ３）のフレームとの切り替わりが、少なくとも最小限度フレーム数Ｎだけ連続するフレームの区間において生じないように、上述したステップＳ１０６４およびＳ１０６５において、注目フレームの変化量が、閾値Ｌ未満であり、かつ、注目フレームの直前か、直後、または前後に亘って、変化量が閾値Ｌ未満のフレームが、最小限度フレーム数Ｎ以上連続する場合に、注目フレームの表示タイプが、プロキシデータを用いて画像が表示される低解像度通常表示レートタイプＣ１に決定される。  また、プロキシデータを用いて画像が表示される表示タイプのフレームと、本線データを用いて画像が表示される表示タイプのフレームとの切り替わりが、少なくとも最小限度フレーム数Ｎだけ連続するフレームの区間において生じないように、後述するステップＳ１０６６〜Ｓ１０６９において、注目フレームの変化量が、閾値Ｌ以上であり、かつ、注目フレームの直前か、直後、または前後に亘って、変化量が閾値Ｌ以上のフレームが、最小限度フレーム数Ｎ以上連続する場合に、注目フレームの表示タイプが、本線データを用いて画像が表示される通常タイプＣ２、または通常解像度低表示レートタイプＣ３に決定される。  即ち、ステップＳ１０６４において、注目フレームの変化量が閾値Ｌ未満でないと判定されるか、または、注目フレームの変化量が閾値Ｌ未満であっても、注目フレームの直前、直後、および前後のいずれにも、変化量が閾値Ｌ未満のフレームが最小限度フレーム数Ｎ以上連続して存在しないと判定された場合、ステップＳ１０６６に進み、連続性判定部１０８３が、閾値処理部１０８２からの比較情報に基づき、注目フレームの変化量が閾値Ｌ以上であり、注目フレームの直前か、直後、または前後に亘って、変化量が閾値Ｌ以上のフレームが、最小限度フレーム数Ｎ以上連続して存在するかどうかを判定する。  ステップＳ１０６６において、注目フレームの変化量が閾値Ｌ以上であり、注目フレームの直前か、直後、または前後に亘って、変化量が閾値Ｌ以上のフレームが最小限度フレーム数Ｎ以上連続して存在すると判定された場合、連続性判定部１０８３は、その判定の結果を表す判定情報を、決定部１０８４に供給して、ステップＳ１０６７に進む。  注目フレームの変化量が閾値Ｌ以上であり、注目フレームの直前か、直後、または前後に亘って、変化量が閾値Ｌ以上のフレームが最小限度フレーム数Ｎ以上連続して存在するとの判定の結果を表す判定情報の供給を連続性判定部１０８３から受けた決定部１０８４は、ステップＳ��０６７において、閾値処理部１０８２からの比較情報に基づき、注目フレームの変化量が閾値Ｈ以上であるかどうかを判定する。  ステップＳ１０６７において、注目フレームの変化量が閾値Ｈ以上であると判定された場合、ステップＳ１０６８に進み、決定部１０８４は、注目フレームの表示タイプを、通常解像度低表示レートタイプＣ３に決定して、ステップＳ１０７０に進む。  また、ステップＳ１０６７において、注目フレームの変化量が閾値Ｈ以上でないと判定された場合、即ち、注目フレームの変化量が閾値Ｌ以上閾値Ｈ未満である場合、ステップＳ１０６９に進み、決定部１０８４は、注目フレームの表示タイプを、通常タイプＣ２に決定して、ステップＳ１０７０に進む。  ここで、ステップＳ１０６６〜Ｓ１０６９によれば、注目フレームの変化量が閾値Ｌ以上であり、注目フレームの直前か、直後、または前後に亘って、変化量が閾値Ｌ以上のフレームがＮフレーム以上連続して存在する場合に、表示タイプが本線データを用いて画像が表示される通常解像度低表示レートタイプＣ３、または通常タイプＣ２のうちのいずれかに決定されるが、これは、上述したように、スクラブ時に、シークが頻繁に発生することを防止するためである。  ステップＳ１０７０では、連続性判定部１０８３が、いま、Ｆｙファイル作成部１００４（図３５）でＦｙファイルを作成しようとしている動画を構成するフレームの中で、まだ、注目フレームに選択していないフレームがあるかどうかを判定する。  ステップＳ１０７０において、まだ、注目フレームに選択していないフレームがあると判定された場合、ステップＳ１０６３に戻り、上述したように、まだ、注目フレームに選択していないフレームが、注目フレームに新たに選択され、以下、同様の処理が繰り返される。  また、ステップＳ１０７０において、注目フレームに選択していないフレームがないと判定された場合、表示タイプ決定部１０２３は、処理を終了する。  一方、ステップＳ１０６６において、注目フレームの変化量が閾値Ｌ以上でないと判定されるか、または、注目フレームの変化量が閾値Ｌ以上であっても、注目フレームの直前、直後、および前後のいずれにも、変化量が閾値Ｌ以上のフレームが最小限度フレーム数Ｎ以上連続して存在しないと判定された場合、図６３のステップＳ１０７１に進み、連続性判定部１０８３は、注目フレームの直前か、直後、または前後に亘って、変化量が閾値Ｌをまたぐフレームが、最小限度フレーム数Ｎ以上連続して存在するかどうかを判定する。  ここで、注目フレームの変化量が閾値Ｌ未満であり、注目フレームの直前か、直後、または前後に亘って、変化量が閾値Ｌ未満のフレームがＮフレーム以上連続して存在する場合には、図６２のステップＳ１０６５において、注目フレームの表示タイプは、低解像度通常表示レートタイプＣ１に決定される。  また、注目フレームの変化量が閾値Ｌ以上であり、注目フレームの直前か、直後、または前後に亘って、変化量が閾値Ｌ以上のフレームが最小限度フレーム数Ｎ以上連続して存在する場合には、図６２のステップＳ１０６８またはＳ１０６９において、注目フレームの表示タイプは、通常解像度低表示レートタイプＣ３、または通常タイプＣ２に決定さ��る。  従って、図６３のステップＳ１０７１の処理が行われるのは、注目フレームの直前、直後、および前後のいずれにも、変化量が閾値Ｌ未満のフレームがＮフレーム以上連続して存在せず、かつ、変化量が閾値Ｌ以上のフレームも最小限度フレーム数Ｎ以上連続して存在しない場合、つまり、注目フレームが、変化量が閾値Ｌをまたぐフレームが存在する区間（変化量が閾値Ｌ未満のフレームと、閾値Ｌ以上のフレームとが混在する区間）であり、かつ、変化量が閾値Ｌ未満のフレームが連続するフレーム数と、閾値Ｌ以上のフレームが連続するフレーム数が、多くても最小限度フレーム数Ｎ未満の区間（これも、以下、適宜、混在区間という）のフレームである場合である。  なお、混在区間は、図５４で説明した場合と同様に、必ず、変化量が閾値Ｌ未満のフレームがＮフレーム以上連続して存在する区間（これも、以下、適宜、小変化量区間という）と、変化量が閾値Ｌ以上のフレームが最小限度フレーム数Ｎ以上連続して存在する区間（これも、以下、適宜、大変化量区間という）との間か、２つの大変化量区間どうしの間、または、２つの小変化量区間どうしの間のうちのいずれかに挟まれる形で存在する。  以上から、混在区間は、区間長（フレーム数）が最小限度フレーム数Ｎ以上の区間と、最小限度フレーム数Ｎ未満の区間とに分けることができる。  また、混在区間は、大変化量区間と小変化量区間との間に挟まれる区間、大変化量区間どうしの間に挟まれる区間、または小変化量区間どうしの間に挟まれる区間のうちのいずれかに分けることができる。  ステップＳ１０７１では、連続性判定部１０８３は、注目フレームの直前か、直後、または前後に亘って、変化量が閾値Ｌをまたぐフレームが、最小限度フレーム数Ｎ以上連続して存在するかどうか、即ち、注目フレームが存在する混在区間が、区間長が最小限度フレーム数Ｎ以上の区間であるか否かを判定する。  ステップＳ１０７１において、注目フレームの直前か、直後、または前後に亘って、変化量が閾値Ｌをまたぐフレームが、最小限度フレーム数Ｎ以上連続して存在すると判定された場合、ステップＳ１０７２に進み、決定部１０８４は、注目フレームの表示タイプを、本線データを用いて画像が表示される表示タイプのうちの、例えば、通常タイプＣ２に決定して、図６２のステップＳ１０７０に進み、以下、上述した処理が行われる。  即ち、変化量が閾値Ｌをまたぐフレームが、最小限度フレーム数Ｎ以上連続して存在する混在区間のフレームについては、そのすべてのフレームの表示タイプを、本線データ（としての画像データ）を用いて画像が表示される表示タイプとするか、または、プロキシデータ（としての画像データ）を用いて画像が表示される表示タイプにすることによって、シークが頻繁に発生することを防止することができる。  そこで、図６３では、変化量が閾値Ｌをまたぐフレームが最小限度フレーム数Ｎ以上連続して存在する混在区間のフレームの表示タイプは、すべて、本線データを用いて画像が表示される表示タイプのうちの、例えば、通常タイプＣ２とされる。  なお、変化量が閾値Ｌをまたぐフレームが最小限度フレーム数Ｎ以上連続して存在する混在区間のフレームの表示タイプは、その他、例えば、プ��キシデータを用いて画像が表示される低解像度通常表示レートＣ１とすることが可能である。  一方、ステップＳ１０７１において、注目フレームの直前、直後、および前後のいずれにも、変化量が閾値Ｌをまたぐフレームが、最小限度フレーム数Ｎ以上連続して存在しないと判定された場合、即ち、注目フレームが存在する混在区間（注目混在区間）が、区間長が最小限度フレーム数Ｎ未満の区間である場合、ステップＳ１０７３に進み、連続性判定部１０８３は、区間長が最小限度フレーム数Ｎ未満の注目混在区間の左側にある、時間的に先行するフレームのうちの、注目混在区間に隣接するフレーム（左フレーム）の変化量と、注目混在区間の右側にある、時間的に後行するフレームのうちの、注目混在区間に隣接するフレーム（右フレーム）の変化量とのうちのいずれか一方の変化量が閾値Ｌ未満であり、他方の変化量が閾値Ｌ以上であるかどうか、つまり、区間長が最小限度フレーム数Ｎ未満の注目混在区間が、大変化量区間と小変化量区間との間に挟まれる区間であるかどうかを判定する。  ステップＳ１０７３において、区間長が最小限度フレーム数Ｎ未満の注目混在区間が、大変化量区間と小変化量区間との間に挟まれる区間であると判定された場合、ステップＳ１０７２に進み、上述したように、決定部１０８４は、注目フレームの表示タイプを、通常タイプＣ２に決定して、図６２のステップＳ１０７０に進み、以下、上述した処理が行われる。  即ち、区間長が最小限度フレーム数Ｎ未満の注目混在区間を挟む大変化量区間と小変化量区間とは、いずれも、区間長が最小限度フレーム数Ｎ以上の区間である。さらに、大変化量区間のフレームの表示タイプは、本線データを用いて画像が表示される表示タイプ（通常タイプＣ２、または通常解像度低表示レートタイプＣ３）決定され、小変化量区間のフレームの表示タイプは、プロキシデータを用いて画像が表示される表示タイプ（低解像度通常表示レートタイプＣ１）に決定される。  また、大変化量区間と小変化量区間とに挟まれる、区間長が最小限度フレーム数Ｎ未満の注目混在区間のフレームについては、その大変化量区間のフレームの表示タイプ、またはその小変化量区間のフレームの表示タイプと同一の表示タイプとすることにより、シークが頻繁に発生することを防止することができる。  そこで、図６３では、変化量が閾値Ｌをまたぐフレームが最小限度フレーム数Ｎ未満の注目混在区間であって、大変化量区間と小変化量区間とに挟まれる注目混在区間のフレームの表示タイプは、すべて、本線データを用いて画像が表示される表示タイプのうちの、例えば、通常タイプＣ２とされる。  なお、変化量が閾値Ｌをまたぐフレームが最小限度フレーム数Ｎ未満の注目混在区間であって、大変化量区間と小変化量区間とに挟まれる注目混在区間のフレームの表示タイプは、その他、例えば、小変化量区間のフレームの表示タイプ、即ち、プロキシデータを用いて画像が表示される低解像度通常表示レートタイプＣ１とすることが可能である。  一方、ステップＳ１０７３において、区間長が最小限度フレーム数Ｎ未満の注目混在区間が、大変化量区間と小変化量区間との間に挟まれる区間でないと判定された場合、ステップＳ１０７４に進み、連続性判定部１０８３は、区間長が最小限度フレーム数Ｎ未満の注目混在区間の左側にある、時間的に先行するフレームのうちの、注目混在区間に隣接するフレーム（左フレーム）の変化量と、注目混在区間の右側にある、時間的に後行するフレームのうちの、注目混在区間に隣接するフレーム（右フレーム）の変化量とのいずれもが閾値Ｌ未満であるかどうかあるかどうか、つまり、区間長が最小限度フレーム数Ｎ未満の注目混在区間が、小変化量区間どうしの間に挟まれる区間であるかどうかを判定する。  ステップＳ１０７４において、区間長が最小限度フレーム数Ｎ未満の注目混在区間が、小変化量区間どうしの間に挟まれる区間でないと判定された場合、即ち、区間長が最小限度フレーム数Ｎ未満の注目混在区間が、大変化量区間どうしの間に挟まれる区間である場合、ステップＳ１０７２に進み、上述したように、決定部１０８４は、注目フレームの表示タイプを、大変化量区間のフレームの表示タイプ、即ち、本線データを用いて画像が表示される表示タイプのうちの、例えば、通常タイプＣ２に決定して、図６２のステップＳ１０７０に進み、以下、上述した処理が行われる。  即ち、２つの大変化量区間どうしの間に挟まれる、区間長が最小限度フレーム数Ｎ未満の注目混在区間のフレームについては、その２つの大変化量区間のフレームの表示タイプとして決定される、本線データを用いて画像が表示される表示タイプと同一の表示タイプとすることにより、シークが頻繁に発生することを防止することができる。  一方、ステップＳ１０７４において、区間長が最小限度フレーム数Ｎ未満の注目混在区間が、小変化量区間どうしの間に挟まれる区間であると判定された場合、ステップＳ１０７５に進み、決定部１０８４は、注目フレームの表示タイプを、プロキシデータを用いて画像が表示される低解像度通常表示レートタイプＣ１に決定して、図６２のステップＳ１０７０に進み、以下、上述した処理が行われる。  即ち、２つの小変化量区間どうしの間に挟まれる、区間長が最小限度フレーム数Ｎ未満の注目混在区間のフレームについては、その２つの小変化量区間のフレームの表示タイプとして決定される、プロキシデータを用いて画像が表示される低解像度通常表示レートタイプＣ１と同一の表示タイプとすることにより、シークが頻繁に発生することを防止することができる。  次に、図６４は、図３５の変化量算出部１０２２において、変化量として動き情報と細かさ情報が求められ、表示タイプ決定部１０２３において、動き情報に基づく表示タイプと細かさ情報に基づく表示タイプが決定され、選択部１０２４において、変化量と表示タイプの両方が選択された場合の、図３５のファイル作成部１０２５が作成するＦｙファイルの例を示している。  図６４のＦｙファイルにおいては、左から右方向に、先頭から何番目のフレームかを表すフレームナンバ、フレームナンバに対応するフレームのタイムコード、フレームナンバに対応するフレームの変化量としての動き情報と細かさ情報、フレームナンバに対応するフレームの動き情報に基づく表示タイプと細かさ情報に基づく表示タイプが、順次配置されている。  図６５は、図３５の変化量算出部１０２２において、変化量として動き情報と細かさ情���が求められ、選択部１０２４において、変化量のみが選択された場合の、図３５のファイル作成部１０２５が作成するＦｙファイルの例を示している。  図６５のＦｙファイルにおいては、左から右方向に、先頭から何番目のフレームかを表すフレームナンバ、フレームナンバに対応するフレームのタイムコード、フレームナンバに対応するフレームの変化量としての動き情報と細かさ情報が、順次配置されている。  図６６は、図３５の変化量算出部１０２２において、変化量として動き情報と細かさ情報が求められ、表示タイプ決定部１０２３において、動き情報に基づく表示タイプと細かさ情報に基づく表示タイプが決定され、選択部１０２４において、表示タイプのみが選択された場合の、図３５のファイル作成部１０２５が作成するＦｙファイルの例を示している。  図６６のＦｙファイルにおいては、左から右方向に、先頭から何番目のフレームかを表すフレームナンバ、フレームナンバに対応するフレームのタイムコード、フレームナンバに対応するフレームの動き情報に基づく表示タイプと細かさ情報に基づく表示タイプが、順次配置されている。  次に、上述の場合には、表示タイプを、動き情報または細かさ情報のうちのいずれか一方に基づいて決定するようにしたが、表示タイプは、動き情報および細かさ情報の両方に基づいて決定することも可能である。  即ち、図６７は、図３５の表示タイプ決定部１０２３が決定する表示タイプの他の例を示している。  図６７においては、表示タイプとして、静止画での表示を表す静止画タイプＶＣ１、並びに、フレームを表示するときの解像度やフレームを表示するときの表示レートが異なる通常タイプＶＣ２、高表示レート低解像度タイプＶＣ３、および通常表示レート低解像度タイプＶＣ４の４つがある。  静止画タイプＶＣ１のフレームについては、図４９の静止画タイプＶ１と同様に、表示対象のフレームが変更されても、その表示対象のフレームの画像が、直前に表示されたフレーム（の画像）と同一の画像であるとみなすことができる限り、直前に表示されたフレーム（の画像）が表示される（し続けられる）。  通常タイプＶＣ２のフレームについては、図４９の通常タイプＶ２と同様に、動画のフレームレートと同一の表示レート（通常レート）で、本線データとしての画像データと同一の解像度（通常解像度）で、画像が表示される。  高表示レート低解像度タイプＶＣ３のフレームについては、図４９の高表示レート低解像度タイプＶ３と同様に、通常レートよりも高い、例えば、通常レートの２倍の表示レートで、プロキシデータとしての画像データと同一の解像度（本線データとしての画像データよりも低い解像度）で、画像が表示される。  通常表示レート低解像度タイプＶＣ４のフレームについては、通常レートの表示レートで、プロキシデータとしての画像データと同一の解像度（本線データとしての画像データよりも低い解像度）で、画像が表示される。  ここで、高表示レート低解像度タイプＶＣ３と、通常表示レート低解像度タイプＶＣ４とは、高表示レート低解像度タイプＶＣ３では、通常レートよりも高い表示レートで画像が表示されるのに対して、通常表示レート低解像度タイプＶＣ４では、通常レート（の表示レート）で画像が表示される点だけが異なる。  表示タイプとして、図６７に示したように、４つの静止画タイプＶＣ１、通常タイプＶＣ２、高表示レート低解像度タイプＶＣ３、および通常表示レート低解像度タイプＶＣ４がある場合、変化量算出部１０２２（図３５）では、動き情報と細かさ情報が、変化量として求められる。そして、表示タイプ決定部１０２３（図３５）は、動き情報と細かさ情報の両方に基づき、即ち、例えば、動き情報と２つの閾値とを比較するとともに、細かさ情報と１つの閾値とを比較し、それらの比較の結果に基づき、フレームの表示タイプを、静止画タイプＶＣ１、通常タイプＶＣ２、高表示レート低解像度タイプＶＣ３、または通常表示レート低解像度タイプＶＣ４のうちのいずれかに決定する。  即ち、図６８は、フレーム単位の変化量としての動き情報および細かさ情報と、その動き情報および細かさ情報に基づき、表示タイプ決定部１０２３（図３５）がフレーム単位で決定する表示タイプとを示している。  なお、図６８上は、フレーム単位の動き情報を表しており、図６８下は、フレーム単位の細かさ情報を表している。  また、図６８において、横軸はフレームを表し、縦軸は変化量（動き情報、細かさ情報）を表す。  表示タイプ決定部１０２３（図３５）は、フレーム単位の動き情報を、式Ｌ＜Ｈの関係がある閾値ＬまたはＨと比較し、その比較結果に基づき、いわば仮の表示タイプを決定する（表示タイプを仮決定する）。  即ち、表示タイプ決定部１０２３は、例えば、図４９〜図５４で説明した場合と同様にして、フレームの動き情報に基づき、そのフレームの仮の表示タイプを、図４９に示した静止画タイプＶ１、通常タイプＶ２、または高表示レート低解像度タイプＶ３のうちのいずれかに決定する（表示タイプを仮決定する）。  これにより、図４９〜図５４で説明したように、大まかには、動き情報が閾値Ｌ未満のフレームの表示タイプは、静止画タイプＶ１に、動き情報が閾値Ｌ以上閾値Ｈ未満のフレームの表示タイプは、通常タイプＶ２に、動き情報が閾値Ｈ以上のフレームの表示タイプは、高表示レート低解像度タイプＶ３に、それぞれ仮決定される。  また、表示タイプ決定部１０２３（図３５）は、フレーム単位の細かさ情報を、所定の閾値Ｋと比較し、その比較結果と、動き情報に基づいて仮決定された仮の表示タイプとに基づき、フレームの表示タイプを、図６７に示した静止画タイプＶＣ１、通常タイプＶＣ２、高表示レート低解像度タイプＶＣ３、または通常表示レート低解像度タイプＶＣ４のうちのいずれかに最終的に決定する。  即ち、表示タイプ決定部１０２３は、仮の表示タイプが静止画タイプＶ１のフレームの表示タイプを、静止画タイプＶＣ１に最終的に決定し、仮の表示タイプが高表示レート低解像度タイプＶ３のフレームの表示タイプを、高表示レート低解像度タイプＶＣ３に最終的に決定する。  また、表示タイプ決定部１０２３は、仮の表示タイプが通常タイプＶ２のフレームのうちの、細かさ情報が閾値Ｋ以上のフレーム、つまり、平坦な画像とは言えない画像のフレームの表示タイプを、通常タイプＶＣ２に最終的に決定する。さらに、表示タイプ決定部１０２３は、仮の表示タイプが通常タイプＶ２のフレームのうちの、細かさ情報���閾値Ｋ未満のフレーム、つまり、平坦な画像のフレームの表示タイプを、通常表示レート低解像度タイプＶＣ４に最終的に決定する。  即ち、仮の表示タイプが通常タイプＶ２のフレームは、それほど大きな動きではないが、ある程度の動きがあるフレームである。また、細かさ情報が閾値Ｋ未満のフレームは、平坦な画像のフレームである。従って、仮の表示タイプが通常タイプＶ２のフレームのうちの、細かさ情報が閾値Ｋ未満のフレームは、ある程度の動きがあるが、平坦な画像のフレームである。  ある程度の動きがある画像であっても、平坦な画像であれば、低解像度で表示しても、画像の空間的な変化を見逃しやすくはならない。また、スクラブにおいて、画像を低解像度で表示する場合には、スクラブを行う装置にかかる負荷を軽減することができる。  そこで、ある程度の動きがある、仮の表示タイプが通常タイプＶ２のフレームについては、表示タイプが、原則として、通常解像度で画像が表示される通常タイプＶＣ２に最終的に決定されるが、細かさ情報が閾値Ｋ未満である場合に限り、通常解像度より低い解像度で画像が表示される通常表示レート低解像度タイプＶＣ４に最終的に決定される。  ここで、図６８では、細かさ情報が閾値Ｋ未満のフレームの区間ＤＰのフレームであり、かつ、動き情報に基づく仮の表示タイプが通常タイプＶ２のフレームの表示タイプが、通常表示レート低解像度タイプＶＣ４に最終的に決定されている。  なお、フレーム単位の動き情報と細かさ情報に基づいて、図６７に示した静止画タイプＶＣ１、通常タイプＶＣ２、高表示レート低解像度タイプＶＣ３、または通常表示レート低解像度タイプＶＣ４のうちのいずれかに最終的に決定される表示タイプを、以下、適宜、最終表示タイプという。  次に、図６９のフローチャートを参照して、表示タイプ（最終表示タイプ）が、動き情報と細かさ情報の両方に基づき、図６７に示した静止画タイプＶＣ１、通常タイプＶＣ２、高表示レート低解像度タイプＶＣ３、または通常表示レート低解像度タイプＶＣ４のうちのいずれかに決定される場合の、図５１の表示タイプ決定部１０２３の処理について説明する。  なお、変化量算出部１０２２（図３５）では、変化量として、動き情報と細かさ情報とが求められ、表示タイプ決定部１０２３に供給される。  表示タイプ決定部１０２３は、ステップＳ１０８１において、変化量算出部１０２２（図３５）からのフレーム単位の動き情報に基づき、図５２および図５３で説明したようにして、動き情報に基づく表示タイプ（仮の表示タイプ）を決定し、ステップＳ１０８２に進む。  ステップＳ１０８２では、表示タイプ決定部１０２３は、変化量算出部１０２２から供給されるフレーム単位の細かさ情報を、記憶部１０８１（図５１）にキャッシュさせ、ステップＳ１０８３に進む。  ステップＳ１０８３では、閾値処理部１０８２（図５１）が、記憶部１０８１に記憶されたフレーム単位の細かさ情報と閾値Ｋとを比較する閾値処理を行い、フレーム単位の細かさ情報変化量と閾値Ｋとの比較の結果を表す比較情報を、フレーム単位で、連続性判定部１０８３に供給して、ステップＳ１０８４に進む。  ステップＳ１０８４では、連続性判定部１０８３（図５１）が、いま、Ｆｙファイル作成部７６（図３５）でＦｙファイルを作成しようとしている動画を構成するフレームのうちの、まだ、注目フレームとしていない時系列順で最も先行するフレームを、注目フレームに選択し、その注目フレームの情報を、決定部１０８４（図５１）に供給して、ステップＳ１０８５に進む。  ステップＳ１０８５では、決定部１０８４が、注目フレームの動き情報に基づく表示タイプ（ステップＳ１０８１で決定された仮の表示タイプ）が、静止画タイプＶ１であるかどうかを判定する。  ステップＳ１０８５において、注目フレームの動き情報に基づく表示タイプが、静止画タイプＶ１であると判定された場合、ステップＳ１０８６に進み、決定部１０８４は、注目フレームの最終表示タイプ（注目フレームの動き情報と細かさ情報に基づく表示タイプ）を、静止画タイプＶＣ１に最終的に決定し、ステップＳ１０９３に進む。  また、ステップＳ１０８５において、注目フレームの動き情報に基づく表示タイプが、静止画タイプＶ１でないと判定された場合、ステップＳ１０８７に進み、決定部１０８４が、注目フレームの動き情報に基づく表示タイプが、高表示レート低解像度タイプＶ３であるかどうかを判定する。  ステップＳ１０８７において、注目フレームの動き情報に基づく表示タイプが、高表示レート低解像度タイプＶ３であると判定された場合、ステップＳ１０８８に進み、決定部１０８４は、注目フレームの最終表示タイプを、高表示レート低解像度タイプＶＣ３に最終的に決定し、ステップＳ１０９３に進む。  また、ステップＳ１０８７において、注目フレームの動き情報に基づく表示タイプが、高表示レート低解像度タイプＶ３でないと判定された場合、即ち、注目フレームの動き情報に基づく表示タイプが、通常タイプＶ２である場合、ステップＳ１０８９に進み、連続性判定部１０８３（図５１）は、閾値処理部１０８２からの比較情報に基づき、動き情報に基づく表示タイプが通常タイプＶ２の注目フレームの細かさ情報が閾値Ｋ未満のフレームであり、注目フレームの直前か、直後、または前後に亘って、細かさ情報が閾値Ｋ未満のフレームが、最小限度フレーム数Ｎ以上連続して存在するかどうかを判定する。  ステップＳ１０８９において、注目フレームの細かさ情報が閾値Ｋ未満でないか、または、注目フレームの細かさ情報が閾値Ｋ未満であっても、注目フレームの直前、直後、および前後のいずれにも、細かさ情報が閾値Ｋ未満のフレームが最小限度フレーム数Ｎ以上連続して存在しないと判定された場合、連続性判定部１０８３は、その判定の結果を表す判定情報を、決定部１０８４（図５１）に供給して、ステップＳ１０９０に進む。  注目フレームの細かさ情報が閾値Ｋ未満でないとの判定の結果、または、注目フレームの直前、直後、および前後に亘ってのいずれにも、細かさ情報が閾値Ｋ未満のフレームが最小限度フレーム数Ｎ以上連続して存在しないとの判定の結果を表す判定情報の供給を連続性判定部１０８３から受けた決定部１０８４（図５１）は、ステップＳ１０９０において、動き情報に基づく表示タイプが通常タイプＶ２の注目フレームの最終表示タイプを、通常タイプＶＣ２に最終的に決定し、ステップＳ１０９３に進む。  また、ステップＳ１０８９��おいて、注目フレームの細かさ情報が閾値Ｋ未満であり、注目フレームの直前か、直後、または前後に亘って、細かさ情報が閾値Ｋ未満のフレームが最小限度フレーム数Ｎ以上連続して存在すると判定された場合、ステップＳ１０９１に進み、連続性判定部１０８３（図５１）は、細かさ情報が閾値Ｋ未満の、注目フレームの直前、直後、または前後に亘る、最小限度フレーム数Ｎ以上連続するフレームの区間のフレームのうちの、動き情報に基づく表示タイプが通常タイプＶ２のフレームの表示タイプを、通常表示レート低解像度タイプＶＣ４に変更した場合に、同一の表示タイプが連続するフレーム数が、最小限度フレーム数Ｎ未満となる区間が生じるかどうかを判定する。  即ち、ステップＳ１０９１では、例えば、図６８において、区間ＤＰが、細かさ情報が閾値Ｋ未満のフレームが最小限度フレーム数Ｎ以上連続する区間であるとすると、その区間ＤＰのフレームのうちの、動き情報に基づく表示タイプが通常タイプＶ２のフレームの表示タイプを、通常表示レート低解像度タイプＶＣ４に変更した場合に、Ｆｙファイルを作成しようとしている動画について最終的に得られる、動き情報と細かさ情報に基づく表示タイプの時系列において、同一の表示タイプが連続する区間の中に、その同一の表示タイプが連続する数が、最小限度フレーム数Ｎ未満となる区間が生じるかどうかが判定される。  ステップＳ１０９１において、細かさ情報が閾値Ｋ未満の、注目フレームの直前、直後、または前後に亘る、最小限度フレーム数Ｎ以上連続するフレームの区間のフレームのうちの、動き情報に基づく表示タイプが通常タイプＶ２のフレームの表示タイプを、通常表示レート低解像度タイプＶＣ４に変更すると、同一の表示タイプが連続するフレーム数が、最小限度フレーム数Ｎ未満となる区間が生じると判定された場合、即ち、動き情報に基づく表示タイプが通常タイプＶ２の注目フレームの最終表示タイプを、通常表示レート低解像度タイプＶＣ４にすると、シークが頻発するおそれがある場合、ステップＳ１０９０に進み、決定部１０８４（図５１）は、上述したように、動き情報に基づく表示タイプが通常タイプＶ２の注目フレームの最終表示タイプを、通常タイプＶＣ２に最終的に決定し、ステップＳ１０９３に進む。  また、ステップＳ１０９１において、細かさ情報が閾値Ｋ未満の、注目フレームの直前、直後、または前後に亘る、最小限度フレーム数Ｎ以上連続するフレームの区間のフレームのうちの、動き情報に基づく表示タイプが通常タイプＶ２のフレームの表示タイプを、通常表示レート低解像度タイプＶＣ４に変更しても、同一の表示タイプが連続するフレーム数が、最小限度フレーム数Ｎ未満となる区間が生じないと判定された場合、ステップＳ１０９２に進み、決定部１０８４（図５１）は、動き情報に基づく表示タイプが通常タイプＶ２の注目フレームの最終表示タイプを、通常表示レート低解像度タイプＶＣ４に最終的に決定し、ステップＳ１０９３に進む。  ここで、表示タイプ（最終表示タイプ）が、図６７に示した静止画タイプＶＣ１、通常タイプＶＣ２、高表示レート低解像度タイプＶＣ３、および通常表示レート低解像度タイプＶＣ４の中から決定される場合には、スクラブにおいて、表示タイプが、静止画タイプＶＣ１のフレームと、通常タイプＶＣ２のフレームとについては、解像度が高い画像（通常解像度の画像）、つまり、（プロキシデータよりも）データ量が多い本線データの画像データを処理して画像が表示される。  また、表示タイプが、高表示レート低解像度タイプＶＣ３のフレームと、通常表示レート低解像度タイプＶＣ４のフレームとについては、解像度が低い画像、つまり、（本線データよりも）データ量が少ないプロキシデータの画像データを処理して画像が表示される。  いま、例えば、記憶装置２２（図１）が、本線データとプロキシデータとが記録されるプロフェッショナルディスクである場合において、その記憶装置２２に記録された本線データ、またはプロキシデータを用いてスクラブを行うこととすると、図５２で説明した場合と同様に、動画を構成する時系列のフレームにおいて、プロキシデータを用いて画像が表示される高表示レート低解像度タイプＶＣ３のフレーム、または通常表示レート低解像度タイプＶＣ４のフレームと、本線データを用いて画像が表示される静止画タイプＶＣ１、または通常タイプＶＣ２のフレームとが頻繁に切り替わると、シークが頻繁に発生し、スクラブバー６６（図３）の操作によって指定されたフレームの表示をスムースに行うことが困難になることがある。  上述のようなシークが頻繁に発生することを防止するには、プロキシデータを用いて画像が表示される高表示レート低解像度タイプＶＣ３のフレーム、または通常表示レート低解像度タイプＶＣ４のフレームと、本線データを用いて画像が表示される静止画タイプＶＣ１、または通常タイプＶＣ２のフレームとが頻繁に切り替わらないようにする必要がある。  そのため、図６９では、ステップＳ１０９０〜Ｓ１０９２において、細かさ情報が閾値Ｋ未満の、注目フレームの直前、直後、または前後に亘る、最小限度フレーム数Ｎ以上連続するフレームの区間のフレームのうちの、動き情報に基づく表示タイプが通常タイプＶ２のフレームの表示タイプを、通常表示レート低解像度タイプＶＣ４に変更しても、同一の表示タイプが連続するフレーム数が、最小限度フレーム数Ｎ未満となる区間が生じない場合に限り、動き情報に基づく表示タイプが通常タイプＶ２の注目フレームの最終表示タイプを、通常表示レート低解像度タイプＶＣ４に決定し、他の場合（同一の表示タイプ（最終表示タイプ）が連続するフレーム数が、最小限度フレーム数Ｎ未満となる区間が生じる場合）には、動き情報に基づく表示タイプが通常タイプＶ２の注目フレームの最終表示タイプを、通常表示レート低解像度タイプＶＣ４に決定するようになっている。  ステップＳ１０９３では、連続性判定部１０８３が、いま、Ｆｙファイル作成部１００４（図３５）でＦｙファイルを作成しようとしている動画を構成するフレームの中で、まだ、注目フレームに選択していないフレームがあるかどうかを判定する。  ステップＳ１０９３において、まだ、注目フレームに選択していないフレームがあると判定された場合、ステップＳ１０８４に戻り、上述したように、まだ、注目フレームに選択していないフレームが、注目フレームに新たに選択され、以下、同様の処理が繰り返される。  また、ステップ���１０９３において、注目フレームに選択していないフレームがないと判定された場合、表示タイプ決定部１０２３は、処理を終了する。  次に、図７０は、図３５の変化量算出部１０２２において、変化量として動き情報と細かさ情報が求められ、表示タイプ決定部１０２３において、動き情報と細かさ情報に基づく表示タイプ（最終表示タイプ）が決定され、選択部１０２４において、変化量と表示タイプの両方が選択された場合の、図３５のファイル作成部１０２５が作成するＦｙファイルの例を示している。  図７０のＦｙファイルにおいては、左から右方向に、先頭から何番目のフレームかを表すフレームナンバ、フレームナンバに対応するフレームのタイムコード、フレームナンバに対応するフレームの変化量としての動き情報と細かさ情報、フレームナンバに対応するフレームの動き情報と細かさ情報に基づく表示タイプ（最終表示タイプ）が、順次配置されている。  以上の編集前処理において、フレームの変化量を求めるのに用いる画素値の種類は、特に限定されるものではない。即ち、画素値が、例えば、輝度信号（Ｙ）と色差信号（Ｃｂ，Ｃｒ）からなる場合には、輝度信号を用いて変化量を求めることもできるし、色差信号を用いて変化量を求めることもできる。但し、人間の視覚に対する影響は、色差信号の変化よりも、輝度信号の変化の方が大であるので、変化量は、輝度信号を用いて求めるのが望ましい。  また、画素値が、Ｒ，Ｇ，Ｂの色成分からなる場合には、例えば、Ｒ，Ｇ，Ｂの色成分の自乗和等を用いて、変化量を求めることができる。  さらに、変化量としての動き情報としては、図４０〜図４３で説明した値以外の動きの激しさを定量的に表す値を採用することができる。同様に、変化量としての細かさ情報としては、図４４〜図４７で説明した値以外の画像の細かさを定量的に表す値（例えば、ディフィカルティ（ｄｉｆ−ｆｉｃｕｌｔｙ）やフラットネスと呼ばれる値等）を採用することができる。  また、例えば、図４４で説明したように、ＭＰＥＧ２方式で符号化された画像データを用いて変化量を求める場合には、その画像データのＭＰＥＧ２方式での符号化によって得られている符号化ビットストリームを解析（パース）し、その解析の結果を用いて、変化量を求めることができる。  即ち、符号化ビットストリームには、動きベクトルが含まれるので、変化量としての動き情報を、図４０および図４１で説明したように、動きベクトルを用いて求める場合には、符号化ビットストリームを解析することにより、その解析の結果として、符号化ビットストリームに含まれる動きベクトルを得て、その動きベクトルを用いて、動き情報を求めることができる。  また、符号化ビットストリームには、８×８画素のブロックをＤＣＴ変換して得られるＤＣＴ係数が含まれるので、変化量としての細かさ情報を、図４４および図４５で説明したように、ＤＣＴ係数を用いて求める場合には、符号化ビットストリームを解析することにより、その解析の結果として、符号化ビットストリームに含まれるＤＣＴ係数を得て、そのＤＣＴ係数を用いて、細かさ情報を求めることができる。  さらに、８×８画素のブロックをＤＣＴ変換して得られるＤＣＴ係数のうちの、左上のＤＣＴ係数である、いわゆる直流成分は、ブロックの８×８画素それぞれの画素値の平均値であるから、変化量としての細かさ情報を、図４６および図４７で説明したように、ブロックの画素値の平均値を用いて求める場合には、符号化ビットストリームを解析することにより、その解析の結果として、符号化ビットストリームに含まれるＤＣＴ係数のうちの直流成分を得て、その直流成分、即ち、ブロックの画素値の平均値を用いて、細かさ情報を求めることができる。（４−２）スクラブ処理  次に、マイクロプロセッサ３及びＧＰＵ４によるスクラブ処理について説明する。このマイクロプロセッサ３及びＧＰＵ４による処理を機能的に表した場合、その機能的構成は、図７１に示すように、ＧＵＩ制御部１１１１、ストリーム復号位置検出部１１１２、データ供給制御部１１１３、Ｆｙファイル管理部１１１４、表示タイプ取得部１１１５、デコーダ１１１６および表示制御部１１１７とすることができる。  このＧＵＩ制御部１１１１は、表示制御部１１１７を制御することにより、ディスプレイ４０に、例えば、図２に示した編集画面（図２）等のＧＵＩを表示させる。また、ＧＵＩ制御部１１１１は、ディスプレイ４０に表示されたＧＵＩに対する、操作コントローラ３７、マウス３８又はキーボード３９のオペレータの操作に応じて、該操作コントローラ３７、マウス３８又はキーボード３９から供給される操作信号を受信し、その操作信号に応じて、必要な情報等を、ストリーム復号位置検出部１１１２や、データ供給制御部１１１３、表示制御部１１１７等に供給する。  即ち、ＧＵＩ制御部１１１１は、例えば、操作コントローラ３７、マウス３８又はキーボード３９から供給される操作信号に応じて、スクラブの対象となる本線データまたはプロキシデータのストリーム（ＡＶファイル）を指示する情報や、スクラブにおいて再生すべきフレームを指示する情報とともに、フレームの再生を要求するコマンド（命令）を、ストリーム復号位置検出部１１１２に供給する。  また、ＧＵＩ制御部１１１１は、操作コントローラ３７、マウス３８又はキーボード３９から供給される操作信号に応じて、変化量に基づいて表示タイプを決定するときに用いられる閾値を、データ供給制御部１１１３に供給する。  さらに、ＧＵＩ制御部１１１１は、再生時間差・再生速度ｖ設定ダイアログ（図７）に基づき、操作コントローラ３７、マウス３８又はキーボード３９から供給される再生時間差及び再生速度ｖを、データ供給制御部１１１３に供給する。  ストリーム復号位置検出部１１１２は、ＧＵＩ制御部１１１１からのコマンドに応じて、螺旋映像表示部群５８に表示するフレームを特定する情報としてのフレームナンバと、そのフレームのデータ（本線データまたはプロキシデータ）を含むストリームを特定する情報としてのストリームナンバを生成し、データ供給制御部１１１３に供給する。  データ供給制御部１１１３は、ブロックどうしの間でやりとりされるデータの中継等を行う。  即ち、データ供給制御部１１１３は、例えば、ＧＵＩ制御部１１１１からの閾値を受信し、その閾値を、Ｆｙファイル管理部１１１４に供給する。また、データ供給制御部１１１３は、例えば、ストリーム復号位置検出部１１１２からのフレームナンバおよびストリームナンバを受信し、そのフレームナンバおよびストリームナンバを、表示タイプ取得部１１１５に供給する。また、データ供給制御部１１１３は、例えば、記憶装置２２から読み出されたＦｙファイルを受信することにより取得し、そのＦｙファイルを、Ｆｙファイル管理部１１１４に供給する。  Ｆｙファイル管理部１１１４は、データ供給制御部１１１３から供給されるＦｙファイルの管理（記憶）を行う。  表示タイプ取得部１１１５は、Ｆｙファイル管理部１１１４で管理されているＦｙファイルを参照することにより、データ供給制御部１１１３から供給されるフレームナンバ（さらには、必要なストリームナンバ）によって特定されるフレーム、即ち、螺旋映像表示部群５８に表示するフレームの表示タイプを取得し、デコーダ１１１６および表示制御部１１１７、その他の編集システムを構成する必要なブロックである、例えば、ＧＵＩ制御部１１１１などに供給する。  デコーダ１１１６は、メモリ制御部１１１６Ａを内蔵しており、データ供給制御部１１１３から供給されるストリーム（本線データまたはプロキシデータ）を復号し、その結果得られるフレームの画像データ（ベースバンドの画像データ）を、表示制御部１１１７に供給する。  なお、デコーダ１１１６は、ストリームを復号するにあたって必要なデータを、ＸＤＲ−ＲＡＭ５（図１）に記憶させながら、ストリームの復号を行うが、デコーダ１１１６が内蔵するメモリ制御部１１１６Ａは、ＸＤＲ−ＲＡＭ５に対するデータの読み書きを制御する。また、デコーダ１１１６は、後述するように、螺旋映像表示部群５８に表示するフレームの表示タイプが静止画タイプである場合に、デコードを行わないことがあるが、螺旋映像表示部群５８に表示するフレームの表示タイプが静止画タイプであることについては、表示タイプ取得部１１１５からの表示タイプを参照することにより認識する。  表示制御部１１１７は、ＧＵＩ制御部１１１１から供給される情報や、Ｆｙファイル管理部１１１４で管理されているＦｙファイル等に応じて、ディスプレイ４０に対して編集画面（図２）等を表示させる。  また、表示制御部１１１７は、デコーダ１１１６から供給されるフレームの画像データに対応する画像を、表示タイプ取得部１１１５から供給される表示タイプと、データ供給制御部１１１３から供給される再生時間差及び再生速度ｖとに基づいて、編集画面５０における表示部５５の螺旋映像表示部群５８に表示する。  即ち、表示制御部１１１７は、デコーダ１１１６から供給されるフレームの画像データを、再生速度ｖに対応するフレーム数だけ間引き、当該間引き対象とならなかったフレームの画像データの画像を、そのフレームの表示タイプが表す表示方法で、該オペレータにより設定された再生時間差ΔＴ（図５）の時間差を隔てて螺旋映像表示部群５８（映像表示部Ｗ５７１〜Ｗ５７ｎ）にそれぞれ表示させる。  なお、表示制御部１１１７は、再生パラメータとしての再生時間差及び再生速度ｖがデータ供給制御部１１１３から供給されない場合（つまりオペレータにより設定操作が行われていない場合）には、予めデフォルトとして設定された再生パラメータを用いるようになされている。また、ディスプレイ４０では、ＸＤＲ−ＲＡＭ５（図１）の一部の記憶領域に記憶されているデータに対応する画像が表示されるようになっており、表示制御部１１１７は、そのＸＤＲ−ＲＡＭ５（図１）に画像データを書き込むことで、その画像データに対応する画像を、螺旋映像表示部群５８（映像表示部Ｗ５７１〜Ｗ５７ｎ）に表示させる。  ところで、スクラブにおいて螺旋映像表示部群５８に表示するフレームとして指示されたフレームを、注目フレームということとした場合、表示タイプ取得部１１１５では、Ｆｙファイル管理部１１１４で管理（記憶）されているＦｙファイルに基づいて注目フレームの表示タイプが取得され、これが表示制御部１１１７に供給される。  またこの場合、デコーダ１１１６では、記憶装置２２からデータ供給制御部１１１３を介して供給されるデータが、注目フレームの画像データに復号され、これが表示制御部１１１７に供給される。したがって、表示制御部１１１７は、注目フレームの画像データに対応する画像を、そのフレームの表示タイプが表す表示方法で、かつ再生速度ｖに対応するタイミングで、再生時間差ΔＴ（図５）の時間差を隔てて螺旋映像表示部群５８（映像表示部Ｗ５７１〜Ｗ５７ｎ）にそれぞれ表示させることになる。  ちなみに、Ｆｙファイルには、上述したように、フレーム単位の変化量と表示タイプのいずれか一方、または両方が選択されて格納されるため、Ｆｙファイルには、変化量と表示タイプの両方が格納されている場合、変化量が格納されているが、表示タイプが格納されていない場合、表示タイプが格納されているが、変化量が格納されていない場合がある。  Ｆｙファイルに表示タイプが格納されている場合、即ち、変化量と表示タイプの両方が格納されている場合と、表示タイプが格納されているが、変化量が格納されていない場合とにおいては、Ｆｙファイルに格納されている表示タイプを、そのまま用いて、注目フレームの画像データに対応する画像を、螺旋映像表示部群５８に表示させることができる。  また、Ｆｙファイルに変化量が格納されている場合、即ち、変化量と表示タイプの両方が格納されている場合と、変化量が格納されているが、表示タイプが格納されていない場合とにおいては、Ｆｙファイル管理部１１１４において、Ｆｙファイルに格納されているフレーム単位の変化量に基づき、フレーム単位の表示タイプを求め、その表示タイプを用いて、注目フレームの画像データに対応する画像を、螺旋映像表示部群５８に表示させることができる。  次に、図７２は、図７１のＦｙファイル管理部１１１４と表示タイプ取得部１１１５の構成例を示している。  Ｆｙファイル管理部１１１４は、ファイル記憶部１１２１、変化量取得部１１２２、表示タイプ決定部１１２３、および表示タイプ書き込み部１１２４から構成されている。  ファイル記憶部１１２１は、データ供給制御部１１１３（図７２）から供給されるＦｙファイル（に格納されたデータ）を記憶する。  変化量取得部１１２２は、ファイル記憶部１１２１に記憶されたＦｙファイルから、フレーム単位の変化量を読み出すことにより取得し、表示タイプ決定部１１２３に供給する。  表示タイプ決定部１１２３は、記憶部１１３１、閾値処理部１１３２、連続性判定部１��３３、および決定部１１３４から構成され、変化量取得部１１２２から供給されるフレーム単位の変化量に基づき、図５１の表示タイプ決定部１０２３と同様にして、フレーム単位の表示タイプを決定（再決定）し、表示タイプ書き込み部１１２４に供給する。  ここで、表示タイプ決定部１１２３において、記憶部１１３１、閾値処理部１１３２、連続性判定部１１３３、または決定部１１３４は、図５１の表示タイプ決定部１０２３の記憶部１０８１、閾値処理部１０８２、連続性判定部１０８３、または決定部１０８４とそれぞれ同様に構成される。  なお、閾値処理部１１３２は、閾値処理部１０８２と同様に、フレーム単位の変化量と閾値とを比較するが、閾値処理部１１３２が変化量と比較する閾値は、図４５のＧＵＩ制御部１１１１からデータ供給制御部１１１３を介して、閾値処理部１１３２に供給されるようになっている。  表示タイプ書き込み部１１２４は、Ｆｙファイル管理部１１１４から供給されるフレーム単位の表示タイプを、ファイル記憶部１１２１に記憶されているＦｙファイル（図５５）に格納されているフレーム番号およびタイムコードに対応付けて記憶させる（書き込む）。  表示タイプ取得部１１１５は、表示タイプ読み出し部１１４１から構成される。表示タイプ読み出し部１１４１は、Ｆｙファイル管理部１１１４で管理されているＦｙファイル、即ち、Ｆｙファイル管理部１１１４のファイル記憶部１１２１に記憶されているＦｙファイルから、データ供給制御部１１１３から供給される注目フレームのフレームナンバに対応付けられている表示タイプを読み出すことにより取得し、図７１のデコーダ１１１６や表示制御部１１１７等に供給する。  次に、図７１において行われるスクラブでは、例えば、図２に示したスクラブバー６６のスクラブつまみ６７の位置によって、ディスプレイ４０（に表示される螺旋映像表示部群５８）に表示する（再生映像の）フレーム（注目フレーム）が指定される。  即ち、図７２のＧＵＩ制御部１１１１は、表示制御部１１１７にスクラブバー６６を表示させ、そのスクラブバー６６のスクラブつまみ６７の位置によって指定されるフレームを、注目フレームとして認識する。  ここで、図７３を参照して、スクラブつまみ６７の位置と、その位置によって指定されるフレームとの関係について説明する。  図７３は、スクラブバー６６を示している。  スクラブバー６６においては、スクラブつまみ６７が移動可能な水平方向の移動可能範囲（水平方向が、例えば、１０数ｃｍ程度の長さの範囲）は、螺旋映像表示部群５８に表示された編集対象（つまりスクラブの対象）の再生映像（のストリーム）を構成するフレームの数と同一の小区間（以下、適宜、指定区間という）に区分される。  ここで、図７３では、移動可能範囲が、Ｆ個の指定区間に区分されている。  また、指定区間の水平方向の長さ（移動可能範囲を指定区間に区切るときの幅）を区間長ということとすると、図７３では、移動可能範囲は、同一の区間長の指定区間に区分されている（等分されている）。  移動可能範囲を区分する各指定区間には、例えば、左側の指定区間から右側の指定区間の方向に、螺旋映像表示部群５８に表示された編集対象（つまりスクラブの対象）の��生映像を構成するフレームが、時系列に割り当てられる。従って、移動可能範囲の左からｉ番目の指定区間を第ｉ指定区間というとともに、該再生映像を構成するフレームの、先頭からｉ番目のフレームを第ｉフレームということとすると、第ｉ指定区間には、第ｉフレームが割り当てられる。  ＧＵＩ制御部１１１１は、スクラブつまみ６７が位置している指定区間を、螺旋映像表示部群５８に直前に表示されたフレームの表示タイプが表す表示レートに応じたタイミングで検出し、その指定区間に割り当てられているフレームを、注目フレームとして認識する。  ここで、表示タイプとして、図４９に示した静止画タイプＶ１、通常タイプＶ２、および高表示レート低解像度タイプＶ３の３つを採用し、静止画タイプＶ１と通常タイプＶ２の表示レートが、例えば、３０フレーム／秒であり、高表示レート低解像度タイプＶ３の表示レートが、例えば、６０フレーム／秒であるとする。なお、この通常タイプＶ２の表示レートは、再生パラメータのうちの再生速度ｖに対応する表示レートである。  図７４は、通常タイプＶ２と高表示レート低解像度タイプＶ３のフレームそれぞれのスクラブでの表示方法を示している。  ＧＵＩ制御部１１１１は、螺旋映像表示部群５８に直前に表示されたフレームの表示タイプが、３０フレーム／秒の表示レートの静止画タイプＶ１または通常タイプＶ２であるときには、１／３０秒間隔で、スクラブつまみ６７が位置している指定区間を検出し、その指定区間に割り当てられているフレームを、注目フレームとして認識する。従って、表示タイプが、通常タイプＶ２であるときには、螺旋映像表示部群５８に表示されるフレーム（注目フレーム）は、１／３０秒間隔、つまり、３０フレーム／秒の表示レートで更新される。  また、ＧＵＩ制御部１１１１は、螺旋映像表示部群５８に直前に表示されたフレームの表示タイプが、例えば、６０フレーム／秒の表示レートの高表示レート低解像度タイプＶ３であるときには、１／６０秒間隔で、スクラブつまみ６７が位置している指定区間を検出し、その指定区間に割り当てられているフレームを、注目フレームとして認識する。従って、表示タイプが、高表示レート低解像度タイプＶ３であるときには、螺旋映像表示部群５８に表示されるフレーム（注目フレーム）は、１／６０秒間隔、つまり、６０フレーム／秒の表示レートで更新される。  以上から、スクラブつまみ６７が、例えば、１／３０秒間に、２つの指定区間分の長さだけ左から右に移動する速さで移動された場合、表示タイプが、例えば、通常タイプＶ２のフレームが連続する通常区間では、１／３０秒間隔で、１フレームおきのフレーム、つまり、第ｉフレーム、第ｉ＋２フレーム、第ｉ＋４フレーム、・・・が注目フレームとなり、その結果、螺旋映像表示部群５８では、画像が、コマ落ち状態で、２倍速で表示される。  また、スクラブつまみ６７が、上述の場合と同様に、１／３０秒間に、２つの指定区間分の長さだけ左から右に移動する速さで移動された場合、即ち、１／６０秒間に、１つの指定区間分の長さだけ左から右に移動する速さで移動された場合、表示タイプが、例えば、高表示レート低解像度タイプＶ３のフレームが連続する高表示レート低解像度区間では、１／６０秒間隔で、１フレームごとのフレーム、つまり、第ｉフレーム、第ｉ＋１フレーム、第ｉ＋２フレーム、・・・が注目フレームとなり、その結果、螺旋映像表示部群５８では、画像が、コマ落ちなしで、２倍速で表示される。  以上のように、スクラブつまみ６７を、２倍速の表示（再生）を行うような速い移動速度で移動させた場合、コマ落ちが生じる表示タイプのフレームと、コマ落ちが生じない表示タイプのフレームとがある。即ち、表示レートが通常タイプＶ２に比べて高い高表示レート低解像度タイプＶ３のフレーム、つまり、動きが大きいフレームについては、スクラブつまみ６７が速く動かされても、コマ落ちが生じにくくなっている。これにより、動きが大きいフレームについて、画像の時間的な変化を見逃すのを防止することができる。  なお、上述したように、通常区間では、１／３０秒間隔で、注目フレームが更新されるのに対して、高表示レート低解像度区間では、通常区間の１／２の１／６０秒間隔で、注目フレームが更新される。  従って、デコーダ１１１６（図７１）は、高表示レート低解像度区間のフレーム（表示タイプが高表示レート低解像度タイプＶ３のフレーム）を、通常区間のフレーム（表示タイプが通常タイプＶ２のフレーム）の２倍の速度で復号する必要がある。さらに、高表示レート低解像度区間のフレームは、通常区間のフレームよりも動きの大きなフレームであるから、解像度が一定である場合には、デコーダ１１１６での復号に要するデータのデータ量については、高表示レート低解像度区間のフレームの方が、通常区間のフレームよりも多い。以上から、高表示レート低解像度区間のフレームの表示には、通常区間のフレームの表示に比較して大きな負荷がかかる。  そこで、この編集装置２では、通常区間のフレームを表示する場合には、本線データとしての画像データを復号し、高表示レート低解像度区間のフレームを表示する場合には、本線データよりもデータ量が少ないプロキシデータとしての画像データを復号し、これにより、高表示レート低解像度区間のフレームの表示にかかる負荷を軽減するようになっている。  また、上述の場合には、スクラブつまみ６７が、例えば、１／３０秒間に、２つの指定区間分の長さだけ左から右に移動する速さで移動されることとしたが、その他、例えば、スクラブつまみ６７が、１／３０秒間に、１つの指定区間分の長さだけ左から右に移動する速さで移動されることとした場合には、表示タイプが、通常タイプＶ２のフレームが連続する通常区間では、１／３０秒間隔で、１フレームごとのフレームが注目フレームとなり、その結果、螺旋映像表示部群５８では、画像が、コマ落ちなしで、１倍速で表示される。  また、スクラブつまみ６７が、１／３０秒間に、１つの指定区間分の長さだけ左から右に移動する速さで移動された場合には、スクラブつまみ６７は、１／６０秒間に、１つの指定区間分の長さの１／２だけ左から右に移動するから、表示タイプが、高表示レート低解像度タイプＶ３のフレームが連続する高表示レート低解像度区間では、１／３０秒間に、同一のフレームが注目フレームとなり、その結果、螺旋映像表示部群５８では、やはり、画像が、コマ落ちなしで、１倍速で表示される。  次���、図７５を参照して、表示タイプが静止画タイプＶ１のフレームの表示について説明する。  この編集装置２では、表示タイプが静止画タイプＶ１のフレームが連続する静止画区間のフレームについては、その静止画区間のフレームの中で、注目フレーム（表示対象のフレーム）が変更されても、螺旋映像表示部群５８に直前に表示されたフレームの画像が表示される。  即ち、静止画区間のフレームについては、その静止画区間のフレームが注目フレームである限り、その静止画区間において最初に注目フレームとなったフレームの画像が表示し続けられる。  従って、例えば、図７５の上から１番目に示すように、スクラブの開始時に、スクラブつまみ６７が、静止画区間以外の区間（ここでは、通常区間または高表示レート低解像度区間）のフレームを注目フレームに指定している場合において、オペレータがスクラブつまみ６７を左から右方向に移動させ、これにより、静止画区間のフレームの中で、その静止画区間の左端に位置するフレーム（静止画区間の中で時間的に最も先行するフレーム）が、最初に、注目フレームに指定されると、デコーダ１１１６（図７１）において、その最初に注目フレームに指定されたフレームの画像データが復号され、螺旋映像表示部群５８において、対応する画像が表示される。  そして、その後は、静止画区間のフレームが注目フレームに指定されている限り、最初に注目フレームに指定されたフレームの画像が、現在の注目フレームの画像として表示される。従って、デコーダ１１１６では、静止画区間のフレームが注目フレームに指定されている限り、現在の注目フレームの画像データの復号は、最初に注目フレームに指定されたフレームの画像データの復号を除いて行われない。  また、例えば、図７５の上から２番目に示すように、スクラブの開始時に、スクラブつまみ６７が、静止画区間のフレームを注目フレームに指定している場合には、デコーダ１１１６（図７１）において、スクラブの開始時に注目フレームに指定されたフレームの画像データが復号され、螺旋映像表示部群５８において、対応する画像が表示される。  そして、その後は、静止画区間のフレームが注目フレームに指定されている限り、スクラブの開始時に注目フレームに指定されたフレームの画像が、現在の注目フレームの画像として表示される。従って、デコーダ１１１６では、静止画区間のフレームが注目フレームに指定されている限り、現在の注目フレームの画像データの復号は、スクラブの開始時に注目フレームに指定されたフレームの画像データの復号を除いて行われない。  さらに、例えば、図７５の上から３番目（下から１番目）に示すように、スクラブの開始時に、スクラブつまみ６７が、静止画区間以外の区間（ここでは、通常区間または高表示レート低解像度区間）のフレームを注目フレームに指定している場合において、オペレータがスクラブつまみ６７を右から左方向に移動させ、これにより、静止画区間のフレームの中で、その静止画区間の右端に位置するフレーム（静止画区間の中で時間的に最も後行するフレーム）が、最初に、注目フレームに指定されると、デコーダ１１１６（図７１）において、その最初に注目フレームに指定されたフレームの画像データが復号さ��、螺旋映像表示部群５８において、対応する画像が表示される。  そして、その後は、静止画区間のフレームが注目フレームに指定されている限り、最初に注目フレームに指定されたフレームの画像が、現在の注目フレームの画像として表示される。従って、デコーダ１１１６では、静止画区間のフレームが注目フレームに指定されている限り、現在の注目フレームの画像データの復号は、最初に注目フレームに指定されたフレームの画像データの復号を除いて行われない。  次に、図７６のフローチャートを参照して、スクラブの処理について説明する。  例えば、オペレータが、操作コントローラ３７、マウス３８又はキーボード３９を操作して、編集対象となるＡＶファイルを指定すると、その操作に対応した操作信号が、操作コントローラ３７、マウス３８又はキーボード３９からＧＵＩ制御部１１１１に供給される。  ＧＵＩ制御部１１１１は、ステップＳ１１１１において、キーボード３９またはマウス３８からの操作信号に応じて、編集対象となるＡＶファイルを認識して、ステップＳ１１１２に進む。  ステップＳ１１１２では、Ｆｙファイル管理部１１１４が、ＧＵＩ制御部１１１１が編集対象として認識したＡＶファイルに対応するＦｙファイルをキャッシュ（一時記憶）し、ステップＳ１１１３に進む。  即ち、ＧＵＩ制御部１１１１は、編集対象として認識したＡＶファイルに対応するＦｙファイルを供給するように、ストリーム復号位置検出部１１１２を介して、データ供給制御部１１１３を制御する。データ供給制御部１１１３は、ＧＵＩ制御部１１１１からの制御にしたがい、記憶装置２２からＦｙファイルを読み出し、Ｆｙファイル管理部１１１４に供給する。ステップＳ１１１２において、Ｆｙファイル管理部１１１４は、以上のようにして、データ供給制御部１１１３から供給されるＦｙファイルを、ファイル記憶部１１２１（図４６）に記憶させる。  ステップＳ１１１３では、Ｆｙファイル管理部１１１４の変化量取得部１１２２（図７２）が、直前のステップＳ１１１２でファイル記憶部１１２１に記憶されたＦｙファイルに、表示タイプが存在するかどうかを判定する。  ステップＳ１１１３において、ファイル記憶部１１２１に記憶されたＦｙファイルに、表示タイプが存在すると判定された場合、後述するステップＳ１１１４をスキップして、ステップＳ１１１５に進む。  また、ステップＳ１１１３において、ファイル記憶部１１２１に記憶されたＦｙファイルに、表示タイプが存在しないと判定された場合、変化量取得部１１２２は、ファイル記憶部１１２１に記憶されたＦｙファイルから、フレーム単位の変化量を読み出し、表示タイプ決定部１１２３（図７２）に供給して、ステップＳ１１１４に進む。  なお、ここでは、ファイル記憶部１１２１に記憶されたＦｙファイルには、少なくとも、フレーム単位の変化量としての動き情報が記憶されているものとする。  ステップＳ１１１４では、表示タイプ決定部１１２３が、変化量取得部１１２２から供給されるフレーム単位の変化量に基づき、図５１の表示タイプ決定部１０２３と同様にして、フレーム単位の表示タイプを決定し、表示タイプ書き込み部１１２４（図７２）に供給する。そして、表示タイプ書き込み部１１２���は、表示タイプ決定部１１２３からの表示タイプを、ファイル記憶部１１２１のＦｙファイルに書き込み、ステップＳ１１１４からステップＳ１１１５に進む。  なお、表示タイプ決定部１１２３の閾値処理部１１３２（図７２）は、ステップＳ１１１４で表示タイプを決定するにあたって、変化量と閾値とを比較するが、その閾値としては、図５１の表示タイプ決定部１０２３の閾値処理部１０８２が用いるのと同一の閾値を使用する。  また、上述したように、ステップＳ１１１３からステップＳ１１１５に進むとき、またはステップＳ１１１４からステップＳ１１１５に進むとき、図２の編集画面５０その他のＧＵＩをディスプレイ４０に表示する。  ステップＳ１１１５では、ＧＵＩ制御部１１１１が、編集プログラムを終了するように、操作コントローラ３７、マウス３８又はキーボード３９が操作されたかどうかを判定する。  ステップＳ１１１５において、編集プログラムを終了するように、操作コントローラ３７、マウス３８又はキーボード３９が操作されていないと判定された場合、ステップＳ１１１６に進み、ＧＵＩ制御部１１１１は、ステップＳ１１１３からステップＳ１１１５に進むとき、またはステップＳ１１１４からステップＳ１１１５に進むときに表示された編集画面５０（図２）のスクラブバー６６が有するスクラブつまみ６７が移動されたかどうか、即ち、操作コントローラ３７、マウス３８又はキーボード３９を操作することにより、スクラブつまみ６７を移動したかどうかを判定する。  ステップＳ１１１６において、スクラブつまみ６７が移動されたと判定された場合、即ち、オペレータが、スクラブつまみ６７を移動するように、操作コントローラ３７、マウス３８又はキーボード３９を操作し、その操作に対応する操作信号が、操作コントローラ３７、マウス３８又はキーボード３９からＧＵＩ制御部１１１１に供給された場合、ＧＵＩ制御部１１１１は、スクラブつまみ６７が位置する指定区間（図７３）に割り当てられたフレームを注目フレームとし、その注目フレームの情報を、ストリーム復号位置検出部１１１２およびデータ供給制御部１１１３を介して、表示タイプ取得部１１１５に供給して、ステップＳ１１１７に進む。  ステップＳ１１１７では、表示タイプ取得部１１１５が、ＧＵＩ制御部１１１１から、ストリーム復号位置検出部１１１２およびデータ供給制御部１１１３を介して供給される注目フレームの情報に基づき、注目フレームの表示タイプを、Ｆｙファイル管理部１１１４のファイル記憶部１１２１（図７２）から読み出すことにより取得し、ＧＵＩ制御部１１１１、デコーダ１１１６、および表示制御部１１１７に供給する。さらに、ステップＳ１１１７では、デコーダ１１１６と表示制御部１１１７が、表示タイプ取得部１１１５からの注目フレームの表示タイプを判定し、その判定の結果に基づき、注目フレームの画像を表示する表示制御処理（後述するステップＳ１１１８〜Ｓ１１２３）を行って、ステップＳ１１１５に戻る。  即ち、ステップＳ１１１７において、注目フレームの表示タイプが、静止画タイプＶ１であると判定された場合、ステップＳ１１１８に進み、表示制御部１１１７は、直前に注目フレームであったフレーム（以下、適宜��前回フレームという）の表示タイプが静止画タイプＶ１であり、かつ、前回フレームと注目フレームとが、同一の静止画区間のフレームであるかどうかを、Ｆｙファイル管理部１１１４のファイル記憶部１１２１に記憶されたＦｙファイルを参照することにより判定する。  ステップＳ１１１８において、前回フレームと注目フレームとが、同一の静止画区間のフレームでないと判定された場合、ステップＳ１１１９に進み、デコーダ１１１６は、データ供給制御部１１１３が記憶装置２２から注目フレームの本線データ（さらには、その注目フレームの復号に必要なデータ）を読み出し、デコーダ１１１６に供給するのを待って、その注目フレームの本線データを取得（受信）して、ステップＳ１１２０に進む。  ステップＳ１１２０では、デコーダ１１１６は、データ供給制御部１１１３から取得した注目フレームの本線データを復号し、その結果得られる画像データを、表示制御部１１１７に供給して、ステップＳ１１２１に進む。ステップＳ１１２１では、表示制御部１１１７が、デコーダ１１１６からの注目フレームの画像データをバッファリングし、ステップＳ１１２２に進み、該バッファリングされた画像データに対応する画像を、再生時間差ΔＴ（図５）の時間差を隔てて螺旋映像表示部群５８（映像表示部Ｗ５７１〜Ｗ５７ｎ）にそれぞれ表示させる。  従って、表示タイプが静止画タイプＶ１のフレームの画像としては、本線データとしての画像データに対応する画像、即ち、（プロキシデータとしての画像データに対応する画像よりも）解像度が高い画像が表示される。  一方、ステップＳ１１１８において、前回フレームと注目フレームとが、同一の静止画区間のフレームであると判定された場合、ステップＳ１１２２に進み、表示制御部１１１７は、直前（間近）に行われたステップＳ１１２１でバッファリングされた画像データに対応する画像を、注目フレームの画像として、再生時間差ΔＴ（図５）の時間差を隔てて螺旋映像表示部群５８（映像表示部Ｗ５７１〜Ｗ５７ｎ）にそれぞれ表示させる。  即ち、前回フレームと注目フレームとが、同一の静止画区間のフレームである場合には、その静止画区間のフレームの画像としては、その静止画区間のフレームの中で、最初に注目フレームとなったフレームの画像が表示される。従って、この場合、デコーダ１１１６において復号を行わずに済むので、この編集装置２にかかる負荷を軽減することができる。  一方、ステップＳ１１１７において、注目フレームの表示タイプが、通常タイプＶ２であると判定された場合、ステップＳ１１１９〜Ｓ１１２２に順次進み、上述したように、注目フレームの画像が表示される。  即ち、ステップＳ１１１９において、デコーダ１１１６は、データ供給制御部１１１３が記憶装置２２から注目フレームの本線データを読み出し、デコーダ１１１６に供給するのを待って、その注目フレームの本線データを取得して、ステップＳ１１２０に進む。  ステップＳ１１２０では、デコーダ１１１６は、データ供給制御部１１１３から取得した注目フレームの本線データを復号し、その結果得られる画像データを、表示制御部１１１７に供給して、ステップＳ１１２１に進む。ステップＳ１１２１では、表示制御部１１１７が、デコーダ１１１６からの注目フレームの画像データをバッファリングし、ステップＳ１１２２に進み、該バッファリングされた画像データに対応する画像を、再生時間差ΔＴ（図５）の時間差を隔てて螺旋映像表示部群５８（映像表示部Ｗ５７１〜Ｗ５７ｎ）にそれぞれ表示させる。  従って、表示タイプが通常タイプＶ２のフレームの画像としては、本線データとしての画像データに対応する画像、即ち、（プロキシデータとしての画像データに対応する画像よりも）解像度が高い画像が表示される。  一方、ステップＳ１１１７において、注目フレームの表示タイプが、高表示レート低解像度タイプＶ３であると判定された場合、ステップＳ１１２３に進み、デコーダ１１１６は、データ供給制御部１１１３が記憶装置２２から注目フレームのプロキシデータ（さらには、注目フレームの復号に必要なデータ）を読み出し、デコーダ１１１６に供給するのを待って、その注目フレームのプロキシデータを取得して、ステップＳ１１２０に進む。  ステップＳ１１２０では、デコーダ１１１６は、データ供給制御部１１１３から取得した注目フレームのプロキシデータを復号し、その結果得られる画像データを、表示制御部１１１７に供給して、ステップＳ１１２１に進む。ステップＳ１１２１では、表示制御部１１１７が、デコーダ１１１６からの注目フレームの画像データをバッファリングし、ステップＳ１１２２に進み、該バッファリングされた画像データに対応する画像を、再生時間差ΔＴ（図５）の時間差を隔てて螺旋映像表示部群５８（映像表示部Ｗ５７１〜Ｗ５７ｎ）にそれぞれ表示させる。  従って、表示タイプが高表示レート低解像度タイプＶ３のフレームの画像としては、プロキシデータとしての画像データに対応する画像、即ち、（本線データとしての画像データに対応する画像よりも）解像度が低い画像が表示される。  一方、ステップＳ１１１６において、スクラブつまみ６７が移動されていないと判定された場合、ステップＳ１１２２に進み、表示制御部１１１７は、直前（間近）に行われたステップＳ１１２１で、当該バッファリングされた画像データに対応する画像を、注目フレームの画像として、再生時間差ΔＴ（図５）の時間差を隔てて螺旋映像表示部群５８（映像表示部Ｗ５７１〜Ｗ５７ｎ）にそれぞれ表示させる。  即ち、スクラブつまみ６７が、前回のステップＳ１１１６の判定が行われたときから移動されていない場合には、表示制御部１１１７は、フレームバッファ１１１７Ａに記憶された画像データに対応する画像、つまり、直前に表示された画像（前回のステップＳ１１２２において表示された画像）を、再度表示させる。  以上のように、ステップＳ１１２２において、注目フレームの画像が表示された後は、ステップＳ１１２４に進み、ＧＵＩ制御部１１１１は、ステップＳ１１１７で表示タイプ取得部１１１５から供給された注目フレームの表示タイプを判定する。  ステップＳ１１２４において、注目フレームの表示タイプが高表示レート低解像度タイプＶ３であると判定された場合、ステップＳ１１２５に進み、ＧＵＩ制御部１１１１は、前回のステップＳ１１１６での、スクラブつまみ６７が移動されたかどうかの判定を行ってから、高表示レート低解像度タイプＶ��の表示レートに対応する時間である、例えば、１／６０秒が経過したかどうかを判定する。  ステップＳ１１２５において、１／６０秒が経過していないと判定された場合、ステップＳ１１２５に戻る。  また、ステップＳ１１２５において、１／６０秒が経過したと判定された場合、ステップＳ１１１５に戻り、以下、上述した処理が繰り返される。  従って、表示タイプが高表示レート低解像度タイプＶ３のフレームが注目フレームとなっている場合には、ＧＵＩ制御部１１１１が、ステップＳ１１１６において、高表示レート低解像度タイプＶ３に応じた１／６０秒の周期で、スクラブつまみ６７が移動されたかどうかを判定する。  そして、スクラブつまみ６７が移動されたと判定された場合、表示制御部１１１７は、移動後のスクラブつまみ６７が位置する指定区間（図４７）に割り当てられたフレームのプロキシデータを復号することにより得られる画像データに対応する画像（低解像度の画像）を、再生時間差ΔＴ（図５）の時間差を隔てて螺旋映像表示部群５８（映像表示部Ｗ５７１〜Ｗ５７ｎ）にそれぞれ表示させる。  また、スクラブつまみ６７が移動されていないと判定された場合、表示制御部１１１７は、直前にディスプレイ４０に表示された画像を、再度表示させる。  以上のようにして、表示タイプが高表示レート低解像度タイプＶ３のフレームについては、その表示レートである６０フレーム／秒で、画像が表示される。  一方、ステップＳ１１２４において、注目フレームの表示タイプが静止画タイプＶ１または通常タイプＶ２のうちのいずれかであると判定された場合、ステップＳ１１２６に進み、ＧＵＩ制御部１１１１は、前回のステップＳ１１１６での、スクラブつまみ６７が移動されたかどうかの判定を行ってから、静止画タイプＶ１と通常タイプＶ２の表示レートに対応する時間である、例えば、１／３０秒が経過したかどうかを判定する。  ステップＳ１１２６において、１／３０秒が経過していないと判定された場合、ステップＳ１１２６に戻る。  また、ステップＳ１１２６において、１／３０秒が経過したと判定された場合、ステップＳ１１１５に戻り、以下、上述した処理が繰り返される。  従って、表示タイプが静止画タイプＶ１または通常タイプＶ２のうちのいずれかのフレームが注目フレームとなっている場合には、ＧＵＩ制御部１１１１が、ステップＳ１１１６において、静止画タイプＶ１と通常タイプＶ２に応じた１／３０秒の周期で、スクラブつまみ６７が移動されたかどうかを判定する。  そして、スクラブつまみ６７が移動されたと判定された場合、表示制御部１１１７は、移動後のスクラブつまみ６７が位置する指定区間（図４７）に割り当てられたフレームの本線データを復号することにより得られる画像データに対応する画像（高解像度の画像）を、再生時間差ΔＴ（図５）の時間差を隔てて螺旋映像表示部群５８（映像表示部Ｗ５７１〜Ｗ５７ｎ）にそれぞれ表示させる。  また、スクラブつまみ６７が移動されていないと判定された場合、表示制御部１１１７は、直前にディスプレイ４０に表示された画像を、再度表示させる。  以上のようにして、表示タイプが静止画タイプＶ１と通常タイプＶ２のフレームについては、その表示レートである３０フレー��／秒で、画像が表示される。  一方、ステップＳ１１１５において、編集プログラムを終了するように、キーボード３９またはマウス３８が操作されたと判定された場合、即ち、例えば、オペレータが、編集プログラムを終了するように、キーボード３９またはマウス３８を操作し、その操作に対応した操作信号が、キーボード３９またはマウス３８からＧＵＩ制御部１１１１に供給された場合、スクラブの処理（編集プログラムの実行）は終了する。  以上のように、再生速度ｖに対応する表示レートを基準として、スクラブつまみ６７によって指定されているフレームである注目フレームの表示タイプを取得し、その表示タイプが表す表示方法で、再生時間差ΔＴの時間差を隔てて螺旋映像表示部群５８（映像表示部Ｗ５７１〜Ｗ５７ｎ）にそれぞれ表示させるようにしたので、スクラブを適切に行うことができる。  即ち、表示タイプが静止画タイプＶ１のフレーム、つまり、動きがないフレームが注目フレームである場合には、その注目フレームを含む、静止画タイプＶ１のフレームが連続する静止画区間において最初に注目フレームとなったフレームの画像データを、本線データを復号することにより得て、その画像データに対応する画像を表示するので、同一のフレームの高画質の画像が表示され、その結果、オペレータは、画像の内容を、容易に確認することができる。さらに、同一の静止画区間のフレームが連続して注目フレームとなっている限りは、本線データを復号する必要がないので、編集装置２にかかる負担を軽減することができる。  また、表示タイプが高表示レート低解像度タイプＶ３フレーム、つまり、動きが大きい（激しい）フレームが注目フレームである場合には、高い表示レートで、画像を表示するので、オペレータは、動きの激しい画像の内容を正確に確認することができる。  さらに、表示タイプが高表示レート低解像度タイプＶ３フレームが注目フレームである場合には、本線データよりもデータ量が少ないプロキシデータを復号し、その結果得られる画像データに対応する画像を表示するので、編集装置２にかかる負担を軽減し、編集装置２に大きな負荷がかかることに起因して、編集プログラムが応答しなくなること（編集装置２がハングアップすること）を防止することができる。  また、表示タイプが通常タイプＶ２のフレーム、つまり、激しくはないが、ある程度の動きがあるフレームが注目フレームである場合には、表示タイプが高表示レート低解像度タイプＶ３のフレームより低い表示レートではあるが、表示タイプが高表示レート低解像度タイプＶ３のフレームより高い解像度の画像が表示される。表示タイプが通常タイプＶ２のフレームは、表示タイプが高表示レート低解像度タイプＶ３のフレームより画像の動き（フレーム間の画素値の変化）が小さいので、表示タイプが高表示レート低解像度タイプＶ３のフレームより低い表示レートで表示しても、オペレータが、画像の内容を正確に確認することができる。  さらに、表示タイプが通常タイプＶ２のフレームは、表示タイプが高表示レート低解像度タイプＶ３のフレームより画像の動きが小さいので、表示タイプが通常タイプＶ２のフレームの本線データのデータ量は、表示タイプが高表示レート低解像度タイプＶ���のフレームの本線データのデータ量よりも少ない。従って、表示タイプが通常タイプＶ２のフレームが注目フレームである場合に、本線データを復号し、その結果得られる画像データに対応する高解像度の画像を表示しても、編集装置２にかかる負荷は、表示タイプが高表示レート低解像度タイプＶ３のフレームの本線データを復号する場合にかかる負荷よりも小さくなる。  以上のように、スクラブの処理は、すべてのフレームを同一の表示方法で表示するのではなく、画像の変化量（動き情報、細かさ情報）に応じて、所定のパラメータを変更して再生映像を表示する。このパラメータは、具体的には、表示に関するパラメータ（表示パラメータ）として、画像の解像度を変えるとともに、再生に関するパラメータとして（再生パラメータ）、表示レート（フレームレート）、再生速度ｖを変えるようにした。加えて、画像の変化量に応じて、必要なフレームだけを復号するようにした。これらによって、適切なスクラブが可能となる。（４−３）他のスクラブの処理の形態  なお、上述のスクラブの処理では、表示タイプが、動き情報に基づいて決定される、図４９に示した静止画タイプＶ１、通常タイプＶ２、および高表示レート低解像度タイプＶ３の３つであるとしたが、スクラブの処理は、表示タイプが、例えば、図５６に示した静止画タイプＶ１１、通常タイプＶ１２、高表示レート通常解像度タイプＶ１３、超高表示レート低解像度タイプＶ１４、および超超高表示レート低解像度タイプＶ１５の５つであっても行うことができるし、表示タイプが、例えば、細かさ情報に基づいて決定される、図６０に示した低解像度通常表示レートタイプＣ１、通常タイプＣ２、および通常解像度低表示レートタイプＣ３の３つであっても行うことができる。  また、上述のスクラブの処理では、記憶装置２２に、解像度が高い画像の本線データと、解像度が低い画像のプロキシデータとを記録し、即ち、同一内容の２種類の解像度の画像を記録し、フレームの表示タイプに応じて、解像度が高い画像、または解像度が低い画像を表示するようにしたが、その他、例えば、記憶装置２２に、高、中、低の３種類の解像度の画像を記録し、フレームの表示タイプに応じて、解像度が高の画像、解像度が中の画像、または解像度が低の画像を表示することが可能である。  さらに、上述のスクラブの処理では、フレームを割り当てる指定区間の区間長を一定としたが、その指定区間に割り当てるフレームの変化量としての、例えば、動き情報に応じた重み付けをした区間長とすることも可能である。  上述のスクラブの処理では、スクラブつまみ６７の位置が、表示レートに対応する周期で検出され、スクラブつまみ６７が位置する指定区間に割り当てられたフレームを注目フレームとして、その注目フレームが、螺旋映像表示部群５８の映像表示部Ｗ５７１〜Ｗ５７ｎに、再生時間差ΔＴを隔ててそれぞれ表示される。  図７３で説明したように、スクラブバー６６の移動可能範囲が、螺旋映像表示部群５８に表示された編集対象（つまりスクラブの対象）の再生映像を構成するフレームの数と同一の数の、区間長が同一の指定区間に区分されている場合、スクラブつまみ６７を一定の速さで移動させると、スクラブつまみ６７は、あ��単位時間において、ある一定の距離、ひいては、ある一定の数の指定区間を移動する。従って、表示レートが一定であれば、スクラブつまみ６７が一定の速度で一定の距離だけ移動されることによって、ある一定のフレーム数のフレームが表示される。  つまり、説明を簡単にするために、表示レートが一定であると過程すると、螺旋映像表示部群５８に表示されている再生映像に、動きが激しいフレームが連続する区間（以下、適宜、動きあり区間という）と、動きがないフレームが連続する区間（以下、適宜、動きなし区間という）とが存在する場合において、スクラブバー６６の移動可能範囲のうちの、動きあり区間のフレームが割り当てられている指定区間の範囲と、動きなし区間のフレームが割り当てられている指定区間の範囲のぞれぞれで、スクラブつまみ６７を一定の速度で一定の距離だけ移動しても、螺旋映像表示部群５８に表示されるフレームの数は変わらない。  しかしながら、動きあり区間のフレームが割り当てられている指定区間の範囲において、スクラブつまみ６７を移動させると、動きあり区間のフレームは、動きが激しいために、螺旋映像表示部群５８に表示される画像は大きく変化する（動く）。  一方、動きなし区間のフレームが割り当てられている指定区間の範囲において、スクラブつまみ６７を移動させると、動きない区間のフレームは、動きが（ほとんど）ないために、螺旋映像表示部群５８に表示される画像は（ほとんど）変わらない。  従って、スクラブバー６６の移動可能範囲を、区間長が同一の指定区間に区分した場合には、スクラブつまみ６７を一定の速度で一定の距離だけ移動させたときに、螺旋映像表示部群５８に表示される画像が大きく変化する範囲と、変わらない範囲とが生じる。  そして、動きなし区間のフレームが割り当てられている指定区間の範囲においては、スクラブつまみ６７をある程度移動させても、螺旋映像表示部群５８に表示される画像が変わらないので、スクラブつまみ６７を操作しているオペレータに煩わしさを感じさせることがある。  一方、動きあり区間のフレームが割り当てられている指定区間の範囲においては、スクラブつまみ６７をある程度移動させると、螺旋映像表示部群５８に表示される画像が大きく変化するので、スクラブつまみ６７を操作しているオペレータには、所望の画像のフレームを探し出すために、精細な（細かな）スクラブつまみ６７の操作が要求されることがある。  そこで、フレームを割り当てる指定区間の区間長は、一定ではなく、その指定区間に割り当てるフレームの変化量としての、例えば、動き情報に応じた重み付けをした区間長とし、これにより、スクラブバー６６の移動可能範囲を、変化量である動き情報が大のフレームが割り当てられる指定区間ほど、区間長が大の指定区間に区分することができる。以下にこの具体例を挙げる。  図７７は、以上のように、指定区間の区間長に重み付けをする場合の重みの例を示している。  図７７において、横軸はフレーム（先頭から何番目のフレームであるか）を表し、縦軸は変化量である動き情報を表す。  図７７では、式Ｌ１＞Ｌ２＞Ｌ３＞Ｌ４を満たす閾値Ｌ１，Ｌ２，Ｌ３，Ｌ４を用いて、動き情報が閾値Ｌ１以上のフレームが割り当てられる指定区間の区間長の重みｗが、例えば、１とされ、動き情報が閾値Ｌ２以上閾値Ｌ１未満のフレームが割り当てられる指定区間の区間長の重みｗが、例えば、０．７とされる。また、動き情報が閾値Ｌ３以上閾値Ｌ２未満のフレームが割り当てられる指定区間の区間長の重みｗが、例えば、０．５とされ、動き情報が閾値Ｌ４以上閾値Ｌ３未満のフレームが割り当てられる指定区間の区間長の重みｗが、例えば、０．３とされる。さらに、動き情報が閾値Ｌ４未満のフレームが割り当てられる指定区間の区間長の重みｗが、例えば、０．１とされる。  以上のような重みｗを用いた重み付けをした区間長は、例えば、次のようにして求めることができる。  即ち、区間長に同一の重みｗによる重み付けがされる指定区間が連続する区間を、同一重み区間ということとし、螺旋映像表示部群５８に表示された編集対象（つまりスクラブの対象）の再生映像を構成するフレームに割り当てられる指定区間のシーケンスが、Ｑ個の同一重み区間に分けられるとする。  また、Ｑ個の同一重み区間のうちの、先頭からｑ番目の同一重み区間を構成する指定区間の数、ひいては、ｑ番目の同一重み区間を構成する指定区間に割り当てられているフレームの数をＦｑと表すとともに、ｑ番目の同一重み区間を構成する各指定区間の区間長に付される重みをｗｑと表すこととする。  なお、螺旋映像表示部群５８に表示された編集対象（つまりスクラブの対象）の再生映像のフレームの総数Ｆは、式Ｆ＝Ｆ１＋Ｆ２＋・・・ＦＱで表される。  いま、移動可能範囲の長さを１とすると、重み付けをしない場合、指定区間の区間長は、１／Ｆで表される。  一方、重み付けをする場合、先頭からｑ番目の同一重み区間を構成する指定区間の区間長は、ｗｑ／（ΣｗｉＦｉ）で表される。即ち、先頭からｑ番目の同一重み区間の長さは、ｗｑＦｑ／（ΣｗｉＦｉ）で表されるので、ｗｑＦｑ／（ΣｗｉＦｉ）を、ｑ番目の同一重み区間を構成する指定区間（に割り当てられているフレーム）の数Ｆｑで除算することにより、重み付けをする場合の、先頭からｑ番目の同一重み区間を構成する指定区間の区間長を求めることができる。但し、ΣｗｉＦｉは、サフィックスｉを、１からＱに変えてのｗｉＦｉの総和を表す。  なお、重み付けをしない場合の、指定区間の区間長は、重み付けをする場合の重みｗ１，ｗ２，・・・，ｗＱがすべて同一の重みｗであるとすることにより求めることができる。即ち、重み付けをする場合、先頭からｑ番目の同一重み区間を構成する指定区間の区間長は、上述したように、ｗｑ／（ΣｗｉＦｉ）であるが、ｗ１，Ｗ２，・・・，ｗＱを、同一の重みｗとすると、ｗｑ／（ΣｗｉＦｉ）＝ｗ／（ｗΣＦｉ）＝１／ΣＦｉ＝１／Ｆとなる。  次に、図７７では、表示タイプを決定するのに用いられる閾値とは関係がない４つの閾値Ｌ１，Ｌ２，Ｌ３，Ｌ４を用いて、フレームに割り当てられる指定区間の区間長の重みｗを求めるようにしたが、区間長の重みｗは、その他、例えば、表示タイプを決定するのに用いられる閾値を用いて行うことが可能である。  即ち、図７８は、動き情報に基づく表示タイプを決定するのみ用いられる閾値ＨおよびＬを用いて求められる重みの例を示している。  図７８において、横軸はフレーム（先頭から何番目のフレームであるか）を表し、縦軸は変化量である動き情報を表す。  図７８では、動き情報が閾値Ｈ以上のフレームが割り当てられる指定区間の区間長の重みｗが、例えば、０．５とされ、動き情報が閾値Ｌ以上閾値Ｈ未満のフレームが割り当てられる指定区間の区間長の重みｗが、例えば、０．３とされる。また、動き情報が閾値Ｌ未満のフレームが割り当てられる指定区間の区間長の重みｗが、例えば、０．１とされる。  なお、フレームに割り当てられる指定区間の区間長の重みｗは、その他、例えば、フレームの表示タイプが、そのフレームの動き情報に基づいて決定される場合に、その表示タイプに応じて決定することができる。  即ち、表示タイプが、動き情報に基づいて決定される場合には、その表示タイプがフレームの動きの程度を表す。具体的には、例えば、図４９に示したように、表示タイプが、動き情報に基づいて、静止画タイプＶ１、通常タイプＶ２、または高表示レート低解像度タイプＶ３のうちのいずれかに決定される場合には、原則として、静止画タイプＶ１のフレームは、動き情報が閾値Ｌ未満のフレームであり、通常タイプＶ２のフレームは、動き情報が閾値Ｌ以上閾値Ｈ未満のフレームである。また、高表示レート低解像度タイプＶ３のフレームは、動き情報が閾値Ｈ以上のフレームである。  従って、図７８で説明した閾値ＨおよびＬを用いる場合と同様に、表示タイプを用いて、静止画タイプＶ１のフレームが割り当てられる指定区間の区間長の重みｗを０．１に、通常タイプＶ２のフレームが割り当てられる指定区間の区間長の重みｗを０．３に、高表示レート低解像度タイプＶ３のフレームが割り当てられる指定区間の区間長の重みｗを０．５に、それぞれすることができる。  なお、フレームに割り当てられる指定区間の区間長の重みｗを、そのフレームの表示タイプに応じて決定する場合には、静止画タイプＶ１のフレームが連続する静止画区間、通常タイプＶ２のフレームが連続する通常区間、高表示レート低解像度タイプＶ３のフレームが連続する高表示レート低解像度区間は、いずれも、同一重み区間ともなる。  次に、図７９は、区間長に重み付けをしない場合と、重み付けをする場合それぞれの指定区間を示している。  区間長に重み付けをしない場合には、図７９の上半分側に示すように、スクラブバー６６の移動可能範囲が、螺旋映像表示部群５８に表示された編集対象（つまりスクラブの対象）の再生映像を構成するフレームの数の、同一の区間長の指定区間に区分され、図７３で説明したように、左の指定区間から、螺旋映像表示部群５８に表示される再生映像を構成するフレームが時系列に割り当てられる。  区間長に重み付けをしない場合、静止画タイプＶ１のフレームが連続する静止画区間、通常タイプＶ２のフレームが連続する通常区間、高表示レート低解像度タイプＶ３のフレームが連続する高表示レート低解像度区間のいずれのフレームに割り当てられる指定区間の区間長もｄになっている。  一方、区間長に重み付けをする場合には、図７９の下半分側に示すように、スクラブバー６６の移動可能範囲が、指定区間に区分され、図７３で説明したように、左の指定区間から、螺旋映像表示部群５８に表示された編集対象（つまりスクラブの対象）の再生映像を構成するフレームが時系列に割り当てられるが、変化量である動き情報が大のフレームが割り当てられる指定区間ほど、区間長が大になっている。  即ち、図７９では、静止画タイプＶ１のフレームが連続する静止画区間のフレーム、つまり、動きがないフレームに割り当てられる指定区間の区間長は、重み付けをしない場合の区間長ｄの１／２倍のｄ／２になっている。また、通常タイプＶ２のフレームが連続する通常区間のフレーム、つまり、激しいとまでは言えない動きがあるフレームに割り当てられる指定区間の区間長は、重み付けをしない場合の区間長ｄと同一のｄになっている。さらに、高表示レート低解像度タイプＶ３のフレームが連続する高表示レート低解像度区間のフレーム、つまり、動きが激しいフレームに割り当てられる指定区間の区間長は、重み付けをしない場合の区間長ｄの３倍の３ｄになっている。  従って、区間長に重み付けをする場合には、スクラブつまみ６７が、区間長に重み付けをしない場合の１／２の移動量だけ移動されると、静止画区間のフレームの表示が終了する。その結果、スクラブつまみ６７をある程度移動させても、螺旋映像表示部群５８に表示される画像が変わらずに、スクラブつまみ６７を操作しているオペレータに煩わしさを感じさせることを防止することができる。  さらに、区間長に重み付けをする場合には、スクラブつまみ６７が、区間長に重み付けをしない場合の３倍の移動量だけ移動されると、螺旋映像表示部群５８に表示される注目フレームが、高表示レート低解像度区間のあるフレームから次のフレームに変更される。その結果、オペレータは、スクラブつまみ６７を、それほど精細な（細かな）に操作しなくても、所望の画像のフレームを容易に探し出すことができる。  なお、図７９には、横方向のスケールを、スクラブバー６６の移動可能範囲のスケールと一致させたタイプ情報（表示タイプを時系列に表す帯状の領域のＧＵＩ）を図示してある。  横方向のスケールが、スクラブバー６６の移動可能範囲のスケールと一致するタイプ情報においては、スクラブつまみ６７の位置におけるタイプ情報（の模様）が、スクラブつまみ６７が位置する指定区間に割り当てられたフレームの表示タイプを表す。  図７９において、タイプ情報としての帯状の領域のうちの、斜線を付して示す領域Ｄ１は、静止画タイプＶ１のフレームが連続する静止画区間を表しており、模様を付さずに示す領域Ｄ２は、通常タイプＶ２のフレームが連続する通常区間を表す。また、横線を付して示す領域Ｄ３は、高表示レート低解像度タイプＶ３のフレームが連続する高表示レート低解像度区間を表す。  図７９では、上述したように、区間長に重み付けをした場合の、静止画タイプＶ１のフレームが連続する静止画区間のフレームに割り当てられる指定区間の区間長は、重み付けをしない場合の区間長ｄの１／２倍のｄ／２になっているので、区間長に重み付けをした場合の静止画区間を表す領域Ｄ１の横方向の長さも、区間長に重み付けをしない場合の１／２倍になる。  また、図７９では、区間長に重み付けをした場合の、通常タイプＶ２のフレームが連続する通常区間のフレームに割り当てられる指定区間の区間長は、重み付けをしない場合の区間長ｄと同一の��になっているので、区間長に重み付けをした場合の通常区間を表す領域Ｄ２の横方向の長さも、区間長に重み付けをしない場合と同一になる。  さらに、図７９では、区間長に重み付けをした場合の、高表示レート低解像度タイプＶ３のフレームが連続する高表示レート低解像度区間のフレームに割り当てられる指定区間の区間長は、重み付けをしない場合の区間長ｄの３倍の３ｄになっているので、区間長に重み付けをした場合の高表示レート低解像度区間を表す領域Ｄ３の横方向の長さも、区間長に重み付けをしない場合の３倍になる。  以上のように、区間長に重み付けをした場合には、タイプ情報は、重み付け後の区間長に応じ、区間長に重み付けをしない場合と異なるものになる（逆に言えば、区間長に重み付けをしない場合には、タイプ情報は、区間長に重み付けをした場合と異なるものになる）。  この編集装置２では、動作モードとして、上述したような、指定区間の区間長に重み付けをする重み付けオンモードと、重み付けをしない重み付けオフモードとを設け、オペレータの操作に応じて、動作モードを、重み付けオンモードまたは重み付けオフモードに切り替えることができる。  そこで、図８０のフローチャートを参照して、この編集装置２のマイクロプロセッサ３が、指定区間の区間長に関して行う処理（区間長に関する処理）について説明する。  なお、編集画面５０（図２）の所定位置には、動作モードを、重み付けオンモードまたは重み付けオフモードに切り替えるときに操作される、図示せぬ重みボタンが設けられているとし、オペレータが、その重みボタンを操作することで、動作モードが、重み付けオンモードまたは重み付けオフモードに切り替えられることとする。  また、スクラブバー６６の移動可能範囲の長さは１であるとする。  区間長に関する処理では、ステップＳ１１３１において、ＧＵＩ制御部１１１１が、動作モードが切り替えられたかどうかを判定する。ステップＳ１１３１において、動作モードが重み付けオンモードに切り替えられたと判定された場合、ステップＳ１１３２に進み、ＧＵＩ制御部１１１１は、Ｆｙファイル管理部１１１４（図７２）のファイル記憶部１１２１に記憶されたＦｙファイルにおける変化量または表示タイプに基づき、上述したように、フレームに割り当てられる各指定区間の区間長に付す重みを求めて、ステップＳ１１３３に進む。  ステップＳ１１３３では、ＧＵＩ制御部１１１１が、フレームに割り当てられる各指定区間の区間長に付す重みに基づき、各指定区間について、重み付けをした区間長を求める。  即ち、ステップＳ１１３２において、変化量または表示タイプに基づき、上述したように、フレームに割り当てられる各指定区間の区間長に付す重みが求められた場合には、ＧＵＩ制御部１１１１は、区間長に同一の重みｗによる重み付けがされる指定区間が連続する区間を、同一重み区間として認識する。  そして、上述したように、スクラブの対象の動画を構成するフレームに割り当てられる指定区間のシーケンスが、Ｑ個の同一重み区間に分けられるとすると、ＧＵＩ制御部１１１１は、Ｑ個の同一重み区間のうちの、先頭からｑ番目の同一重み区間を構成する指定区間の数Ｆｑと、ステップＳ１１３３で求められた、ｑ番目の同一重み区間を構成する指定区間の区間長に付される重みｗｑとを用い、先頭からｑ番目の同一重み区間を構成する指定区間の区間長ｗｑ／（ΣｗｉＦｉ）を求める。  ＧＵＩ制御部１１１１は、ステップＳ１１３３でＱ個の同一重み区間それぞれを構成する指定区間の区間長ｗｑ／（ΣｗｉＦｉ）を求めると、その指定区間の区間長ｗｑ／（ΣｗｉＦｉ）を、表示制御部１１１７（図７２）に供給して、ステップＳ１１３４に進み、編集画面４０の表示部５５に表示されているスクラブバー６６の移動可能範囲を区分する指定区間の区間長を、ステップＳ１１３３で求めた区間長に設定（変更）し、ステップＳ１１３１に戻る。  一方、ステップＳ１１３１において、動作モードが重み付けオフモードに切り替えられたと判定された場合、ステップＳ１１３５に進み、ＧＵＩ制御部１１１１は、フレームに割り当てられる各指定区間の区間長を同一の１／Ｆに設定（変更）するとともに、その区間長１／Ｆを表示制御部１１１７に供給し、ステップＳ１１３１に戻る。なお、上述したように、Ｆは、螺旋映像表示部群５８に表示された編集対象（つまりスクラブの対象）の再生映像を構成するフレームの総数を表す。  ところで、上述のスクラブバー６６の先頭Ｂｓｔから後尾Ｂｅｄまでの移動可能範囲に対して、螺旋映像表示部群５８に表示された編集対象（つまりスクラブの対象）の再生映像の最初から最後までに対応するフレームを割り当てたが、例えば図８１に示すように、当該再生映像の一部の範囲として、開始位置を指定するための始点インジゲータＩＧｓｔから、終了位置を指定するための終点インジゲータＩＧｅｄまでの範囲（割り当て範囲）に対応するフレームを割り当てることもできる。  この場合、螺旋映像表示部群５８に表示された編集対象（つまりスクラブの対象）の再生映像の先頭のフレームから終わりのフレームまでの範囲のすべてではなく、一部の範囲を、割り当て範囲（スクラブバー６６の移動可能範囲の先頭の指定区間から終わりの指定区間までに割り当てられるフレームの範囲）とすることができる。  このように、スクラブバー６６の移動可能範囲に対して、再生映像の一部の範囲を割り当て範囲とすることにより、すべての範囲を割り当て範囲とする場合に比較して、スクラブバー６６の移動可能範囲の先頭の指定区間から終わりの指定区間までに割り当てられるフレームの数が少なくなり、その結果、指定区間の区間長が長くなる。  従って、指定区間の区間長が短いことに起因して、螺旋映像表示部群５８に表示する注目フレームとするフレームが、スクラブつまみ６７の移動前と移動後とで大きく変化することを防止することができ、その結果、所望の画像のフレームを、容易に探し出すことが可能となる。  なお、始点インジゲータＩＧｓｔおよび終点インジゲータＩＧｅｄは、スクラブバー６６の移動可能範囲の先頭の指定区間から終わりの指定区間までに割り当てるフレームの範囲である割り当て範囲を表すから、割り当て範囲情報ということができるとともに、割り当て範囲を指定するときに操作されるから、範囲指定操作手段ということもできる。  次に、図８２のフローチャートを参照して、図８１で説明したように、スクラブバー６６の移動可能範囲（の指定区間）に��り当てるフレームの範囲（割り当て範囲）を、始点インジゲータＩＧｓｔおよび終点インジゲータＩＧｅｄに応じて設定する割り当て範囲設定処理について説明する。  操作コントローラ３７、マウス３８又はキーボード３９から所定のスクラブ範囲設定開始操作がされると、ステップＳ１１４１において、ＧＵＩ制御部１１１１（図４５）が、表示制御部１１１７を制御することにより、スクラブバー６６の所定位置に始点インジゲータＩＧｓｔおよび終点インジゲータＩＧｅｄを表示させ、ステップＳ１１４２に進む。  ステップＳ１１４２では、ＧＵＩ制御部１１１１（図４５）が、螺旋映像表示部群５８に表示された編集対象（つまりスクラブの対象）の再生映像を構成するフレームのうちの、始点インジゲータＩＧｓｔの位置に対応するフレームから、終点インジゲータＩＧｅｄの位置に対応するフレームまでの範囲を、割り当て範囲として、その割り当て範囲のフレームを、スクラブバー６６の移動可能範囲に割り当てる。  即ち、いま、説明を簡単にするために、上述した指定区間の区間長に対する重み付けを考慮しないとすれば、ＧＵＩ制御部１１１１は、スクラブバー６６の移動可能範囲を、その長さを割り当て範囲のフレームの数で除算した除算値を区間長とする指定区間に区分し、割り当て範囲のフレームを、移動可能範囲の先頭の指定区間から終わりの指定区間までに割り当てる。  そして、ステップＳ１１４２からステップＳ１１４３に進み、ＧＵＩ制御部１１１１が、始点インジゲータＩＧｓｔまたは終点インジゲータＩＧｅｄ（図８１）の移動が開始されたかどうか、即ち、オペレータが、始点インジゲータＩＧｓｔまたは終点インジゲータＩＧｅｄを移動するように、操作コントローラ３７、マウス３８またはキーボード３９を操作したかどうかを判定する。  ステップＳ１１４３において、始点インジゲータＩＧｓｔおよび終点インジゲータＩＧｅｄの移動のいずれも開始されていないと判定された場合、ステップＳ１１４３に戻る。  また、ステップＳ１１４３において、始点インジゲータＩＧｓｔまたは終点インジゲータＩＧｅｄの移動が開始されたと判定された場合、即ち、オペレータが、始点インジゲータＩＧｓｔまたは終点インジゲータＩＧｅｄを移動するように、操作コントローラ３７、マウス３８またはキーボード３９を操作し、その操作に対応する操作信号が、操作コントローラ３７、マウス３８またはキーボード３９からＧＵＩ制御部１１１１に供給されている場合、ＧＵＩ制御部１１１１は、キーボード３９またはマウス３８からの操作信号に応じて、始点インジゲータＩＧｓｔまたは終点インジゲータＩＧｅｄを移動する位置を求め、その位置を表す情報を、表示制御部１１１７に供給して、ステップＳ１１４４に進む。  ステップＳ１１４４では、表示制御部１１１７が、始点インジゲータＩＧｓｔまたは終点インジゲータＩＧｅｄを、直前に表示されていた位置に代えて、ＧＵＩ制御部１１１１からの情報に応じた位置に表示させ、ステップＳ１１４５に進む。  ステップＳ１１４５では、ＧＵＩ制御部１１１１が、始点インジゲータＩＧｓｔまたは終点インジゲータＩＧｅｄの移動が終了されたかどうか、即ち、オペレータが、始点インジゲータＩＧｓｔまたは終点イン���ゲータＩＧｅｄを移動させる操作コントローラ３７、マウス３８またはキーボード３９の操作を終了したかどうかを判定する。  ステップＳ１１４５において、始点インジゲータＩＧｓｔまたは終点インジゲータＩＧｅｄを移動させる操作が終了されていないと判定された場合、即ち、オペレータが、始点インジゲータＩＧｓｔまたは終点インジゲータＩＧｅｄを移動するように、操作コントローラ３７、マウス３８またはキーボード３９を操作し続けており、その操作に対応する操作信号が、操作コントローラ３７、マウス３８またはキーボード３９からＧＵＩ制御部１１１１に供給されている場合、ＧＵＩ制御部１１１１は、操作コントローラ３７、マウス３８またはキーボード３９からの操作信号に応じて、始点インジゲータＩＧｓｔまたは終点インジゲータＩＧｅｄを移動する位置を求め、その位置を表す情報を、表示制御部１１１７に供給して、ステップＳ１１４４に戻り、以下、同様の処理が繰り返される。  ここで、ステップＳ１１４３〜Ｓ１１４５の処理によって、始点インジゲータＩＧｓｔまたは終点インジゲータＩＧｅｄを移動される操作にしたがって、始点インジゲータＩＧｓｔまたは終点インジゲータＩＧｅｄが、横方向に移動される。  一方、ステップＳ１１４５において、始点インジゲータＩＧｓｔまたは終点インジゲータＩＧｅｄを移動させる操作が終了されたと判定された場合、即ち、オペレータが、始点インジゲータＩＧｓｔまたは終点インジゲータＩＧｅｄを移動させる操作コントローラ３７、マウス３８またはキーボード３９の操作を終了し、始点インジゲータＩＧｓｔまたは終点インジゲータＩＧｅｄを移動させる操作に対応する操作信号が、操作コントローラ３７、マウス３８またはキーボード３９からＧＵＩ制御部１１１１に供給されなくなった場合、ＧＵＩ制御部１１１１は、移動が終了された始点インジゲータＩＧｓｔまたは終点インジゲータＩＧｅｄの（横方向の）位置を認識して、ステップＳ１１４２に戻り、螺旋映像表示部群５８に表示された編集対象（つまりスクラブの対象）の再生映像を構成するフレームのうちの、始点インジゲータＩＧｓｔの位置に対応するフレームから、終点インジゲータＩＧｅｄの位置に対応するフレームまでの範囲を、割り当て範囲として、その割り当て範囲のフレームを、スクラブバー６６の移動可能範囲に割り当て、以下、同様の処理が繰り返される。  以上のように、オペレータは、ＧＵＩとしての始点インジゲータＩＧｓｔまたは終点インジゲータＩＧｅｄを操作して、螺旋映像表示部群５８に表示された編集対象の再生映像を構成するフレームのうちの、スクラブの対象となるフレームの範囲（スクラブバー６６の移動可能範囲に割り当てられるフレームの範囲（割り当て範囲）を、容易に変更することができる。  なお、図６４の割り当て範囲設定処理は、例えば、所定のスクラブ範囲設定終了操作がされたときに終了する。  このように、フレームを割り当てる指定区間の区間長を、動き情報等に応じた重み付けをした区間長とすることによって、スクラブバー６６の移動可能範囲を、変化量である動き情報が大のフレームが割り当てられる指定区間ほど、区間長が大の指定区間に区分することができる。  さらに上述のスクラブ��処理では、螺旋映像表示部群５８で表示するフレームの画像のサイズを一定としたが、例えば、そのフレームの表示タイプに応じて変更することができる。つまり、上述の、画像の変化量に応じて変更する表示パラメータとして、画像サイズ（表示サイズ）をさらに加えることが可能である。以下にその具体例を説明する。  なお、この例では、フレームの表示タイプは、例えば、動き情報に基づいて、図４９で説明した静止画タイプＶ１、通常タイプＶ２、または高表示レート低解像度タイプＶ３のうちのいずれかに決定されていることとする。  また、静止画タイプＶ１のフレームの画像については、例えば、対角線の長さ、または横と縦の長さをあるデフォルトのサイズが設定されており、そのデフォルトのサイズで表示される。  通常タイプＶ２のフレームの画像については、例えば、デフォルトのサイズの１．５倍のサイズが設定されており、当該対角線の長さ、または横と縦の長さをデフォルトのサイズの１．５倍のサイズで表示される。  高表示レート低解像度タイプＶ３のフレームの画像については、例えば、デフォルトのサイズの２倍のサイズが設定されており、当該対角線の長さ、または横と縦の長さをデフォルトのサイズの２倍のサイズで表示される。  以上のように、表示タイプに応じたサイズで画像を表示するには、図７６で説明したスクラブの処理のステップＳ１１２２において行えばよい。  ここで、図８３のフローチャートを参照して、表示タイプに応じたサイズで、画像を表示する場合の、図７６のステップＳ１１２２の処理（表示処理）について説明する。  なお、ここでは、上述したように、表示タイプが、例えば、図４９で説明した静止画タイプＶ１、通常タイプＶ２、または高表示レート低解像度タイプＶ３のうちのいずれかに決定されていることとする。また、静止画タイプＶ１のフレームの画像については、あるデフォルトのサイズが設定されており、通常タイプＶ２のフレームの画像については、例えば、デフォルトのサイズの１．５倍のサイズが設定されていることとする。さらに、高表示レート低解像度タイプＶ３のフレームの画像については、例えば、デフォルトのサイズの２倍のサイズが設定されていることとする。  表示制御部１１１７（図７１）は、ステップＳ１１５１において、表示タイプ取得部１１１５（図７１）から供給される、スクラブつまみ６７が位置している指定区間に割り当てられているフレーム（注目フレーム）の表示タイプが、静止画タイプＶ１、通常タイプＶ２、または高表示レート低解像度タイプＶ３のうちのいずれであるかを判定する。  ステップＳ１１５１において、注目フレームの表示タイプが、静止画タイプＶ１であると判定された場合、ステップＳ１１５２に進み、表示制御部１１１７は、螺旋映像表示部群５８のうち、対応する映像表示部Ｗ５７１〜Ｗ５７ｎに、デフォルトのサイズで、フレームバッファ１１１７Ａ（図７１）に記憶された画像データに基づく画像を表示させる。  また、ステップＳ１１５１において、注目フレームの表示タイプが、通常タイプＶ２であると判定された場合、ステップＳ１１５３に進み、表示制御部１１１７は、螺旋映像表示部群５８のうち、対応する映像表示部Ｗ５７１、５７２、……、又はＷ５７ｎを、デフォルトのサイズの１．５倍のサイズに拡大するとともに、当該拡大した映像表示部（以下、これを、適宜、拡大表示部と呼ぶ）に、フレームバッファ１１１７Ａに記憶された画像データに基づく画像を表示させる。  また、ステップＳ１１５１において、注目フレームの表示タイプが、高表示レート低解像度タイプＶ３であると判定された場合、ステップＳ１１５４に進み、表示制御部１１１７は、螺旋映像表示部群５８のうち、対応する映像表示部Ｗ５７１〜Ｗ５７ｎを、デフォルトのサイズの２倍に拡大するとともに、当該拡大映像表示部に、フレームバッファ１１１７Ａに記憶された画像データに基づく画像を表示させる。  また、螺旋映像表示部群５８（に表示される画像）のサイズは、スクラブつまみ６７が操作されている間（例えば、ドラッグされている間）だけ、上述のように表示タイプに応じて変更し、スクラブつまみ６７の操作が停止された場合には、デフォルトのサイズとすることができる。  このように、通常タイプＶ２のフレームの画像には、ある程度の動きがあるので、通常タイプＶ２のフレームの画像を、デフォルトのサイズよりも大きいサイズで表示することにより、オペレータは、画像の動きの詳細を確認することができる。  また、高表示レート低解像度タイプＶ３のフレームの画像には、激しい動きがあるので、高表示レート低解像度タイプＶ３のフレームの画像を、通常タイプＶ２のフレームの画像よりも大きなサイズで表示することにより、オペレータは、画像の動きをより詳細に確認することができる。  さらに、表示タイプごとに異なるサイズで画像を表示することにより、オペレータは、螺旋映像表示部群５８に表示されている映像全体（再生映像）の中でのその画像の動きの程度を直感的に把握することができる。  特に、螺旋映像表示部群５８（図３）の表示形態を、図６８で上述した表示形態に変更した状態において、以上のような画像のサイズの変更手法を採用した場合、図８４〜図９３に示すようになる。但し、これら図８４〜図９３では、便宜上、絵柄の激しい１枚の画像が孤立して現れている場合を示しており、また各映像表示部Ｗ５７１〜Ｗ５７ｎでの表示レートは同一である場合を仮定している。  これら図８４〜図９３からも分かるように、絵柄の変化が激しい画像の表示対象となる映像表示部Ｗ５７（これら図ではＷ５７ｃ〜Ｗ５７ｌ）は拡大映像表示部Ｗ５７Ｘとして順次変更され、当該拡大映像表示部Ｗ５７Ｘに対して、絵柄の変化が激しい画像が、他の画像よりもそのサイズが大きく表示されることで強調され、かつ、仮想時間軸ＴＰを奥側から手前側に、再生時間差ΔＴを隔てて流れるように推移していくことになる。  また、再生映像に対して、絵柄の変化が激しい画像が連続する区間として存在する場合、図９４に示すように、該区間における各画像を表示対象とする映像表示部Ｗ５７（この図ではＷ５７ｃ〜Ｗ５７ｇ）が、拡大映像表示部Ｗ５７Ｘ１〜Ｗ５７Ｘ５として、連なった状態で、再生時間差ΔＴを隔てて流れるように推移していくことになる。但し、この図９４では、図８４〜図９３と同様に、各映像表示部Ｗ５７１〜Ｗ５７ｎでの表示レートは同一である場合を仮定している。  さらに、再生映像に対して、絵柄の変化が激し��画像が連続する区間が複数存在する場合、図９５に示すように、該区間における各画像を表示対象とする映像表示部Ｗ５７（この図ではＷ５７ｃ１〜Ｗ５７ｇ１、Ｗ５７ｃ２〜Ｗ５７ｇ２、Ｗ５７ｃ３〜Ｗ５７ｇ３、Ｗ５７ｃ４〜Ｗ５７ｇ４）が、拡大映像表示部Ｗ５７Ｘ１１〜Ｗ５７Ｘ１５、Ｗ５７Ｘ２１〜Ｗ５７Ｘ２５、Ｗ５７Ｘ５１〜Ｗ５７Ｘ３５、Ｗ５７Ｘ４１〜Ｗ５７Ｘ４５として、区間ごとに連なった状態で、再生時間差ΔＴを隔てて流れるように推移していくことになる。但し、この図９５では、図８４〜図９３と同様に、各映像表示部Ｗ５７１〜Ｗ５７ｎでの表示レートは同一である場合を仮定している。  このように、オペレータは、絵柄の変化が激しい画像が拡大して流れるように提示されることによって、例えばシーンチェンジ等の絵柄の変化が激しい画像の内容を、螺旋映像表示部群５８全体を意識しつつ直感的に把握することができる。  なお、螺旋映像表示部群５８の映像表示部Ｗ５７１〜Ｗ５７ｎが動画として再生されている場合には、スクラブという操作を行わなくても、画像の変化量に応じて画像サイズを変更することができる。したがってスクラブという操作を行わない場合であっても、オペレータは、絵柄の変化が激しい画像の内容を、螺旋映像表示部群５８全体を意識しつつ直感的に把握することができる。  また、上述の具体例では、動き情報に基づいて決定された表示タイプごとに異なるサイズで画像を表示したが、これに代え、その他、例えば、細かさ情報に基づいて決定された表示タイプごとに異なるサイズで表示するようにしてもよく、あるいは、細かさ情報及び動き情報の双方に基づいて決定された表示タイプごとに異なるサイズで表示するようにしてもよい。なお、画像を、細かさ情報に基づいて決定された表示タイプごとに異なるサイズで表示する場合には、例えば、細かさの程度が大の細かさ情報に基づいて決定される表示タイプの画像ほど、大きなサイズで表示する等といったことが可能であり、これによりオペレータは、画像の詳細を、直感的に認識することができる。  また、細かさ情報及び動き情報の双方に基づいて決定された表示タイプごとに異なるサイズで表示する場合には、例えば、動きの程度が大の細かさ情報に基づいて決定される表示タイプの画像ほど、大きなサイズで表示するとともに、細かさの程度が大きいほど、色が濃くなるように対応する映像表示部Ｗ５７Ｘ１、Ｗ５７２、……、又はＷ５７ｎ枠を色表示する等といったことが可能であり、これによりオペレータは、画像の詳細を、一段と直感的に認識することができる。  以上のように注目フレームの表示タイプに応じて画像のサイズの変更を行う場合について述べたが、この他、例えば、オペレータによるスクラブつまみ６７の操作に応じて行うことも可能である。  即ち、オペレータは、一般に、所望の画像を探す場合において、螺旋映像表示部群５８に表示される画像に、それほど注目していないときには、スクラブつまみ６７を速く移動させるように操作し、逆に、注目しているときには、スクラブつまみ６７をゆっくり移動させるように操作する。  そこで、スクラブつまみ６７が速く移動されている場合には、画像を、デフォルトのサイズで表示し、スクラブつまみ６７がゆっく���移動されている場合には、画像を、デフォルトのサイズよりも大きいサイズで表示することができる。このようにすることで、オペレータは、所望の画像を探しやすくなる。  また、上述のスクラブの処理では、螺旋映像表示部群５８に表示するフレームを指定するときに操作される手段として、スクラブつまみ６７を有するスクラブバー６６を採用し、スクラブつまみ６７の位置によって、螺旋映像表示部群５８に表示するフレームを指定するようにしたが、螺旋映像表示部群５８に表示するフレームの指定は、その他、例えば、いわゆる（ＧＵＩではなくて実物の）ジョグダイヤルやシャトルリング等を操作することによって行うことが可能である。  なお、螺旋映像表示部群５８の映像表示部Ｗ５７１〜Ｗ５７ｎが動画として再生されている場合には、ジョグダイヤルやシャトルリング等によりスクラブという操作を行わなかったとしても、画像の変化量に応じて画像サイズを変更することができる。よってオペレータは、絵柄の変化が激しい画像の内容を、螺旋映像表示部群５８全体を意識しつつ直感的に把握することができる。  また、上述のスクラブの処理では、動画の画像データの変化の程度を表す変化量（動き情報、細かさ情報）をフレームごとに求め、その変化量に基づき、表示タイプをフレームごとに決定し、その表示タイプを用いて、スクラブに関する各種の処理を行うようにしたが、表示タイプは、その他、例えば、動画に音声データが付随する場合には、その音声データのレベル（パワー）そのものや、その変化の程度を表す値に基づいて決定することが可能である。即ち、例えば、音声データのレベルが、小から大に変化する（音声の盛り上がりがある）フレームでは、注目すべきシーンの画像が映っている可能性が高いので、音声データのレベルが小から大に変化するフレームの表示タイプとしては、例えば、動き情報がある程度大であれば、表示レートが高い表示タイプを決定し、また、例えば、細かさ情報がある程度大であれば、解像度が高い表示タイプを決定するようにすることができる。  また、上述のスクラブの処理では、記憶装置２２に記録された本線データとプロキシデータ、即ち、２種類の解像度の画像データを用いて、スクラブを行うようにしたが、スクラブは、その他、例えば、１種類の解像度、または３種類以上の解像度の画像データを用いて行うことが可能である。  また、上述のスクラブの処理では、図５１の表示タイプ決定部１０２３において（図７２の表示タイプ決定部１１２３でも同様）、シークの問題に対処するために、変化量がある閾値以上またはある閾値未満のフレームが最小限度フレーム数Ｎ以上連続するか否かの判定（連続性の判定）を行うようにしたが、シークの問題に対処する必要がなければ、連続性の判定を行わずに、変化量がある閾値以上またはある閾値未満であるかどうかによって、表示タイプを決定することができる。  また、上述のスクラブの処理では、フレームごとに変化量を求め、フレームごとの変化量に基づき、フレームごとに表示タイプを決定するようにしたが、変化量は、その他、複数フレームごとに求めることが可能である。同様に、表示タイプも、複数フレームごとに求めることが可能である。  即ち、図９６は、複数フレー��としての、例えば、１ＧＯＰを構成するフレームごと（単位）の変化量を示している。なお、図９６において、横軸はフレームを表し、縦軸は変化量を表す。  図９６では、太線が、１ＧＯＰを構成するフレームごとの変化量を示している。１ＧＯＰを構成するフレームごとの変化量としては、例えば、その１ＧＯＰを構成するすべてのフレームの変化量の平均値や、１ＧＯＰを構成するフレームのうちのＩピクチャの変化量などを採用することができる。  図９６に示したように、１ＧＯＰを構成するフレームごとの変化量を求める場合には、その変化量に基づき、フレームごとの変化量からフレームごとの表示タイプを決定した場合と同様にして、１ＧＯＰを構成するフレームごと（単位）の表示タイプを決定することができる。  また、複数フレームとしての、例えば、１ＧＯＰを構成するフレームごとの表示タイプは、１ＧＯＰを構成するフレームごとの変化量に基づいて決定する他、フレームごとの変化量に基づいて決定することが可能である。  即ち、図９７は、フレームごとの変化量と、フレームごとの表示タイプとの両方が格納されたＦｙファイルを示している。  例えば、いま、１ＧＯＰが１５フレームで構成されるとすると、１ＧＯＰを構成する１５フレームごとの表示タイプは、例えば、その１ＧＯＰを構成する１５フレームにおいて最も割合が多い表示タイプに決定することができる。  この場合、例えば、図９７のＦｙファイルに示した先頭から１番目のフレームから１５番目のフレームで構成される１ＧＯＰでは、フレームごとの表示タイプＶ１，Ｖ２，Ｖ３の中で、表示タイプＶ２の割合が最も多いので、その１ＧＯＰの表示タイプはＶ２に決定される。  例えば、図９７のＦｙファイルに示した先頭から９番目のフレームについては、フレームごとの表示タイプはＶ１となるが、１ＧＯＰごとの表示タイプはＶ２となる。  以上のように、変化量や表示タイプを、複数フレームとしての、例えば、１ＧＯＰを構成するフレームごと求めて（決定して）、Ｆｙファイルに格納する場合には、フレームごとの変化量や表示タイプをＦｙファイルに格納する場合に比較して、Ｆｙファイルの容量（ファイルサイズ）を小さくすることができ、また、Ｆｙファイルの解析（ファイルパース）に要する処理の負担を軽減することができる。  なお、Ｆｙファイルの作成時に、画像データをＭＰＥＧ方式で符号化する場合において、１ＧＯＰを構成するフレームごとの変化量や表示タイプを求めるときには、その変化量や表示タイプは、ＭＰＥＧ方式での符号化の結果得られるストリーム中のＧＯＰヘッダに含めるようにすることができる。  ここで、上述のスクラブ処理では、画像データをＭＰＥＧ方式で符号化して、記憶装置２２に記録するため、図７１のデコーダ１１１６では、画像データを、ＭＰＥＧ方式で復号する必要がある。ＭＰＥＧ方式では、例えば、１５フレームを１ＧＯＰとして、各フレームが、Ｉ（Ｉｎｔｒａ）ピクチャ、Ｐ（Ｐｒｅｄｉｃｔｉｖｅ）ピクチャ、またはＢ（Ｂｉｄｉ−ｒｅｃｔｉｏｎａｌｌｙ  Ｐｒｅｄｉｃｔｉｖｅ）ピクチャのうちのいずれかのピクチャタイプのピクチャとして符号化される。そして、Ｉ，Ｐ，Ｂピクチャのうちの、ＰピクチャとＢピクチャとは、それらより���に符号化されるＩまたはＰピクチャを参照画像（予測画像を生成するベースになる画像）として符号化されるため、その参照画像を復号した後でなければ復号することができない。  即ち、例えば、いま、１ＧＯＰが１５フレームで構成されることとし、その１５フレームの各フレームを、ピクチャタイプを示すＩ，Ｐ、またはＢと、表示順を示す数字とで表すこととすると、１ＧＯＰの１５フレームの並びは、例えば、Ｂ１、Ｂ２、Ｉ３、Ｂ４、Ｂ５、Ｐ６、Ｂ７、Ｂ８、Ｐ９、Ｂ１０，Ｂ１１、Ｐ１２、Ｂ１３、Ｂ１４、Ｐ１５と表すことができる。  いま、上述のような１５フレームＢ１〜Ｐ１５からなるＧＯＰのうちの、例えば、先頭から６番目のＰピクチャＰ６が、３番目のＩピクチャＩ３を参照画像として符号化され、９番目のＰピクチャＰ９が、６番目のＰピクチャＰ６を参照画像として符号化され、１２番目のＰピクチャＰ１２が、９番目のＰピクチャＰ９を参照画像として符号化され、１５番目のＰピクチャＰ１５が、１２番目のＰピクチャＰ１２を参照画像として符号化されたとする。さらに、１３番目のＢピクチャＢ１３が、１２番目のＰピクチャＰ１２と１５番目のＰピクチャＰ１５とを参照画像として符号化されたとする。  この場合、例えば、１３番目のＢピクチャＢ１３が、ビューワ１５に表示する注目フレームとなると、３番目のＩピクチャＩ３を復号し、６番目のＰピクチャＰ６を、３番目のＩピクチャＩ３を参照して復号し、９番目のＰピクチャＰ９を、６番目のＰピクチャＰ６を参照して復号し、１２番目のＰピクチャＰ１２を、９番目のＰピクチャＰ９を参照して復号し、１５番目のＰピクチャＰ１５を、１２番目のＰピクチャＰ１２を参照して復号した後でなければ、１２番目のＰピクチャＰ１２と１５番目のＰピクチャＰ１５とを参照することができないので、１３番目のＢピクチャＢ１３を復号することができない。従って、ＢピクチャＢ１３の復号に時間を要することとなる。  そこで、他のピクチャの復号に参照されるＰピクチャＰ６，Ｐ９，Ｐ１２，Ｐ１５を、それぞれ、ＩピクチャＩ６，Ｉ９，Ｉ１２，Ｉ１５として、Ｐ−ｔｏ−Ｉファイルと呼ばれる別ファイルに格納しておき、デコーダ１１１６においては、そのＰ−ｔｏ−Ｉファイルに格納されたピクチャを必要に応じて参照して復号を行うことができる。この場合、例えば、ＢピクチャＢ１３は、Ｐ−ｔｏ−Ｉファイルに格納されたＩピクチャＩ１２とＩ１５とを参照し、短時間で復号することができる。  以上のように上述のスクラブの処理は、変化量に応じて変更するパラメータとして、表示に関するパラメータ（表示パラメータ）にあっては、解像度、画像サイズを適用し、再生に関するパラメータ（再生パラメータ）にあっては、表示レート（フレームレート）、再生速度ｖを適用するようにしたが、これら表示パラメータ、再生パラメータについて種々の組み合わせを適宜設定することができる。  また、上述のスクラブの処理は、再生パラメータにあっては、表示レート（フレームレート）、再生速度ｖの他に、再生時間差ΔＴを適用することもできる。この場合、例えば、画像の変化が大きいほど再生時間差ΔＴも大きくするとともに、当該再生時間差ΔＴに応じて映像表示部Ｗ５７間の距離を広げるよう���又は狭めるようにしてもよい。このようにすれば、画像の変化が激しい部分になったときに、その部分についての表示形態が変わるため、より一段と画探しを容易化させることが可能となる。  以上、スクラブを行う場合について説明したが、本発明は、スクラブ以外の変速再生（ｎ倍速再生）を行う場合にも適用可能である。  なお、上述してはいるが、螺旋映像表示部群５８の映像表示部Ｗ５７１〜Ｗ５７ｎが動画として再生されている場合には、スクラブという操作を行わなくても、当該螺旋映像表示部群５８では画像自体が流れていくように見えるので、同様の効果を得ることができる。（５）描画間隔自動変更機能  ところで、編集装置２は、映像表示部Ｗ５７１〜Ｗ５７ｎに対して再生映像を所定フレームごとに間引いて表示する場合、その再生映像のなかで、一定の変化量（閾値）を超えるフレームを現表示対象とする映像表示部Ｗ５７（Ｗ５７１、Ｗ５７２、……、又はＷ５７ｎ−１）と、当該フレームを再生時間差ΔＴ後に表示対象となる映像表示部Ｗ５７（Ｗ５７２、Ｗ５７２、……、又はＷ５７ｎ）との間に、当該間引いたフレーム数に対応する数の映像表示部（以下、これを、適宜、新規映像表示部と呼ぶ）を新たに作成し、その作成したそれぞれの新規映像表示部に、間引いたフレームを表示し得るようになっている。  ここで、マイクロプロセッサ３及びＧＰＵ４による処理を説明するが、便宜上、動画を構成するフレームが所定フレームごとに間引かれ、再生映像を構成するフレームとして残された複数のフレームのなかで、例えば１９番目のフレームだけが一定の変化量（閾値）を超えるフレームであると仮定し、このフレームを主に着目して説明する。  即ち、マイクロプロセッサ３及びＧＰＵ４は、編集画面５０を表示した状態において、動画を構成するフレームのうち、一定の変化量（閾値）未満となる１〜１８番目のフレームについては所定フレームごとに間引き、当該間引き対象とならなかったフレームをデコードした後に再生時間差ΔＴを隔てて、表示部５５の映像表示部Ｗ５７１〜Ｗ５７ｎに順次表示する。  ちなみに、この変化量は、上述のスクラブ処理の編集前処理により記憶装置２２に記憶されたＦｙファイルから取得することができる。  一方、マイクロプロセッサ３及びＧＰＵ４は、例えば図９８に示すように、一定の変化量（閾値）以上となる１９番目のフレームを認識した場合には間引き処理を停止し、上述のスクラブ処理のように表示レートを変更せずに、当該間引き対象となるはずであったｍ枚のフレーム（以下、これを間引フレームと呼ぶ）についても、順次デコードする。  そして、マイクロプロセッサ３及びＧＰＵ４は、１９番目の画像（フレーム）を映像表示部Ｗ５７１に表示するとともに、ｍ枚の間引フレームに対応する数の新規映像表示部Ｗ５７ＮＸ１〜Ｗ５７ＮＸｍを新たに作成し、その作成した各新規映像表示部Ｗ５７ＮＸ１〜Ｗ５７ＮＸｍに、対応する間引フレームを表示する。  この１９番目の画像（フレーム）は、再生時間差ΔＴを隔てて、映像表示部Ｗ５７２、Ｗ５７３、……に順次表示され、新規映像表示部Ｗ５７ＮＸ１〜Ｗ５７ＮＸｍは、１９番目の画像の画像と同様に再生時間差ΔＴを隔てて、現表示対象の映像表示部Ｗ５７と、その次��表示対象となる映像表示部Ｗ５７との間（Ｗ５７２とＷ５７３との間、Ｗ５７３とＷ５７４との間、……）に表示されることとなる。  この結果、例えば図９９及び図１００に示すように、絵柄の変化が激しい画像が表示されている現表示対象の映像表示部Ｗ５７ｃと、仮想時間軸ＴＰ（図１９）の進行方向に向かって次の映像表示部Ｗ５７ｄとの再生時間差ΔＴ間における描写推移が、新規映像表示部Ｗ５７ＮＸ１〜Ｗ５７ＮＸｍに対して細かく提示されることとなり、これによりオペレータは、絵柄が激しい画像の描写内容を直感的に把握することができる。ちなみに、この図９９及び図１００では、ｍ＝５である場合を示している。  なお、マイクロプロセッサ３及びＧＰＵ４は、ｍ枚の間引フレーム以降のフレームについては再び間引き処理を開始し、当該間引き対象とならなかったフレームをデコードした後に再生時間差ΔＴを隔てて、表示部５５の映像表示部Ｗ５７１〜Ｗ５７ｎに順次表示する。  このようにして編集装置２は、映像表示部Ｗ５７１〜Ｗ５７ｎに対して再生映像を所定フレームごとに間引いて表示する場合、その再生映像のなかで、一定の変化量（閾値）を超えるフレームについては間引かずに、該フレームについてを、現表示対象の映像表示部Ｗ５７と、その次に表示対象となる映像表示部Ｗ５７との間（Ｗ５７２とＷ５７３との間、Ｗ５７３とＷ５７４との間、……）に、新規映像表示部Ｗ５７ＮＸ１〜Ｗ５７ＮＸｍを作成して表示することができる。  上述の描画間隔における変更手法では、現表示対象の映像表示部Ｗ５７と、その次に表示対象となる映像表示部Ｗ５７との間に表示する対象は、間引対象のフレーム（間引フレーム）全てとしたが、必ずしも間引対象のフレーム全てとしなくてもよく、任意のフレーム数としてもよい。  また、現表示対象の映像表示部Ｗ５７と、その次に表示対象となる映像表示部Ｗ５７との間に表示する対象のフレーム数（間引フレーム数）は、例えば、第１の閾値以上第２の閾値未満であるときには、第１のフレーム数とし、第２の閾値以上第３の閾値未満であるときには、第１のフレーム数よりも多い第２のフレーム数とし、第３の閾値以上であるときには、第２のフレーム数よりも多い第３のフレーム数とする等いったように、変化量に応じて段階的に切り替えることもできる。  このようにすれば、編集装置２は、絵柄の変化の程度によって現表示対象の映像表示部Ｗ５７と、その次に表示対象となる映像表示部Ｗ５７との間に表示されるフレーム数を変えることができるため、オペレータに対して、その表示される画像自体のみならず、フレーム数によっても、再生映像における変化部分を把握させることができ、この結果、より一段と直感的に画探しさせることができる。  さらに、上述の描画間隔における変更手法は、変化量に応じた間引フレーム数で、現表示対象の映像表示部Ｗ５７と、その次に表示対象となる映像表示部Ｗ５７との間に間引フレームを表示するとともに、その間引フレームを、変化量に応ずるサイズで表示することもできる。  このようにすれば、編集装置２は、絵柄の変化の程度によって現表示対象の映像表示部Ｗ５７と、その次に表示対象となる映像表示部Ｗ５７との間に表示されるフレーム数及びそのサイズを変えることができるため、オペレータに対して、その表示される画像自体のみならず、フレーム数及びフレームサイズによっても、再生映像における変化部分を把握させることができ、この結果、より一段と直感的に画探しさせることができる。  さらに、上述の描画間隔における変更手法は、上述のスクラブ処理と組み合わせることもできる。即ち、変化量に応じた間引フレーム数で、現表示対象の映像表示部Ｗ５７と、その次に表示対象となる映像表示部Ｗ５７との間に間引フレームを表示するとともに、その変化量に対応する表示タイプに従って、画像（間引フレーム以外のフレーム）の解像度と表示レートを変えるようにすることもできる。  このようにすれば、編集装置２は、絵柄の変化の程度によって現表示対象の映像表示部Ｗ５７と、その次に表示対象となる映像表示部Ｗ５７との間に表示されるフレーム数、及び、当該映像表示部Ｗ５７に表示されるフレームの解像度及び表示レートを変えることができるため、オペレータタに対して、スクラブつまみ６７の移動の速さにかかわらず再生映像を滑らかに表示させるとともに、その表示される画像自体の詳細を把握させることができ、この結果、より一段と直感的に画探しさせることができる。  ただし、螺旋映像表示部群５８の映像表示部Ｗ５７１〜Ｗ５７ｎが動画として再生されてさえいれば、スクラブという操作を行わなくても、当該螺旋映像表示部群５８では画像自体が流れていくように見えるので、図９９及び図１００に示したように、３Ｄ空間上における動画像の認識において、同様の効果を得ることができる。（６）動作及び効果  以上の構成において、この編集システム１の編集装置２では、ディスプレイ４０に表示された編集画面５０のクリップ一覧表示部５１から所望のクリップを選択して表示部５５にドラッグアンドドロップし、この後必要に応じてそのクリップに対応付けられた螺旋映像表示部群５８を選択した後に再生ボタン５６がクリックされると、その螺旋映像表示部群５８の各映像表示部Ｗ５７１〜Ｗ５７ｎに一定の時間差をもってそのクリップの再生映像をそれぞれ表示する。  そしてこのような映像表示方法によれば、かかるクリップの再生映像の各シーンが、その螺旋映像表示部群５８を構成している複数の映像表示部Ｗ５７１〜Ｗ５７ｎを画面の奥側から手前側へ向けて、そのとき設定されている再生時間差ΔＴをもって各映像表示部Ｗ５７１〜Ｗ５７ｎに対する再生処理を開始することにより、３次元的な奥行き感を持たせることができる。  従って編集装置２では、オペレータがシーンチェンジ点などのフレームを画探しする場合であっても、各映像表示部Ｗ５７１〜Ｗ５７ｎに再生時間差ΔＴの時間間隔で同じ再生映像が順次表示することになるので、従来の編集画面２００１（図１０４）のようにモニタ部２００３に表示された２次元の再生映像を１コマずつオペレータが動かしながら目視して所望のフレームを画探しする場合に比べて、再生映像を１コマずつ動かすような煩雑なコマ送り操作をオペレータに強いることなく、簡単かつ直感的に画探し作業を実行させることができる。  特に編集装置２のマイクロプロセッサ３は、螺旋状に配置した各映像表示部Ｗ５７１〜Ｗ５７ｎによってスパイラル構造の螺旋映像表示部群５８を表示するようにしたことにより、表示部５５の一画面中に全ての映像表示部Ｗ５７１〜Ｗ５７ｎをどれ一つとして隠れてしまうことなく表示し得、オペレータに所望シーンの画探し作業や編集作業を容易に実行させることができる。  このことは、編集装置２が各映像表示部Ｗ５７１〜Ｗ５７ｎの再生映像を全て停止したときに重要な要素となり、螺旋映像表示部群５８を構成している各映像表示部Ｗ５７１〜Ｗ５７ｎに対して、それぞれ時間的にずれた周辺フレームの静止画像を順次表示することになるため、コマ送り操作によって画探し作業を行わせずに済むという格別な効果を有する。  また編集装置２では、螺旋映像表示部群５８の各映像表示部Ｗ５７１〜Ｗ５７ｎに対して表示順に再生時間差ΔＴを設けながら動画像の状態で互いに連携した再生映像を表示することにより、螺旋映像表示部群５８の奥側へ向かって再生映像が順次進行していき、例えば新しいシーンへの突入時にシーンチェンジの更新変化が各映像表示部Ｗ５７１〜Ｗ５７ｎの手前側から奥側へ再生映像の進行と共に順次移り変わっていくので、螺旋映像表示部群５８全体を通じて再生映像の進行方向へ時間が流れる様子（再生速度や再生方向）をオペレータに体感させながら画探し作業や編集作業を直感的に実行させることができる。  なお編集装置２は、各映像表示部Ｗ５７１〜Ｗ５７ｎに表示すべき再生映像をリバース再生した場合、螺旋映像表示部群５８全体が奥側へ下がっていくような感覚をオペレータに体感させながら画探し作業や編集作業を実行させることができる。  さらに編集装置２は、螺旋映像表示部群５８をＧＰＵ４の内部メモリ上の３Ｄ仮想空間に配置しているため、当該３Ｄ仮想空間と同じ座標系を有するサブ３Ｄ空間画像ＩＭ１及びキャラクタＣＡ１を介して螺旋の渦の奥側へ向かって視点を移動させることが可能であり、移動後の内部視点から見える表示形態に螺旋映像表示部群５８を変えて表示部５５に表示することができる。  従って編集装置２は、各映像表示部Ｗ５７１〜Ｗ５７ｎにおける再生映像を一時停止している状態であっても、視点を螺旋の渦の奥側へ向かって移動させると共に螺旋映像表示部群５８の表示形態を変えながら表示することにより、螺旋の渦の中心をくぐりながら未来へ向かって再生処理を進めているような印象をオペレータに与えることができ、エンターテインメント性の高いＧＵＩ（Ｇｒａｐｈｉｃａｌ  Ｕｓｅｒ  Ｉｎｔｅｒ−ｆａｃｅ）を提供することができる。  これに加えて編集装置２では、サブ３Ｄ空間画像ＩＭ１とキャラクタＣＡ１との相対的位置関係によって螺旋映像表示部群５８に対する視点及び視線方向を変更するようにしたことにより、螺旋映像表示部群５８を構成する複数の映像表示部Ｗ５７１〜Ｗ５７ｎが作る円の外側に視点を移動させた場合、螺旋映像表示部群５８の表示形態を帯状に変化させて表示（図２７〜図３２等）することができるので、螺旋映像表示部群５８全体の長さからクリップ全体の再生時間をオペレータにイメージさせたり、クリップ全体をオペレータにとって編集容易な位置又は角度に変更することができる。  さらに編集装置２では、個々のクリップの切り出し、複数クリップの編集処理及び編集映像の確認処理といった作業を１つの表示���５５内で行うことができるため、従来の編集装置のようにクリップの切り出しは編集画面２００１のモニタ部２００３を用いて行い、編集処理はストーリーボード部２００４及びタイムライン部２００５を用いて行い、編集映像の確認処理はモニタ部２００３を用いて行うといった煩雑な作業を必要とせず、かかる一連の編集作業を表示部５５内で一括して行うことができる。かくするにつき、いわゆる画探し作業のみならず、編集作業を全体として容易化させることができる。  さらに編集装置２では、螺旋映像表示部群５８の各映像表示部Ｗ５７１〜Ｗ５７ｎに再生映像をそれぞれ表示する際、音声出力モードとして「メイン音声出力モード」及び「全音声出力モード」を選択することができるため、そのとき対象としているクリップの再生音声の内容に応じて音声出力モードに切り換えることにより、出力音声による所望の映像音声部分の探索作業も可能となる。  またこの場合において、この編集装置２では、音声出力モードとして「全音声出力モード」を設定したときには、基準映像表示部Ｗ５７ｎから離れた映像表示部Ｗ５７１〜Ｗ５７ｍに表示された再生映像の音声ほど小さい音量となるように音量調整された状態で、そのとき操作している螺旋映像表示部群５８の各映像表示部Ｗ５７１〜Ｗ５７ｎにそれぞれ表示された再生映像に付随する全て再生音声がスピーカ４１から出力されるため、音声を３次元的に表現することができ、その分クリップの内容によって、かかる出力音声に基づく所望の映像音声部分の探索作業をより容易化させることができる。もちろん、編集の容易性だけでなく、螺旋型の帯状表示による再生を行うだけでも今までに無い奥行き感を感じさせる音声表現が可能となる。  また本発明の編集装置２は、編集画面５０における複数の映像表示部Ｗ５７１〜Ｗ５７ｎに対して表示させる複数の表示映像データを生成する。また編集装置２は、映像表示部Ｗ５７１〜Ｗ５７ｎに表示させる映像音声信号における各画像データの変化の程度を表す変化量に基づき、そのピクチャ（フレーム）を表示するときの表示方法を表す表示タイプを、ピクチャ単位で決定する（図３３〜図７０等）。  そして編集装置２は、ピクチャ単位の表示タイプを表すタイプ情報に応じて、各表示映像データに対応する画像の解像度や表示レートを変更し、当該変更された画像の解像度や表示レートで該各表示映像データを、表示順に時間差を設けながら動画像の状態で編集画面５０の所定位置に表示させる（図７１〜図９８等）。  したがって、この編集装置２は、編集画面５０に対して、動画像の各画像をそれぞれ時間差を隔てて表示順に表示することができるため、当該画像の内容（ストーリー）が流れるように描画させることができ、この結果、オペレータに対して、動画の内容を直感的に把握させながら画探しさせることができ、かくして編集点（イン点およびアウト点）を容易に探索させることができる。  さらに、動画像の各画像についてそれぞれ時間差を隔てて表示順に表示する表示方法として、この編集装置２は、全ての画像について同一の表示方法で表示するのではなく、当該画像の表示タイプに応じて、画像の解像度と表示レート等を変更し、さらには、注目フレームとなったフレームをすべて復号���るのではなく、表示タイプに応じて、必要なフレームだけを復号する。  したがって、この編集装置２は、たとえ再生速度ｖの可変等があったとしても、動画像の内容（ストーリー）を流れるように描画し、また、各画像の変化に応じて表示態様を可変することができ、この結果、オペレータに対して、動画の内容を直感的に把握させながら画探しさせることができ、かくして編集点（イン点およびアウト点）を容易に探索させることができる。  さらに、この編集装置２は、時間差を隔てて表示順に表示する動画像の各画像を、３次元螺旋状に配置する。したがって、この編集装置２は、単に縦又は横に並べる場合に比して、多くの画像をその時間的連続性を保って提示させることができることから、編集対象となるか否かをより長い時間精査させることができ、この結果、画探しの効率性を高めさせることができる。  以上の構成によれば、選択されたクリップの再生映像を表示順に再生時間差ΔＴを設けながら動画像の状態で３次元螺旋状に配置して表示するようにしたことにより、再生映像に時間的な奥行きや画探し容易な表示形態を持たせることができ、かくして、従来の編集画面２００１のように２次元１画面の再生映像を目視しながら所望する映像部分を探索する場合に比べて、所望の映像部分の探索をオペレータに簡単かつ直感的に実行させて編集作業を容易化させ得る編集システムを実現することができる。  また、以上の構成によれば、全ての各映像表示部Ｗ５７１〜Ｗ５７ｎに表示する再生映像の画像について全て同一の表示方法で表示するのではなく、当該画像の表示タイプに応じて、画像の解像度と表示レート等を変更し、さらには、注目フレームとなったフレームをすべて復号するのではなく、表示タイプに応じて、必要なフレームだけを復号するようにしたことにより、オペレータに対して、再生映像の内容を直感的に把握させながら画探しさせることができ、かくして編集点を容易に探索させることができる。  以上のように、従来では、選択されたクリップの再生映像を表示画面上で表示させて所望のシーンを探索する場合に、単純に表示枠上で可変再生（スクラブ再生）を複数回繰り返しながら行っていた。そこで、本発明の上述した構成では、選択されたクリップの再生映像の様子（変化）を、表示画面上における「時系列順の移動（流れるような移動）」として、再生映像を容易かつ直感的に確認できるように表示させる点に主眼がある。  さらに、本発明の上述した構成では、画探しする際に所望のシーン（絵柄）を探索しやすくるために、表示パラメータ・再生パラメータ・表示タイプを、実現するシステムの処理能力（ＣＰＵ／ＧＰＵの処理能力、クリップを記憶するストレージのデータ転送量・シーク時間等）に応じて、適応的に変更させながら、再生映像を容易かつ直感的に確認できるように表示させる点にも主眼がある。（７）第２の実施の形態（７−１）本実施の形態による編集システムの構成  図１において、９０は第２の実施の形態による編集システムを示し、編集画面５０の表示部５５に表示される螺旋映像表示部群５８（図２）の各映像表示部Ｗ５７１〜Ｗ５７ｎの大きさが、画面の奥側から手前側へ向かって次第に大きくなるだけではなく、その映像表示部Ｗ５７１〜Ｗ５７ｎに表示される再生映像に付随する再生音声の音声レベルに応じて変動する点を除いて第１の実施の形態による編集システム１（図１）と同様に構成されており、上述した第１の実施の形態における編集装置２と同様の各種処理を実行し得るようになされている。  すなわちこの編集システム９０の場合、編集装置２のマイクロプロセッサ３は、上述のように記憶装置２２からＰＣＩバス１５及びサウスブリッジ６を介して与えられるクリップの映像音声信号に基づいて、図２に示したように、螺旋映像表示部群５８の各映像表示部Ｗ５７１〜Ｗ５７ｎにそのクリップの再生映像をそれぞれ表示させる一方、これら再生映像に付随する各再生音声のフレームごとの音声レベル（音声信号の信号レベル）のピークレベルをＧＰＵ４へ順次通知するようになされている。  そしてＧＰＵ４は、かかるマイクロプロセッサ３からの通知に基づいて、これら各再生音声について、その再生音声のピークレベルが予め設定された閾値Ｔｈｄよりも大きいか否かをそれぞれ判断し、大きいと判断したときには、そのフレームの画像を表示する際に、対応する映像表示部Ｗ５７１〜Ｗ５７ｎを通常表示すべきサイズよりも大きく表示させるようになされている。  例えば、各映像表示部Ｗ５７１〜Ｗ５７ｎに表示された再生映像がそれぞれ図１０１（Ａ）であり、そのときこれら再生映像に付随する再生音声の音声レベル（音声信号の信号レベル）が図１０１（Ｂ）である場合には、画面の最も手前側に位置する基準の映像表示部Ｗ５７ｎから奥側に数えて２〜４番目の映像表示部Ｗ５７ｌ、Ｗ５７ｋ、Ｗ５７ｊに表示される再生映像に付随する各再生音声の音声レベルがそれぞれ閾値Ｔｈｄよりも大きいことから、この瞬間では図１０１（Ｃ）において十字の矢印で示すように、これらの映像表示部Ｗ５７ｌ、Ｗ５７ｋ、Ｗ５７ｊが他よりも一段と大きく表示されることとなる。  またこの場合においてマイクロプロセッサ３は、かかる大きく表示させる映像表示部Ｗ５７ｌ、Ｗ５７ｋ、Ｗ５７ｊについて、その映像表示部Ｗ５７ｌ、Ｗ５７ｋ、Ｗ５７ｊに表示される再生映像に付随した再生音声の音声レベルが大きければ大きいほど、当該映像表示部Ｗ５７ｌ、Ｗ５７ｋ、Ｗ５７ｊの拡大率を大きくして表示するようにＧＰＵ４を制御する。  従って、例えば図１０１（Ｂ）の例では、この瞬間では基準映像表示部Ｗ５７ｎから右側に２番目の映像表示部Ｗ５７ｌに表示される再生映像に付随した再生音声の音声レベルが最も高く、基準映像表示部Ｗ５７ｎから右側に数えて３番目及び４番目の映像表示部Ｗ５７ｋ、Ｗ５７ｊにそれぞれ表示される再生映像に付随した再生音声の音声レベルがこれよりも少し低いほぼ同じ大きさであるため、基準映像表示部Ｗ５７ｎから右側に２番目の映像表示部Ｗ５７ｌが最も大きい拡大率で拡大表示され、他の基準映像表示部Ｗ５７ｋ、Ｗ５７ｊがこれよりも少し小さい拡大率で拡大表示されることとなる。  このようにしてこの編集システム９０では、編集画面５０の表示部５５において、螺旋映像表示部群５８の各映像表示部Ｗ５７１〜Ｗ５７ｎにそれぞれ表示された再生映像に付随する再生音声の音声レベルをオペレータに対して視覚的に認識させ得るように表示し得、これによりオペレータが直感的にクリップの内容を認識して、画探しや編集作業を容易に実行し得るようになされている。（７−２）映像表示部拡大表示処理手順  ここで、実際上、編集システム９０における編集装置２のマイクロプロセッサ３は、上述のような映像表示部Ｗ５７１〜Ｗ５７ｎに表示された再生映像に付随する再生音声の音声レベルに応じて映像表示部Ｗ５７ｌ、Ｗ５７ｋ、Ｗ５７ｊを拡大表示させる処理を、ハードディスク装置７（図１）に格納された制御プログラムに基づき、図１０２に示す映像表示部拡大表示処理手順ＲＴ５に従って実行する。  すなわちマイクロプロセッサ３は、図１０に示す再生処理手順ＲＴ２に従ってクリップの再生映像を螺旋映像表示部群５８に表示させ終えると、図１０を用いた上述の表示変更処理手順ＲＴ２と並行してこの映像表示部拡大表示処理手順ＲＴ５をＧＰＵ４に開始させる。  ステップＳＰ５１において編集装置２のマイクロプロセッサ３は、表示部５５に表示する螺旋映像表示部群５８の１つの映像表示部Ｗ５７１〜Ｗ５７ｎについて、表示フレーム（例えば、１フレーム分）に付随する再生音声のピークレベルを取得し、次のステップＳＰ５２へ移る。  ステップＳＰ５２において編集装置２のマイクロプロセッサ３は、再生音声のピークレベルが予め設定された閾値Ｔｈｄよりも大きいか否かを判断し、否定結果を得るとステップＳＰ５１へ戻り、肯定結果を得ると次のステップＳＰ５３へ移る。  ステップＳＰ５３において編集装置２のマイクロプロセッサ３は、再生音声のピークレベルが予め設定された閾値Ｔｈｄよりも大きいことを判別した映像表示部Ｗ５７１〜Ｗ５７ｎについて、そのピークレベルに応じて拡大率を算出し、この後ステップＳＰ５４へ移ってこの算出結果に基づいて当該映像表示部Ｗ５７１〜Ｗ５７ｎの拡大率を制御する。  かくして、このとき編集画面５０の表示部５５に表示された螺旋映像表示部群５８の映像表示部Ｗ５７１〜Ｗ５７ｎが、通常時の大きさ（ピークレベルが閾値Ｔｈｄ以下の場合の大きさ）と比べてステップＳＰ５３で算出した拡大率に応じた大きさに拡大されて表示されることになる。  次いで編集装置２のマイクロプロセッサ３は、ステップＳＰ５１に戻って、この後対象とする映像表示部Ｗ５７１〜Ｗ５７ｎを順次循環的に切り換えながら、ステップＳＰ５１〜ステップＳＰ５４における処理を同様に実行するようになされている。  このようにして編集装置２のマイクロプロセッサ３は、螺旋映像表示部群５８の各映像表示部Ｗ５７１〜Ｗ５７ｎに表示された再生映像に付随する再生音声の音声レベルが大きいとき、その映像表示部Ｗ５７１〜Ｗ５７ｎをその音声レベルに応じた大きさに表示させ得るようになされている。（７−３）第２の実施の形態における動作及び効果  以上の構成において、この編集システム１の編集装置２では、螺旋映像表示部群５８内の各映像表示部Ｗ５７１〜Ｗ５７ｎにそれぞれ表示されている再生映像に付随した再生音声の音声レベルに応じて、当該音声レベルが大きいときには、これに応じて対応する映像表示部Ｗ５７１〜Ｗ５７ｎの表示サイズを大きく拡大して表示する。  そしてこのような映像表示方法によれば、螺旋映像表示部群５８の各映像表示部Ｗ５７１〜Ｗ５７ｎの大きさに基づいてそのと���各映像表示部Ｗ５７１〜Ｗ５７ｎにそれぞれ表示されている再生映像に付随した再生音声の音声レベルについても、各映像表示部Ｗ５７１〜Ｗ５７ｎの表示サイズによって視覚的に認識させることができるため、画探し作業を実行し易くすると共に、映像と音声とを連携させた編集処理をオペレータに対して容易に実行させることができる。  以上の構成によれば、螺旋映像表示部群５８内の各映像表示部Ｗ５７１〜Ｗ５７ｎにそれぞれ表示されている再生映像に付随した再生音声の音声レベルに応じて、当該音声レベルが大きいときには、これに応じて対応する映像表示部Ｗ５７１〜Ｗ５７ｎも大きく表示するようにしたことにより、３次元螺旋状の表示形態で各映像表示部Ｗ５７１〜Ｗ５７ｎを動画像として連携表示させることの視覚効果と、各映像表示部Ｗ５７１〜Ｗ５７ｎの再生映像と再生音声とが連携した表示効果とによってオペレータの画探し及び編集作業を一段と容易に実行させ得るようにすることができ、かくして第１の実施の形態による編集システム１に比べてより一層と編集作業を容易化させ得る編集システム９０を実現することができる。（８）他の実施の形態  なお上述の第１及び第２の実施の形態においては、本発明をノンリニア編集装置である編集装置２に適用するようにした場合について述べたが、本発明はこれに限らず、この他種々の形態の編集装置や、編集装置以外の種々の映像表示制御装置に広く適用することができる。  本発明を適用するアプリケーションについて述べる。例えば、再生映像がＴＶ映像（録画したＴＶ映像など）の場合、映像に含まれる特徴量以外にも、テロップが含まれるシーンを抽出して、テロップが含まれる前後所定時間のシーンを注目部分として特定し、特定した注目部分の表示パラメータ・パラメータ・再生パラメータ・パラメータを変更する（例えば：表示領域の間隔は広く・表示領域の大きさは大きく・高解像度画を再生する）アプリケーションも考えられる。同様にシーンチェンジ検出などによりＣＭ部分を特定し、特定したＣＭ部分の表示パラメータ・パラメータ・再生パラメータ・パラメータを変更する（例えば：表示領域の間隔は狭く・表示領域の大きさは小さく・低解像度画を再生する）アプリケーションも考えられる。  さらに、音楽ライブ映像・音楽プロモーション映像・スポーツ映像など場合は、音声レベルが大きな部分を重要なシーンであると特定して、特定した重要部分の表示パラメータ・パラメータ・再生パラメータ・パラメータを変更する（例えば：表示領域の間隔は広く・表示領域の大きさは大きく・高解像度画を再生する）アプリケーションも考えられる。  さらに上述の第２の実施の形態においては、再生音声の音声レベルのピークレベルが予め設定された閾値Ｔｈｄよりも大きいときにのみ、そのフレームの画像を表示する際に、対応する各映像表示部Ｗ５７１〜Ｗ５７ｎを通常表示すべきサイズよりも大きく表示させるようにした場合について述べたが、本発明はこれに限らず、かかる閾値Ｔｈｄを設定することなく、対応する再生音声の音声レベルに応じて各映像表示部Ｗ５７１〜Ｗ５７ｎを拡大又は縮小させるように表示するようにしても良い。  さらに上述の第１及び第２の実施の形態においては、表示部５５の画面���における各映像表示部Ｗ５７１〜Ｗ５７ｎを固定した状態で表示するようにした場合について述べたが、本発明はこれに限らず、各映像表示部Ｗ５７１〜Ｗ５７ｎの再生映像の再生速度ｖが極めて低速時でかつ再生時間差ΔＴが１フレーム以下の場合、各映像表示部Ｗ５７１〜Ｗ５７ｎに表示中の画像については更新することなく各映像表示部Ｗ５７１〜Ｗ５７ｎ全体を再生方向へ向かって動かしていくかのように各映像表示部Ｗ５７１〜Ｗ５７ｎの位置を順次ずらすことにより、低速再生時に一段と滑らかな動きの画像表示群を目視確認させるようにしても良い。  例えば編集装置２では、図１０３（Ａ）及び（Ｂ）に示すように、各映像表示部Ｗ５７１〜Ｗ５７ｎの再生映像についてはそれぞれ更新することなく停止させた状態で、各映像表示部Ｗ５７１〜Ｗ５７ｎ自体の画面上における位置を順次隣へずらすことにより一斉に１コマずつ画面の奥側から手前側へシフトしているかのような低速の動きを表現することができる。  さらに上述の第１及び第２の実施の形態においては、本発明を図１のように構成された編集装置２に適用するようにした場合について述べたが、本発明はこれに限らず、この他種々の構成の画像処理装置に広く適用することができる。なおこの画像処理装置には、例えばコンピュータ、ビデオカメラ、ディジタルカメラ、ゲーム機器、携帯情報端末（携帯型のコンピュータ、携帯電話機、携帯型ゲーム機器）、ストレージ機器（例えば光ディスク装置、ホームサーバ）、発明に係る機能を搭載した処理ボードや処理カードが含まれる。なお、いずれの画像処理装置の場合にも、筐体と、信号処理部と、外部インタフェースとを共通構成とし、商品形態に応じた周辺装置が組み合わされて構成される。例えば、ビデオカメラやディジタルカメラであれば、前述の構成に加え、カメラユニットや撮像された映像データを記憶媒体に保存するための書込み回路を有する。また例えば携帯電話機その他の通信機能を有する電子機器であれば、前述の構成に加え、送受信回路やアンテナを有する。  さらに上述の第１及び第２の実施の形態においては、マイクロプロセッサ３がハードディスク装置７に格納された画像処理プログラムとしての制御プログラムを起動して、螺旋映像表示部群５８に対する視点に応じた表示変更処理等を実行するようにした場合について述べたが、本発明はこれに限らず、制御プログラムが格納されたプログラム格納媒体をマイクロプロセッサ３にインストールすることにより上述の表示変更処理等を実行するようにしても良い。  このように上述した表示変更処理等を実行するための制御プログラムをハードディスク装置７にインストールして実行可能な状態にするためのプログラム格納媒体としては、例えばフロッピー（登録商標）ディスク、ＣＤ−ＲＯＭ（Ｃｏｍｐａｃｔ  Ｄｉｓｃ−Ｒｅａｄ  Ｏｎｌｙ  Ｍｅｍ−ｏｒｙ）、ＤＶＤ（Ｄｉｇｉｔａｌ  Ｖｅｒｓａｔｉｌｅ  Ｄｉｓｃ）等のパッケージメディアのみならず、制御プログラムが一時的もしくは永続的に格納される半導体メモリや磁気ディスク等で実現しても良い。またこれらプログラム格納媒体に制御プログラムを格納する手段として、ローカルエリアネットワークやインターネット、ディジタル衛星放送等の有線��び無線通信媒体を利用してもよく、ルータやモデム等の各種通信インタフェースを介して格納するようにしても良い。
【産業上の利用可能性】
【０００８】  本発明は、ノンリニア編集装置のほか、これ以外の編集装置や、編集装置以外の映像を表示する種々の映像表示制御装置に広く適用することができる。
【図１】
2007111206.tif 000003
【図２】
2007111206.tif 000004
【図３】
2007111206.tif 000005
【図４】
2007111206.tif 000006
【図５】
2007111206.tif 000007
【図６】
2007111206.tif 000008
【図７】
2007111206.tif 000009
【図８】
2007111206.tif 000010
【図９】
2007111206.tif 000011
【図１０】
2007111206.tif 000012
【図１１】
2007111206.tif 000013
【図１２】
2007111206.tif 000014
【図１３】
2007111206.tif 000015
【図１４】
2007111206.tif 000016
【図１５】
2007111206.tif 000017
【図１６】
2007111206.tif 000018
【図１７】
2007111206.tif 000019
【図１８】
2007111206.tif 000020
【図１９】
2007111206.tif 000021
【図２０】
2007111206.tif 000022
【図２１】
2007111206.tif 000023
【図２２】
2007111206.tif 000024
【図２３】
2007111206.tif 000025
【図２４】
2007111206.tif 000026
【図２５】
2007111206.tif 000027
【図２６】
2007111206.tif 000028
【図２７】
2007111206.tif 000029
【図２８】
2007111206.tif 000030
【図２９】
2007111206.tif 000031
【図３０】
2007111206.tif 000032
【図３１】
2007111206.tif 000033
【図３２】
2007111206.tif 000034
【図３３】
2007111206.tif 000035
【図３４】
2007111206.tif 000036
【図３５】
2007111206.tif 000037
【図３６】
2007111206.tif 000038
【図３７】
2007111206.tif 000039
【図３８】
2007111206.tif 000040
【図３９】
2007111206.tif 000041
【図４０】
2007111206.tif 000042
【図４１】
2007111206.tif 000043
【図４２】
2007111206.tif 000044
【図４３】
2007111206.tif 000045
【図４４】
2007111206.tif 000046
【図４５】
2007111206.tif 000047
【図４６】
2007111206.tif 000048
【図４７】
2007111206.tif 000049
【図４８】
2007111206.tif 000050
【図４９】
2007111206.tif 000051
【図５０】
2007111206.tif 000052
【図５１】
2007111206.tif 000053
【図５２】
2007111206.tif 000054
【図５３】
2007111206.tif 000055
【図５４】
2007111206.tif 000056
【図５５】
2007111206.tif 000057
【図５６】
2007111206.tif 000058
【図５７】
2007111206.tif 000059
【図５８】
2007111206.tif 000060
【図５９】
2007111206.tif 000061
【図６０】
2007111206.tif 000062
【図６１】
2007111206.tif 000063
【図６２】
2007111206.tif 000064
【図６３】
2007111206.tif 000065
【図６４】
2007111206.tif 000066
【図６５】
2007111206.tif 000067
【図６６】
2007111206.tif 000068
【図６７】
2007111206.tif 000069
【図６８】
2007111206.tif 000070
【図６９】
2007111206.tif 000071
【図７０】
2007111206.tif 000072
【図７１】
2007111206.tif 000073
【図７２】
2007111206.tif 000074
【図７３】
2007111206.tif 000075
【図７４】
2007111206.tif 000076
【図７５】
2007111206.tif 000077
【図７６】
2007111206.tif 000078
【図７７】
2007111206.tif 000079
【図７８】
2007111206.tif 000080
【図７９】
2007111206.tif 000081
【図８０】
2007111206.tif 000082
【図８１】
2007111206.tif 000083
【図８２】
2007111206.tif 000084
【図８３】
2007111206.tif 000085
【図８４】
2007111206.tif 000086
【図８５】
2007111206.tif 000087
【図８６】
2007111206.tif 000088
【図８７】
2007111206.tif 000089
【図８８】
2007111206.tif 000090
【図８９】
2007111206.tif 000091
【図９０】
2007111206.tif 000092
【図９１】
2007111206.tif 000093
【図９２】
2007111206.tif 000094
【図９３】
2007111206.tif 000095
【図９４】
2007111206.tif 000096
【図９５】
2007111206.tif 000097
【図９６】
2007111206.tif 000098
【図９７】
2007111206.tif 000099
【図９８】
2007111206.tif 000100
【図９９】
2007111206.tif 000101
【図１００】
2007111206.tif 000102
【図１０１】
2007111206.tif 000103
【図１０２】
2007111206.tif 000104
【図１０３】
2007111206.tif 000105
【図１０４】
2007111206.tif 000106
【国際調査報告】
2007111206.tif 000107
2007111206.tif 000108